(57)【要約】ＨＦＣ−３２及びＨＦＯ−１２３４ｙｆを含み、ＨＦＣ−３２及びＨＦＯ−１２３４ｙｆの合計１００重量％に対し液相においてＨＦＣ−３２が１０〜９０重量％の量で存在する混合冷媒を、供給用容器より供給先の容器及び機器へ液で移充填する際に、移充填開始から完了までの、前記供給用容器内の前記混合冷媒中のＨＦＣ−３２の液相混合比を、ＨＦＣ−３２の目標組成（ｘ）の±ａ重量％の範囲に収めるため、移充填直前の、前記供給用容器内の前記混合冷媒のＨＦＣ−３２の液相混合比（初期組成））を、ｘ＋ｙ１（最小値）〜ｘ＋ａ（最大値）重量％にすることを特徴とする、混合冷媒の充填方法。（±ａ：設定公差（ａ≧０）ｘ：目標組成である（１０≦ｘ≦９０、ただしｙ１＞ａとなる範囲を除く）。ｙ１：初期組成における目標組成とのずれの下限値で、次の式（１）で表される値である。１０００ｙ１＝Ｌ１ｘ３＋Ｍ１ｘ２＋Ｎ１ｘ＋Ｐ１  （１）、Ｌ１＝０．０００２ａ＋０．０１６、Ｍ１＝０．０７２ａ＋３．４７６１、Ｎ１＝７．９１４ａ＋１８７．５２、Ｐ１＝１１９４．８ａ−９．５８）【特許請求の範囲】
【請求項１】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±a重量％の範囲に収めるため、
移充填直前の、前記供給用容器内の前記混合冷媒のジフルオロメタンの液相混合比（初期組成）を、x+y1 (最小値)〜x+a(最大値)重量％にすることを特徴とする、混合冷媒の充填方法。
±a：設定公差（a≧0）
x：目標組成である（10≦x≦90、ただしy1＞aとなる範囲を除く）。
y1：初期組成における目標組成とのずれの下限値で、次の式(1)で表される値である。
1000y1 = L1x3 + M1x2+ N1x + P1        (1)
L1 = 0.0002a + 0.016
M1 = 0.072a+ 3.4761
N1 = 7.914a + 187.52
P1 = 1194.8a - 9.58      
【請求項２】
aの値が0.5≦a≦3.0の範囲にある場合の、請求項１の混合冷媒の充填方法。
【請求項３】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±a重量％の範囲に収めるため、
移充填直前の、前記供給用容器内の前記混合冷媒のジフルオロメタンの液相混合比（初期組成）を、x+y2(最小値)〜x+a(最大値)重量％にすることを特徴とする、混合冷媒の充填方法。
±a：設定公差（a≧0）
x：目標組成である（10≦x≦90、ただしy2＞aとなる範囲を除く）。
y2：初期組成における目標組成とのずれの下限値で、次の式(6)で表される値である。
1000y2 = L2x3 + M2x2+ N2x + P2        (6)
L2 = -0.0016a + 0.0169
M2 = -0.1765a + 3.4316
N2 = -1.87a + 180.08
P2 = 1119.5a + 148.9      
【請求項４】
aの値が0.5≦a≦3.0の範囲にある場合の、請求項３の混合冷媒の充填方法。
【請求項５】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±a重量％の範囲に収めるため、
移充填直前の、前記供給用容器内の前記混合冷媒のジフルオロメタンの液相混合比（初期組成）を、x+y3 (最小値)〜x+a(最大値)重量％にすることを特徴とする、混合冷媒の充填方法。
±a：設定公差（a≧0）
x：目標組成である（10≦x≦90、ただしy3＞aとなる範囲を除く）。
y3：初期組成における目標組成とのずれの下限値で、次の式(11)で表される値である。
1000y3 = L3x3 + M3x2+ N3x + P3        (11)
L3 = 0.0003a + 0.0172
M3 = 0.0962a+ 3.6851
N3 = 9.704a + 196.9
P3 = 1241.2a - 93.54
【請求項６】
aの値が0.5≦a≦3.0の範囲にある場合の、請求項５の混合冷媒の充填方法。
【請求項７】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+y4 (最小値)〜x+2.0重量％(最大値)にすることを特徴とする、混合冷媒の充填方法。
b：供給用容器における初期充填量（重量%）
x：目標組成である（10≦x≦90、ただしy4＞2となる範囲を除く）。
y4：初期組成における目標組成とのずれの下限値で、次の式(16)で表される値である。
1000y4 = L4x3 + M4x2+ N4x + P4        (16)
L4 = 0.0001b + 0.0081
M4 = 0.0195b + 1.958
N4 = 0.9878b + 118.91
P4 = -0.176b + 2408.7
【請求項８】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+y5 (最小値)〜x+1.5重量％(最大値)にすることを特徴とする、混合冷媒の充填方法。
b：供給用容器における初期充填量（重量%）
x：目標組成である（10≦x≦90、ただしy5＞1.5となる範囲を除く）。
y5：初期組成における目標組成とのずれの下限値で、次の式(22)で表される値である。
1000y5 = L5x3 + M5x2+ N5x + P5        (22)
L5 = 0.00005b + 0.0092
M5 = 0.0171b + 2.1013
N5 = 0.8528b + 125.11
P5 = -2.372b + 1972.3
【請求項９】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜18.5重量%又は60〜90重量%の量で存在する混合冷媒を、供給用容器より供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+y6 (最小値)〜x+1.0重量％(最大値)にすることを特徴とする、混合冷媒の充填方法。
b：供給用容器における初期充填量（重量%）
x：目標組成である（10≦x≦18.5重量%又は60≦x≦90重量%、ただしy6＞1となる範囲を除く）。
y6：初期組成における目標組成とのずれの下限値で、次の式(28)で表される値である。
1000y6 = L6x3 + M6x2+ N6x + P6        (28)
L6 = 0.00009b + 0.0086
M6 = 0.0183b + 2.003
N6 = 0.9237b + 117.29
P6 = -1.055b + 1292.7
【発明の詳細な説明】
【技術分野】
【０００１】
本発明は、2,3,3,3-テトラフルオロプロペンを含む混合冷媒の充填方法に関する。
【背景技術】
【０００２】
近年、地球温暖化防止の観点から、冷凍空調分野において冷媒の見直しが進められている。カーエアコン分野においては、欧州のF-gas規制によりGWP 150（GWP：Global warming potential：地球温暖化係数）以上の冷媒が規制されることとなり、GWP 4の2,3,3,3-テトラフルオロプロペン（HFO-1234yf、CF3CF=CH2）が採用となった。【０００３】
定置型冷凍空調機器においても、現在使用されているR-410A（GWP 2088）やR-404A（GWP 3922）、R-407C（GWP 1770）及び1,1,1,2-テトラフルオロエタン（以下、HFC-134a）（GWP 1430）等はGWPが高く、先進国においてはCO2削減の観点だけでなく、HFC（Hydrofluorocarbon、フッ素化炭化水素）削減の観点からも規制されつつあり、その代替冷媒の開発は急務である。そして、冷媒選定においては、用途・運転条件などを考慮し、様々な冷媒の中から環境性、安全性、性能及び経済性等多角的な観点から検討しなければならない。そこで、現在、フルオロカーボンや自然冷媒ともに様々な冷媒種が提案されているが、現状、燃焼性、効率及びGWP値等を全て満足するような冷媒は存在せず、用途や運転条件などに応じて適材適所で選定する必要がある。【０００４】
さて、冷媒の中でも、HFO-1234yf冷媒はその低いGWPや毒性の低さからカーエアコン分野以外にも注目されており、大型冷凍空調分野ではHFC-134a代替冷媒として有力候補となっている。しかしながら、R-410A等の冷媒の代替として、定置型冷凍空調機器等で使用するにはHFO冷媒は単体では蒸気圧が低く、従来冷媒に比べて能力不足あるいは性能低下が危惧されている。またHFO冷媒が、微燃性を有することも分かっている。【０００５】
そこで、最近では能力向上及び不燃化を図るため、各種冷媒を混合した非共沸混合冷媒の提案がなされている（特許文献１〜３）。【０００６】
しかしながら、HFCとHFO-1234yfとの混合物の多くは、非共沸混合物であるがゆえに、蒸発・凝縮のように相変化する場合は組成変動が生じる。これは、低沸点の成分が蒸発し易く、高沸点の成分が凝縮し易いためである。この傾向は蒸発、即ち液から蒸気への相変化の場合に大きく、特に混合物の構成成分の沸点差が大きいほど著しい。従って、このような非共沸混合物を容器から別の容器に移す場合には、相変化を伴わないように液側から抜き出すのが普通である。【０００７】
ところが、液側から抜き出す場合でも混合物の構成成分の沸点差が大きいと、数重量%の組成変化を生じてしまう。これは、抜き出しによる圧力減少や気相部空間の増加により、液相中の低沸点成分の蒸発を生じるからである。この数重量%の組成変化は、冷媒性能に大きな変化を生じ能力や効率の低下を及ぼすだけでなく、燃焼性などの冷媒の安全性にも大きな影響を与える（特許文献４、５）。【０００８】
特に、HFO-1234yfとの混合冷媒として使用する可能性の高いジフルオロメタン（HFC-32、CH2F2）は非常に冷凍能力が高いものの、HFO-1234yfとの沸点差は20K以上であり、ボンベやタンクローリー等供給側容器から冷凍空調機器や他のボンベへ移充填する際に生じる組成変化は性能上無視できないレベルにある。また、性能面だけでなく混合冷媒の品質保証という点においても、その混合冷媒の設定公差内に組成変化を収めることは重要である。【０００９】
例えば、何の対策もせずにHFO-1234yf及びHFC-32からなる混合冷媒を40℃で移充填した場合、移充填元の全ての液が消失した時点で狙いの組成から最大で3〜4重量%の組成のずれが生じる。この場合、狙いの組成から見るとその組成変動率は約±4重量%となり、狙いの組成で見込んでいた冷凍能力及びCOP等の冷媒能力が保証できなくなってしまう。そのため、この組成変動率を出来るだけ小さく収める事が重要となってくる。【００１０】
また、この組成変動は非共沸冷媒の種類や組成比によって大きく異なり、全くの実測無しにその組成変動幅をあらかじめ予想することは困難である。
【先行技術文献】
【特許文献】
【００１１】
【特許文献１】特開２０１０−４７７５４号公報
【特許文献２】特表２０１１−５２５２０４号公報
【特許文献３】特表２０１１−５２２９４７号公報
【特許文献４】特開平１０−１９７１０８号公報
【特許文献５】特許第３１８６０６５号
【発明の概要】
【発明が解決しようとする課題】
【００１２】
本発明の主な目的は、2,3,3,3-テトラフルオロプロペン及びジフルオロメタンからなる非共沸混合冷媒の移充填時の組成変化を、冷媒性能の許容範囲内に収めることの出来る混合冷媒の充填方法を提供することである。
【課題を解決するための手段】
【００１３】
本発明者らは、この様な密閉容器に貯蔵された２種の沸点の異なる液化ガスよりなる非共沸混合物を液側から別の容器に移充填する際に生じる組成変化の問題を解決するために液化ガスの充填方法について鋭意検討を加えた。【００１４】
即ち、本発明は、下記のジフルオロメタン及び2,3,3,3-テトラフルオロプロペンからなる非共沸混合冷媒の充填方法を提供するものである。【００１５】
＜65℃における100重量%充填量の混合冷媒の充填方法＞
項１．  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±a重量％の範囲に収めるため、
移充填直前の、前記供給用容器内の前記混合冷媒のジフルオロメタンの液相混合比（初期組成）を、x+y1 (最小値)〜x+a(最大値)重量％にすることを特徴とする、混合冷媒の充填方法。【００１６】
±a：設定公差（a≧0）
x：目標組成である（10≦x≦90、ただしy1＞aとなる範囲を除く）。【００１７】
y1：初期組成における目標組成とのずれの下限値で、次の式(1)で表される値である。【００１８】
1000y1 = L1x3 + M1x2+ N1x + P1        (1)
L1 = 0.0002a + 0.016
M1 = 0.072a+ 3.4761
N1 = 7.914a + 187.52
P1 = 1194.8a - 9.58      【００１９】
項２．  aの値が0.5≦a≦3.0の範囲にある場合の、前記項１の混合冷媒の充填方法。【００２０】
項３.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.5重量％の範囲に収めるため、
移充填直前の、当該供給用容器内の前記混合冷媒のジフルオロメタンの液相混合比（初期組成）を、x+yA〜x+2.5重量％にすることを特徴とする、混合冷媒の充填方法。【００２１】
（前記xは、目標組成である（但し、10≦x≦90を満たす）。yAは、初期組成における目標組成とのずれの下限値で、次の式(2)で表される値である。【００２２】
1000yA = 0.0166x3- 3.6757x2 + 208.97x - 3006.3       (2)）【００２３】
項４.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、当該供給用容器内の前記混合冷媒のジフルオロメタンの液相混合比（初期組成）を、x+yB〜x+2.0重量％にすることを特徴とする、混合冷媒の充填方法。【００２４】
（前記xは、目標組成である（但し、10≦x≦90を満たす）。yBは、初期組成における目標組成とのずれの下限値で、次の式(3)で表される値である。【００２５】
1000yB = 0.0162x3- 3.5639x2 + 200.60x - 2347.6       (3)）【００２６】
項５.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜32重量％又は42〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、当該供給用容器内の前記混合冷媒のジフルオロメタンの液相混合比（初期組成）を、x+yC〜x+1.5重量％にすることを特徴とする、混合冷媒の充填方法。【００２７】
（前記xは、目標組成である（但し、10≦x≦32又は42≦x≦90を満たす）。yCは、初期組成における目標組成とのずれの下限値で、次の式(4)で表される値である。【００２８】
1000yC = 0.0169x3 - 3.6374x2+ 199.88x - 1760.3       (4)）【００２９】
項６.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜14重量％又は65〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、当該供給用容器内の前記混合冷媒のジフルオロメタンの液相混合比（初期組成）を、x+yD〜x+1.0重量％にすることを特徴とする、混合冷媒の充填方法。【００３０】
（前記xは、目標組成である（但し、10≦x≦14又は65≦x≦90を満たす）。yDは、初期組成における目標組成とのずれの下限値で、次の式(5)で表される値である。【００３１】
1000yD = 0.0160x3 - 3.5312x2+ 196.02x - 1210.8       (5)）【００３２】
＜65℃における最大充填量の70重量%充填量の混合冷媒の充填方法＞
項７．  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±a重量％の範囲に収めるため、
移充填直前の、前記供給用容器内の前記混合冷媒のジフルオロメタンの液相混合比（初期組成）を、x+y2(最小値)〜x+a(最大値)重量％にすることを特徴とする、混合冷媒の充填方法。【００３３】
±a：設定公差（a≧0）
x：目標組成である（10≦x≦90、ただしy2＞aとなる範囲を除く）。【００３４】
y2：初期組成における目標組成とのずれの下限値で、次の式(6)で表される値である。【００３５】
1000y2 = L2x3 + M2x2+ N2x + P2        (6)
L2 = -0.0016a + 0.0169
M2 = -0.1765a + 3.4316
N2 = -1.87a + 180.08
P2 = 1119.5a + 148.9      【００３６】
項８．  aの値が0.5≦a≦3.0の範囲にある場合の、前記項７の混合冷媒の充填方法。【００３７】
項９．  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.5重量％の範囲に収めるため、
移充填直前の、当該供給用容器内の前記混合冷媒のジフルオロメタンの液相混合比（初期組成）を、x+yE〜x+2.5重量％にすることを特徴とする、混合冷媒の充填方法。【００３８】
（前記xは、目標組成である（但し、10≦x≦90を満たす）。yEは、初期組成における目標組成とのずれの下限値で、次の式(7)で表される値である。【００３９】
1000yE = 0.0130 x3 - 3.0285 x2  + 177.93x - 2975.4      (7)）【００４０】
項１０．  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、当該供給用容器内の前記混合冷媒のジフルオロメタンの液相混合比（初期組成）を、x+yF〜x+2.0重量％にすることを特徴とする、混合冷媒の充填方法。【００４１】
（前記xは、目標組成である（但し、10≦x≦90を満たす）。yFは、初期組成における目標組成とのずれの下限値で、次の式(8)で表される値である。【００４２】
1000yF = 0.0132 x3 - 2.991 x2+ 171.39x - 2327.0    (8)）【００４３】
項１１．  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、当該供給用容器内の前記混合冷媒のジフルオロメタンの液相混合比（初期組成）を、x+yG〜x+1.5重量％にすることを特徴とする、混合冷媒の充填方法。【００４４】
（前記xは、目標組成である（但し、10≦x≦90を満たす）。yGは、初期組成における目標組成とのずれの下限値で、次の式(9)で表される値である。【００４５】
1000yG = 0.0149 x3 - 3.2273 x2+ 179.57x - 1866.7      (9)）【００４６】
項１２．  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜18重量％又は60〜90重量％の量で存在する混合冷媒を、供給用容器に最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、当該供給用容器内の前記混合冷媒のジフルオロメタンの液相混合比（初期組成）を、x+yH〜x+1.0重量％にすることを特徴とする、混合冷媒の充填方法。【００４７】
（前記xは、目標組成である（但し、10≦x≦18又は60≦x≦90を満たす）。yHは、初期組成における目標組成とのずれの下限値で、次の式(10)で表される値である。【００４８】
1000yH = 0.0151 x3 - 3.2439 x2+ 178.32x - 1263.0      (10)）【００４９】
＜45℃における100重量%充填量の混合冷媒の充填方法＞
項１３.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±a重量％の範囲に収めるため、
移充填直前の、前記供給用容器内の前記混合冷媒のジフルオロメタンの液相混合比（初期組成）を、x+y3 (最小値)〜x+a(最大値)重量％にすることを特徴とする、混合冷媒の充填方法。【００５０】
±a：設定公差（a≧0）
x：目標組成である（10≦x≦90、ただしy3＞aとなる範囲を除く）。【００５１】
y3：初期組成における目標組成とのずれの下限値で、次の式(11)で表される値である。【００５２】
1000y3 = L3x3 + M3x2+ N3x + P3        (11)
L3 = 0.0003a + 0.0172
M3 = 0.0962a+ 3.6851
N3 = 9.704a + 196.9
P3 = 1241.2a - 93.54【００５３】
項１４．  aの値が0.5≦a≦3.0の範囲にある場合の、前記項１３の混合冷媒の充填方法。【００５４】
項１５.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.5重量％の範囲に収めるため、
移充填直前の、当該供給用容器内の前記混合冷媒のジフルオロメタンの液相混合比（初期組成）を、x+yI〜x+2.5重量％にすることを特徴とする、混合冷媒の充填方法。【００５５】
（前記xは、目標組成である（但し、10≦x≦90を満たす）。yIは、初期組成における目標組成とのずれの下限値で、次の式(12)で表される値である。【００５６】
1000yI = 0.0181x3- 3.9611x2 + 223.10x - 3040.4       (12)）【００５７】
項１６.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、当該供給用容器内の前記混合冷媒のジフルオロメタンの液相混合比（初期組成）を、x+yJ〜x+2.0重量％にすることを特徴とする、混合冷媒の充填方法。【００５８】
（前記xは、目標組成である（但し、10≦x≦90を満たす）。yJは、初期組成における目標組成とのずれの下限値で、次の式(13)で表される値である。【００５９】
1000yJ = 0.0177x3- 3.8614 x2 + 215.42x - 2373.5       (13)）【００６０】
項１７.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜26.5重量％又は47.5〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、当該供給用容器内の前記混合冷媒のジフルオロメタンの液相混合比（初期組成）を、x+yK〜x+1.5重量％にすることを特徴とする、混合冷媒の充填方法。【００６１】
（前記xは、目標組成である（但し、10≦x≦26.5又は47.5≦x≦90を満たす）。yKは、初期組成における目標組成とのずれの下限値で、次の式(14)で表される値である。【００６２】
1000yK = 0.0172x3 - 3.7549x2+ 207.43x - 1705.9       (14)）【００６３】
項１８.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜13.5重量％又は67〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、当該供給用容器内の前記混合冷媒のジフルオロメタンの液相混合比（初期組成）を、x+yL〜x+1.0重量％にすることを特徴とする、混合冷媒の充填方法。【００６４】
（前記xは、目標組成である（但し、10≦x≦13.5又は67≦x≦90を満たす）。yLは、初期組成における目標組成とのずれの下限値で、次の式(15)で表される値である。【００６５】
1000yL = 0.0178x3 - 3.8363x2+ 209.59x - 1194.3       (15)）【００６６】
＜設定公差を±2.0重量％とする混合冷媒の充填方法＞
項１９.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+y4 (最小値)〜x+2.0重量％(最大値)にすることを特徴とする、混合冷媒の充填方法。【００６７】
b：供給用容器における初期充填量（重量%）
x：目標組成である（10≦x≦90、ただしy4＞2となる範囲を除く）。【００６８】
y4：初期組成における目標組成とのずれの下限値で、次の式(16)で表される値である。【００６９】
1000y4 = L4x3 + M4x2+ N4x + P4        (16)
L4 = 0.0001b + 0.0081
M4 = 0.0195b + 1.958
N4 = 0.9878b + 118.91
P4 = -0.176b + 2408.7【００７０】
項２０.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の100重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+yP1〜x+2.0重量％にすることを特徴とする、混合冷媒の充填方法。【００７１】
（前記xは、目標組成である（但し、10≦x≦90を満たす）。yP1は、初期組成における目標組成とのずれの下限値で、次の式(17)で表される値である。【００７２】
1000yP1 = 0.0177x3 - 3.8614x2 + 215.42x - 2373.5       (17)）【００７３】
項２１.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の90重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+yP2〜x+2.0重量％にすることを特徴とする、混合冷媒の充填方法。【００７４】
（前記xは、目標組成である（但し、10≦x≦90を満たす）。yP2は、初期組成における目標組成とのずれの下限値で、次の式(18)で表される値である。【００７５】
1000yP2 = 0.0172x3 - 3.7532x2 + 210.1x - 2419.3       (18)）【００７６】
項２２.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の80重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+yP3〜x+2.0重量％にすることを特徴とする、混合冷媒の充填方法。【００７７】
（前記xは、目標組成である（但し、10≦x≦90を満たす）。yP3は、初期組成における目標組成とのずれの下限値で、次の式(19)で表される値である。【００７８】
1000yP3 = 0.0160x3 - 3.5202x2 + 198.2x - 2382.2       (19)）【００７９】
項２３.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+yP4〜x+2.0重量％にすることを特徴とする、混合冷媒の充填方法。【００８０】
（前記xは、目標組成である（但し、10≦x≦90を満たす）。yP4は、初期組成における目標組成とのずれの下限値で、次の式(20)で表される値である。【００８１】
1000yP4 = 0.0152x3 - 3.3513x2 + 189.76x - 2412.5       (20)）【００８２】
項２４.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の60重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+yP5〜x+2.0重量％にすることを特徴とする、混合冷媒の充填方法。【００８３】
（前記xは、目標組成である（但し、10≦x≦90を満たす）。yP5は、初期組成における目標組成とのずれの下限値で、次の式(21)で表される値である。【００８４】
1000yP5 = 0.0138x3 - 3.0892x2 + 176.2x - 2385.7       (21)）【００８５】
＜設定公差を±1.5重量％とする混合冷媒の充填方法＞
項２５.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+y5 (最小値)〜x+1.5重量％(最大値)にすることを特徴とする、混合冷媒の充填方法。【００８６】
b：供給用容器における初期充填量（重量%）
x：目標組成である（10≦x≦90、ただしy5＞1.5となる範囲を除く）。【００８７】
y5：初期組成における目標組成とのずれの下限値で、次の式(22)で表される値である。【００８８】
1000y5 = L5x3 + M5x2+ N5x + P5        (22)
L5 = 0.00005b + 0.0092
M5 = 0.0171b + 2.1013
N5 = 0.8528b + 125.11
P5 = -2.372b + 1972.3【００８９】
項２６.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜26.5重量％又は47.5〜90重量％の量で存在する混合冷媒を、供給用容器に最大充填量の100重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+yQ1〜x+1.5重量％にすることを特徴とする、混合冷媒の充填方法。【００９０】
（前記xは、目標組成である（但し、10≦x≦26.5又は47.5≦x≦90を満たす）。yQ1は、初期組成における目標組成とのずれの下限値で、次の式(23)で表される値である。【００９１】
1000yQ1 = 0.0172x3 - 3.7549x2 + 207.43x - 1705.9       (23)）【００９２】
項２７.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜30重量％又は44〜90重量％の量で存在する混合冷媒を、供給用容器に最大充填量の90重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+yQ2〜x+1.5重量％にすることを特徴とする、混合冷媒の充填方法。【００９３】
（前記xは、目標組成である（但し、10≦x≦30又は44≦x≦90を満たす）。yQ2は、初期組成における目標組成とのずれの下限値で、次の式(24)で表される値である。【００９４】
1000yQ2 = 0.0168x3 - 3.6698x2 + 203.75x - 1785.4       (24)）【００９５】
項２８.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の80重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+yQ3〜x+1.5重量％にすることを特徴とする、混合冷媒の充填方法。【００９６】
（前記xは、目標組成である（但し、10≦x≦90を満たす）。yQ3は、初期組成における目標組成とのずれの下限値で、次の式(25)で表される値である。【００９７】
1000yQ3 = 0.0163x3 - 3.5445x2 + 197.22x - 1815.9       (25)）【００９８】
項２９.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+yQ4〜x+1.5重量％にすることを特徴とする、混合冷媒の充填方法。【００９９】
（前記xは、目標組成である（但し、10≦x≦90を満たす）。yQ4は、初期組成における目標組成とのずれの下限値で、次の式(26)で表される値である。【０１００】
1000yQ4 = 0.0147x3 - 3.2607x2 + 183.21x - 1777.0       (26)）【０１０１】
項３０.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の60重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+yQ5〜x+1.5重量％にすることを特徴とする、混合冷媒の充填方法。【０１０２】
（前記xは、目標組成である（但し、10≦x≦90を満たす）。yQ5は、初期組成における目標組成とのずれの下限値で、次の式(27)で表される値である。【０１０３】
1000yQ5 = 0.0141x3 - 3.1058x2 + 175.06x - 1828.7       (27)）【０１０４】
＜設定公差を±1.0重量％とする混合冷媒の充填方法＞
項３１.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜18.5重量%又は60〜90重量%の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+y6 (最小値)〜x+1.0重量％(最大値)にすることを特徴とする、混合冷媒の充填方法。【０１０５】
b：供給用容器における初期充填量（重量%）
x：目標組成である（10≦x≦18.5重量%又は60≦x≦90重量%、ただしy6＞1となる範囲を除く）。【０１０６】
y6：初期組成における目標組成とのずれの下限値で、次の式(28)で表される値である。【０１０７】
1000y6 = L6x3 + M6x2+ N6x + P6        (28)
L6 = 0.00009b + 0.0086
M6 = 0.0183b + 2.003
N6 = 0.9237b + 117.29
P6 = -1.055b + 1292.7【０１０８】
項３２.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜13.5重量％又は67〜90重量％の量で存在する混合冷媒を、供給用容器に最大充填量の100重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+yR1〜x+1.0重量％にすることを特徴とする、混合冷媒の充填方法。【０１０９】
（前記xは、目標組成である（但し、10≦x≦13.5又は67≦x≦90を満たす）。yR1は、初期組成における目標組成とのずれの下限値で、次の式(29)で表される値である。【０１１０】
1000yR1 = 0.0178x3 - 3.8363x2 + 209.59x - 1194.3       (29)）【０１１１】
項３３.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜14重量％又は66〜90重量％の量で存在する混合冷媒を、供給用容器に最大充填量の90重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+yR2〜x+1.0重量％にすることを特徴とする、混合冷媒の充填方法。【０１１２】
（前記xは、目標組成である（但し、10≦x≦14又は66≦x≦90を満たす）。yR2は、初期組成における目標組成とのずれの下限値で、次の式(30)で表される値である。【０１１３】
1000yR2 = 0.0168x3 - 3.6386x2 + 200.20x - 1192.8       (30)）【０１１４】
項３４.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜15.5重量％又は65〜90重量％の量で存在する混合冷媒を、供給用容器に最大充填量の80重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+yR3〜x+1.0重量％にすることを特徴とする、混合冷媒の充填方法。【０１１５】
（前記xは、目標組成である（但し、10≦x≦15.5又は65≦x≦90を満たす）。yR3は、初期組成における目標組成とのずれの下限値で、次の式(31)で表される値である。【０１１６】
1000yR3 = 0.0159x3 - 3.4616x2 + 191.19x - 1196.0       (31)）【０１１７】
項３５.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜16.5重量％又は62.5〜90重量％の量で存在する混合冷媒を、供給用容器に最大充填量の70重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+yR4〜x+1.0重量％にすることを特徴とする、混合冷媒の充填方法。【０１１８】
（前記xは、目標組成である（但し、10≦x≦16.5又は62.5≦x≦90を満たす）。yR4は、初期組成における目標組成とのずれの下限値で、次の式(32)で表される値である。【０１１９】
1000yR4 = 0.0150x3 - 3.2938x2 + 182.87x - 1230.1       (32)）【０１２０】
項３６.  ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜18.5重量％又は60〜90重量％の量で存在する混合冷媒を、供給用容器に最大充填量の60重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+yR5〜x+1.0重量％にすることを特徴とする、混合冷媒の充填方法。【０１２１】
（前記xは、目標組成である（但し、10≦x≦18.5又は60≦x≦90を満たす）。yR5は、初期組成における目標組成とのずれの下限値で、次の式(33)で表される値である。【０１２２】
1000yR5 = 0.0141x3 - 3.0949x2 + 172.07x - 1228.4       (33)）【０１２３】
以下、本発明のジフルオロメタン（HFC-32、CH2F2）及び2,3,3,3-テトラフルオロプロペン（HFO-1234yf、CF3CF=CH2）からなる非共沸混合冷媒の充填方法について具体的に説明する。【０１２４】
本発明の混合冷媒の充填方法は、非共沸冷媒であるHFC-32/HFO-1234yf混合冷媒において、その組成が液相においてHFC-32：10〜90重量％のものを、供給用容器より供給先の容器及び機器へ移充填する際に、移充填する前の、供給用容器内のHFC-32の液相混合比を特定の範囲に設定することを特徴とする。【０１２５】
［１］充填量毎の充填方法
容器へ充填量100重量％以下及び70重量%以下の量を充填した供給用容器より、供給先の容器及び機器へ、混合冷媒を移充填する際に、移充填する前の供給用容器内の混合冷媒の混合比について説明する。【０１２６】
前記充填量100重量％とは、輸送に関する国際法や日本の高圧ガス保安法で定められている、容器に充填できる最大の充填量のことを示す。日本の高圧ガス保安法では以下のように算出する。
・G = V/C
・G：フルオロカーボンの質量（kg）
・V：容器の内容積（L）
・C：フルオロカーボンの種類による定数
この際の充填定数Cは日本国内では、1.05を48℃における当該ガスの比重で除した値と定められている。また、この充填定数Cは、輸出を伴う際は国際法により、熱帯地方を通過する際は、1.05を65℃における当該ガスの比重で除した値、熱帯以外のその他の地方のみでは、1.05を45℃における当該ガスの比重で除した値と定められている。【０１２７】
HFC-32/HFO-1234yf混合冷媒を、供給用容器より供給先の容器及び機器へ移充填する際に、供給用容器の初期充填量が少ない方が、移充填開始から完了までの、前記供給用容器内の前記混合冷媒中のHFC-32の液相混合比の組成変化は小さくなる。【０１２８】
上記充填定数において充填できる最大量は、以下の順になる。【０１２９】
1.05を45℃における当該ガスの比重で除した値を用いて算出した充填量＞1.05を48℃における当該ガスの比重で除した値を用いて算出した充填量＞1.05を65℃における当該ガスの比重で除した値を用いて算出した充填量【０１３０】
以下、1.05を45℃又は65℃における当該ガスの比重で除した値、を充填定数として採用している。【０１３１】
（１）容器への混合冷媒の充填量が、1.05を65℃における当該ガスの比重で除した値を充填定数として算出した充填量以下である場合の充填方法
容器への混合冷媒の充填量が、1.05を65℃における当該ガスの比重で除した値を充填定数として算出した充填量以下（つまり最大充填量の100重量%以下）である場合において、供給用容器より供給先の容器及び機器へ混合冷媒を移充填する際の、移充填する前の供給用容器内の混合冷媒の混合比について説明する。【０１３２】
（1-1）HFC-32の目標組成(x)の±a重量％の範囲に収める充填方法
容器への混合冷媒の充填量が最大充填量の100重量％以下の場合の、本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の設定公差内（±a重量％）に収めるため、移充填直前の、前記供給用容器内の前記混合冷媒のHFC-32の液相混合比（初期組成）を、x+y1 (最小値)〜x+a(最大値)重量％にすることを特徴とする。【０１３３】
±a：設定公差（a≧0）
x：目標組成である（10≦x≦90、ただしy1＞aとなる範囲を除く）。【０１３４】
y1：初期組成における目標組成とのずれの下限値で、次の式(1)で表される値である。【０１３５】
1000y = L1x3 + M1x2 + N1x + P1        (1)
L1 = 0.0002a + 0.016
M1 = 0.072a+ 3.4761
N1 = 7.914a + 187.52
P1 = 1194.8a - 9.58      
前記「±a」（設定公差）は、HFC-32の目標組成(x)を基準値とする場合の、許容される範囲の最大値及び最小値との差を意味する。これは、目標組成との許容される「ずれ」を意味する。【０１３６】
本発明の混合冷媒の充填方法によれば、供給用容器の混合冷媒の充填量が最大充填量の100重量％であっても、移充填する前の、供給用容器内のHFC-32の液相混合比を特定の範囲に設定することで、供給先の容器及び機器内での組成変化を、移充填が完了するまで、目標組成の±a重量％の許容範囲に収める事ができる。【０１３７】
HFC-32の「目標組成」は、供給先の容器・機器において求められる、HFC-32/HFO-1234yf混合冷媒の全体組成（液相＋気相）におけるHFC-32濃度である。【０１３８】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。また、前期aの値は、通常0.5≦a≦3.0の範囲に設定される。【０１３９】
以下、移充填方法は、一例として移充填時の取扱い温度が40℃のときを示す。例えば日本の高圧ガス保安法においては、40℃以上での容器の取り扱いを禁じていることから、特に日本における移充填時の取扱い温度は0〜40℃である。また、国際法等でも高温での取扱いを避けることが求められている。そして、移充填時（取扱い時）の温度が高いほど、供給用容器より、供給先の容器及び機器へ液で移充填する際に、移充填開始から完了までの、移充填による組成変化が大きくなる。よって、取扱い温度40℃時のときの移充填の条件を応用することで、取扱い温度0〜40℃についても適用可能である。【０１４０】
（1-2）HFC-32の目標組成(x)の±2.5重量％の範囲に収める充填方法
設定公差（±a）が「±2.5」であるときを説明する。【０１４１】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の±2.5重量％の範囲に収めるため、移充填直前の、当該供給用容器内の前記混合冷媒のHFC-32の液相混合比（初期組成）を、x+yA〜x+2.5重量％にすることが好ましい。【０１４２】
（前記xは、目標組成である（但し、10≦x≦90を満たす）。yAは、初期組成における目標組成とのずれの下限値で、次の式(2)で表される値である。【０１４３】
1000yA = 0.0166x3- 3.6757x2 + 208.97x - 3006.3       (2)）【０１４４】
本発明は、上記式(2)から、HFC-32/HFO-1234yf混合冷媒を、供給用容器より供給先の容器及び機器へ移充填する際に、移充填する前の供給用容器内のHFC-32の液相混合比を、x-1.9重量％程度〜x+2.5重量％にすることで、供給先の容器及び機器内での組成変化を、移充填が完了するまで、目標組成の±2.5重量％の許容範囲に収める事ができる。【０１４５】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±2.5重量％の許容範囲に収める混合冷媒の充填方法では、HFC-32/HFO-1234yf混合冷媒中のHFC-32の液相混合比の上限値は、HFC-32の目標組成+2.5重量％である。【０１４６】
また、HFC-32が90重量％含まれる場合、組成変化が小さいことから、HFC-32の初期組成が、目標組成（90重量％）に対して、-1.9重量％程度であったとしても、移充填が完了するまで、HFC-32の液相混合比を目標組成±2.5重量％に収めることができる。【０１４７】
（1-3）HFC-32の目標組成(x)の±2.0重量％の範囲に収める充填方法
設定公差（±a）が「±2.0」であるときを説明する。【０１４８】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の±2.0重量％の範囲に収めるため、移充填直前の、当該供給用容器内の前記混合冷媒のHFC-32の液相混合比（初期組成）を、x+yB〜x+2.0重量％にすることが好ましい。【０１４９】
（前記xは、目標組成である（但し、10≦x≦90を満たす）。yBは、初期組成における目標組成とのずれの下限値で、次の式(3)で表される値である。【０１５０】
1000yB = 0.0162x3- 3.5639x2 + 200.60x - 2347.6       (3)）【０１５１】
本発明は、上記式(3)から、HFC-32/HFO-1234yf混合冷媒を、供給用容器より供給先の容器及び機器へ移充填する際に、移充填する前の供給用容器内のHFC-32の液相混合比を、x-1.4重量％程度〜x+2.0重量％にすることで、供給先の容器及び機器内での組成変化を、移充填が完了するまで、目標組成の±2.0重量％の許容範囲に収める事ができる。【０１５２】
上記理由と同様の理由から、HFC-32を移充填前の供給用容器において目標組成より多く充填することが好ましく、供給先の容器及び機器内でのHFC-32/HFO-1234yf混合冷媒の組成変化を、移充填が完了するまで、目標組成の±2.0重量％の許容範囲に収める混合冷媒の充填方法では、HFC-32/HFO-1234yf混合冷媒中のHFC-32の液相混合比の上限値は、HFC-32の目標組成+2.0重量％である。【０１５３】
また、HFC-32が90重量％含まれる場合、組成変化が小さいことから、HFC-32の初期組成が、目標組成（90重量％）に対して、-1.4重量％程度であったとしても、移充填が完了するまで、HFC-32の液相混合比を目標組成±2.0重量％に収めることができる。【０１５４】
（1-4）HFC-32の目標組成(x)の±1.5重量％の範囲に収める充填方法
設定公差（±a）が「±1.5」であるときを説明する。【０１５５】
本発明の混合冷媒の充填方法は、HFC-32及びHFO-1234yfを含み、HFC-32及びHFO-1234yfの合計100重量%に対し液相においてHFC-32が10〜32重量％又は42〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の±1.5重量％の範囲に収めるため、移充填直前の、当該供給用容器内の前記混合冷媒のHFC-32の液相混合比（初期組成）を、x+yC〜x+1.5重量％にすることが好ましい。a=1.5の場合、32＜x＜42ではyC＞aとなってしまうため、xの範囲は10〜32重量％又は42〜90重量％となる。【０１５６】
（前記xは、目標組成である。yCは、初期組成における目標組成とのずれの下限値で、次の式(4)で表される値である。【０１５７】
1000yC = 0.0169x3 - 3.6374x2+ 199.88x - 1760.3       (4)）【０１５８】
本発明は、上記式(4)から、HFC-32/HFO-1234yf混合冷媒を、供給用容器より供給先の容器及び機器へ移充填する際に、移充填する前の供給用容器内のHFC-32の液相混合比を、x-0.9重量％程度〜x+1.5重量％にすることで、供給先の容器及び機器内での組成変化を、移充填が完了するまで、目標組成の±1.5重量%の許容範囲に収める事ができる混合冷媒の充填方法である。【０１５９】
上記理由と同様の理由から、HFC-32を移充填前の供給用容器において目標組成より多く充填することが好ましく、供給先の容器及び機器内でのHFC-32/HFO-1234yf混合冷媒の組成変化を、移充填が完了するまで、目標組成の±1.5重量％の許容範囲に収める混合冷媒の充填方法では、HFC-32/HFO-1234yf混合冷媒中のHFC-32の液相混合比の上限値は、HFC-32の目標組成+1.5重量％である。【０１６０】
また、HFC-32が90重量％含まれる場合、組成変化が小さいことから、HFC-32の初期組成が、目標組成（90重量％）に対して、-0.9重量％程度であったとしても、移充填が完了するまで、HFC-32の液相混合比を目標組成±1.5重量％に収めることができる。【０１６１】
（1-5）HFC-32の目標組成(x)の±1.0重量％の範囲に収める充填方法
設定公差（±a）が「±1.0」であるときを説明する。【０１６２】
本発明の混合冷媒の充填方法は、HFC-32及びHFO-1234yfを含み、HFC-32及びHFO-1234yfの合計100重量%に対し液相においてHFC-32が10〜14重量％又は65〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の±1.0重量％の範囲に収めるため、移充填直前の、当該供給用容器内の前記混合冷媒のHFC-32の液相混合比（初期組成）を、x+yD〜x+1.0重量％にすることが好ましい。a=1.0の場合、14＜x＜65ではyD＞aとなってしまうため、xの範囲は10〜14重量％又は65〜90重量％となる。【０１６３】
（前記xは、上記の同じである。yDは、初期組成における目標組成とのずれの下限値で、次の式(5)で表される値である。【０１６４】
1000yD = 0.0160x3 - 3.5312x2+ 196.02x - 1210.8       (5)）【０１６５】
本発明は、上記式(5)から、HFC-32/HFO-1234yf混合冷媒を、供給用容器より供給先の容器及び機器へ移充填する際に、移充填する前の供給用容器内のHFC-32の液相混合比を、x-0.5重量％程度〜x+1.0重量％にすることで、供給先の容器及び機器内での組成変化を、移充填が完了するまで、目標組成の±1.0重量%の許容範囲に収める事ができる混合冷媒の充填方法である。【０１６６】
上記理由と同様の理由から、HFC-32を移充填前の供給用容器において目標組成より多く充填することが好ましく、供給先の容器及び機器内でのHFC-32/HFO-1234yf混合冷媒の組成変化を、移充填が完了するまで、目標組成の±1.0重量％の許容範囲に収める混合冷媒の充填方法では、HFC-32/HFO-1234yf混合冷媒中のHFC-32混合比の上限値は、HFC-32の目標組成+1.0重量％である。【０１６７】
また、HFC-32が90重量％含まれる場合、組成変化が小さいことから、HFC-32の初期組成が、目標組成（90重量％）に対して、-0.5重量％程度であったとしても、移充填が完了するまで、HFC-32の液相混合比を目標組成±1.0重量％に収めることができる。【０１６８】
（1-6）HFC-32及びHFO-1234yfを含む非共沸混合冷媒の充填方法
HFC-32及びHFO-1234yfからなる非共沸混合冷媒の充填量が最大充填量の100重量％以下の時の、充填方法である本発明の概念を以下に示す。【０１６９】
【化１】
2014038604.tif 000002
【０１７０】
上記式(1)は、上記式(2)〜(5)から導き出すことができる。上記式(2)〜(5)の各係数の値を基に、目標組成(x)から、設定交差（a）に対して式(1)のL1〜P1を導き出すことができる。【０１７１】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より供給先の容器及び機器へ液で移充填する際に、移充填開始から完了までの、前記供給用容器内の前記混合冷媒中のHFC-32の液相混合比を、HFC-32の目標組成(x)の設定公差内（±a重量％）に収めるため、移充填直前の、前記供給用容器内の前記混合冷媒のHFC-32の液相混合比（初期組成）を、x+y1 (最小値)〜x+a(最大値)重量％にすることを特徴とする。【０１７２】
ここで、前記本発明の概念の通り、a=1.5の場合、32＜x＜42ではyC＞aとなってしまうため、xの範囲は10〜32重量％又は42〜90重量％となる。また、a=1.0の場合、14＜x＜65ではyD＞aとなってしまうため、xの範囲は10〜14重量％又は65〜90重量％となる。【０１７３】
±a：設定公差（a≧0）
x：目標組成である（10≦x≦90、ただしy1＞aとなる範囲を除く）。【０１７４】
y1：初期組成における目標組成とのずれの下限値で、次の式(1)で表される値である。【０１７５】
1000y1 = L1x3 + M1x2+ N1x + P1        (1)
L1 = 0.0002a + 0.016
M1 = 0.072a+ 3.4761
N1 = 7.914a + 187.52
P1 = 1194.8a - 9.58      【０１７６】
（２）容器への混合冷媒の充填量が、1.05を65℃における当該ガスの比重で除した値を充填定数として算出した最大充填量の70重量%である場合の充填方法
容器への混合冷媒の充填量が、1.05を65℃における当該ガスの比重で除した値を充填定数として算出し、最大充填量の70重量%である場合において、供給用容器より供給先の容器及び機器へ、混合冷媒を移充填する際の、移充填する前の供給用容器内の混合冷媒の混合比について説明する。【０１７７】
（2-1）HFC-32の目標組成(x)の±a重量％の範囲に収める充填方法
容器への混合冷媒の充填量が最大充填量の70重量％以下の場合の、本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器に最大充填量の70重量%以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の設定公差内（±a重量％）に収めるため、移充填直前の、前記供給用容器内の前記混合冷媒のHFC-32の液相混合比（初期組成）を、x+y2(最小値)〜x+a(最大値)重量％にすることを特徴とする。【０１７８】
±ａ：設定公差（a≧0）
x：目標組成である（10≦x≦90、ただしy2＞aとなる範囲を除く）。【０１７９】
y2：初期組成における目標組成とのずれの下限値で、次の式(6)で表される値である。【０１８０】
1000y2 = L2x3 + M2x2+ N2x + P2        (6)
L2 = -0.0016a + 0.0169
M2 = -0.1765a + 3.4316
N2 = -1.87a + 180.08
P2 = 1119.5a + 148.9      
前記「±a」（設定公差）は、HFC-32の目標組成(x)を基準値とする場合の、許容される範囲の最大値及び最小値との差を意味する。これは、目標組成との許容される「ずれ」を意味する。【０１８１】
本発明の混合冷媒の充填方法によれば、供給用容器の混合冷媒の初期充填量が最大充填量の70重量％であっても、移充填する前の、供給用容器内のHFC-32の液相混合比を特定の範囲に設定することで、供給先の容器及び機器内での組成変化を、移充填が完了するまで、目標組成の±a重量％の許容範囲に収める事ができる。【０１８２】
HFC-32の「目標組成」は、供給先の容器・機器において求められる、HFC-32/HFO-1234yf混合冷媒の全体組成（液相＋気相）におけるHFC-32濃度である。【０１８３】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。また、前期aの値は、通常0.5≦a≦3.0の範囲に設定される。【０１８４】
以下、移充填方法は、一例として移充填時の取扱い温度が40℃のときを示す。前記理由と同じ理由により、容器への混合冷媒の充填量が最大充填量の70重量％の場合でも、取扱い温度40℃時のときの移充填の条件を応用することで、取扱い温度0〜40℃についても適用可能である。【０１８５】
（2-2）HFC-32の目標組成(x)の±2.5重量％の範囲に収める充填方法
設定公差（±a）が「±2.5」であるときを説明する。【０１８６】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器に最大充填量の70重量%以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±2.5重量％の範囲に収めるため、移充填直前の、当該供給用容器内の前記混合冷媒のHFC-32の液相混合比（初期組成）を、x+yE〜x+2.5重量％にすることが好ましい。【０１８７】
（前記xは、目標組成である（但し、10≦x≦90を満たす）。yEは、初期組成における目標組成とのずれの下限値で、次の式(7)で表される値である。【０１８８】
1000yE = 0.0130 x3 - 3.0285 x2  + 177.93x - 2975.4      (7)）【０１８９】
本発明は、上記式(7)から、HFC-32/HFO-1234yf混合冷媒を、供給用容器より供給先の容器及び機器へ移充填する際に、移充填する前の供給用容器内のHFC-32の液相混合比を、x-2.0重量％程度〜x+2.5重量％にすることで、供給先の容器及び機器内での組成変化を、移充填が完了するまで、目標組成の±2.5重量％の許容範囲に収める事ができる。【０１９０】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±2.5重量％の許容範囲に収める混合冷媒の充填方法では、HFC-32/HFO-1234yf混合冷媒中のHFC-32の液相混合比の上限値は、HFC-32の目標組成+2.5重量％である。【０１９１】
また、HFC-32が90重量％含まれる場合、組成変化が小さいことから、HFC-32の初期組成が、目標組成（90重量％）に対して、-2.0重量％程度であったとしても、移充填が完了するまで、HFC-32の液相混合比を目標組成±2.5重量％に収めることができる。【０１９２】
（2-3）HFC-32の目標組成(x)の±2.0重量％の範囲に収める充填方法
設定公差（±a）が「±2.0」であるときを説明する。【０１９３】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器に最大充填量の70重量%以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±2.0重量％の範囲に収めるため、移充填直前の、当該供給用容器内の前記混合冷媒のHFC-32の液相混合比（初期組成）を、x+yF〜x+2.0重量％にすることが好ましい。【０１９４】
（前記xは、目標組成である（但し、10≦x≦90を満たす）。yFは、初期組成における目標組成とのずれの下限値で、次の式(8)で表される値である。【０１９５】
1000yF = 0.0132 x3 - 2.991 x2+ 171.39x - 2327.0    (8)）【０１９６】
本発明は、上記式(8)から、HFC-32/HFO-1234yf混合冷媒を、供給用容器より供給先の容器及び機器へ移充填する際に、移充填する前の供給用容器内のHFC-32の液相混合比を、x-1.5重量％程度〜x+2.0重量％にすることで、供給先の容器及び機器内での組成変化を、移充填が完了するまで、目標組成の±2.0重量％の許容範囲に収める事ができる。【０１９７】
上記理由と同様の理由から、HFC-32を移充填前の供給用容器において目標組成より多く充填することが好ましく、供給先の容器及び機器内でのHFC-32/HFO-1234yf混合冷媒の組成変化を、移充填が完了するまで、目標組成の±2.0重量％の許容範囲に収める混合冷媒の充填方法では、HFC-32/HFO-1234yf混合冷媒中のHFC-32の液相混合比の上限値は、HFC-32の目標組成+2.0重量％である。【０１９８】
また、HFC-32が90重量％含まれる場合、組成変化が小さいことから、HFC-32の初期組成が、目標組成（90重量％）に対して、-1.5重量％程度であったとしても、移充填が完了するまで、HFC-32の液相混合比を目標組成±2.0重量％に収めることができる。【０１９９】
（2-4）HFC-32の目標組成(x)の±1.5重量％の範囲に収める充填方法
設定公差（±a）が「±1.5」であるときを説明する。【０２００】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器に最大充填量の70重量%以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.5重量％の範囲に収めるため、移充填直前の、当該供給用容器内の前記混合冷媒のHFC-32の液相混合比（初期組成）を、x+yG〜x+1.5重量％にすることが好ましい。【０２０１】
（前記xは、目標組成である（但し、10≦x≦90を満たす）。yGは、初期組成における目標組成とのずれの下限値で、次の式(9)で表される値である。【０２０２】
1000yG = 0.0149 x3 - 3.2273 x2+ 179.57x - 1866.7      (9)）【０２０３】
本発明は、上記式(9)から、HFC-32/HFO-1234yf混合冷媒を、供給用容器より供給先の容器及び機器へ移充填する際に、移充填する前の供給用容器内のHFC-32の液相混合比を、x-1.0重量％程度〜x+1.5重量％にすることで、供給先の容器及び機器内での組成変化を、移充填が完了するまで、目標組成の±1.5重量%の許容範囲に収める事ができる混合冷媒の充填方法である。【０２０４】
上記理由と同様の理由から、HFC-32を移充填前の供給用容器において目標組成より多く充填することが好ましく、供給先の容器及び機器内でのHFC-32/HFO-1234yf混合冷媒の組成変化を、移充填が完了するまで、目標組成の±1.5重量％の許容範囲に収める混合冷媒の充填方法では、HFC-32/HFO-1234yf混合冷媒中のHFC-32の液相混合比の上限値は、HFC-32の目標組成+1.5重量％である。【０２０５】
また、HFC-32が90重量％含まれる場合、組成変化が小さいことから、HFC-32の初期組成が、目標組成（90重量％）に対して、-1.0重量％程度であったとしても、移充填が完了するまで、HFC-32の液相混合比を目標組成±1.5重量％に収めることができる。【０２０６】
（2-5）HFC-32の目標組成(x)の±1.0重量％の範囲に収める充填方法
設定公差（±a）が「±1.0」であるときを説明する。【０２０７】
本発明の混合冷媒の充填方法は、HFC-32及びHFO-1234yfを含み、HFC-32及びHFO-1234yfの合計100重量%に対し液相においてHFC-32が10〜18重量％又は60〜90重量％の量で存在する混合冷媒を、供給用容器に最大充填量の70重量%以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.0重量％の範囲に収めるため、移充填直前の、当該供給用容器内の前記混合冷媒のHFC-32の液相混合比（初期組成）を、x+yH〜x+1.0重量％にすることが好ましい。a=1.0の場合、18＜x＜60ではyH＞aとなってしまうため、xの範囲は10〜18重量％又は60〜90重量％となる。【０２０８】
（前記xは、上記の同じである。yHは、初期組成における目標組成とのずれの下限値で、次の式(10)で表される値である。【０２０９】
1000yH = 0.0151 x3 - 3.2439 x2+ 178.32x - 1263.0      (10)）
本発明は、上記式(10)から、HFC-32/HFO-1234yf混合冷媒を、供給用容器より供給先の容器及び機器へ移充填する際に、移充填する前の供給用容器内のHFC-32の液相混合比を、x-0.5重量％程度〜x+1.0重量％にすることで、供給先の容器及び機器内での組成変化を、移充填が完了するまで、目標組成の±1.0重量%の許容範囲に収める事ができる混合冷媒の充填方法である。【０２１０】
上記理由と同様の理由から、HFC-32を移充填前の供給用容器において目標組成より多く充填することが好ましく、供給先の容器及び機器内でのHFC-32/HFO-1234yf混合冷媒の組成変化を、移充填が完了するまで、目標組成の±1.0重量％の許容範囲に収める混合冷媒の充填方法では、HFC-32/HFO-1234yf混合冷媒中のHFC-32混合比の上限値は、HFC-32の目標組成+1.0重量％である。【０２１１】
また、HFC-32が90重量％含まれる場合、組成変化が小さいことから、HFC-32の初期組成が、目標組成（90重量％）に対して、-0.5重量％程度であったとしても、移充填が完了するまで、HFC-32の液相混合比を目標組成±1.0重量％に収めることができる。【０２１２】
（2-6）HFC-32及びHFO-1234yfを含む非共沸混合冷媒の充填方法
HFC-32及びHFO-1234yfからなる非共沸混合冷媒の充填量が最大充填量の70重量％以下の時の、充填方法である本発明の概念を以下に示す。【０２１３】
【化２】
2014038604.tif 000003
【０２１４】
上記式(6)は、上記式(7)〜(10)から導き出すことができる。上記式(7)〜(10)の各係数の値を基に、目標組成(x)から、設定交差（a）に対して式(6)におけるL2〜P2を導き出すことができる。【０２１５】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器に最大充填量の70重量%以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の設定公差内（±a重量％）に収めるため、移充填直前の、前記供給用容器内の前記混合冷媒のHFC-32の液相混合比（初期組成）を、x+y2(最小値)〜x+a(最大値)重量％にすることができる。【０２１６】
ここで、前記本発明の概念の通り、a=1.0の場合、18＜x＜60ではyH＞aとなってしまうため、xの範囲は10〜18重量％又は60〜90重量％となる。【０２１７】
±ａ：設定公差（a≧0）
x：目標組成である（10≦x≦90、ただしy2＞aとなる範囲を除く）。【０２１８】
y2：初期組成における目標組成とのずれの下限値で、次の式(6)で表される値である。【０２１９】
1000y2 = L2x3 + M2x2+ N2x + P        (6)
L2 = -0.0016a + 0.0169
M2 = -0.1765a + 3.4316
N2 = -1.87a + 180.08
P2 = 1119.5a + 148.9      【０２２０】
（３）容器への混合冷媒の充填量が、1.05を45℃における当該ガスの比重で除した値を充填定数として算出した充填量である場合の充填方法
容器への混合冷媒の充填量が、1.05を45℃における当該ガスの比重で除した値を充填定数として算出した充填量以下（つまり最大充填量の100重量%以下）である場合において、供給用容器より供給先の容器及び機器へ混合冷媒を移充填する際の、移充填する前の供給用容器内の混合冷媒の混合比について説明する。【０２２１】
（3-1）HFC-32の目標組成(x)の±a重量％の範囲に収める充填方法
容器への混合冷媒の充填量が最大充填量の100重量％以下の場合の、本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の設定公差内（±a重量％）に収めるため、移充填直前の、前記供給用容器内の前記混合冷媒のHFC-32の液相混合比（初期組成）を、x+y3 (最小値)〜x+a(最大値)重量％にすることを特徴とする。【０２２２】
±a：設定公差（a≧0）
x：目標組成である（10≦x≦90、ただしy3＞aとなる範囲を除く）。【０２２３】
y3：初期組成における目標組成とのずれの下限値で、次の式(11)で表される値である。【０２２４】
1000y3 = L3x3 + M3x2+ N3x + P3        (11)
L3 = 0.0003a + 0.0172
M3 = 0.0962a+ 3.6851
N3 = 9.704a + 196.9
P3 = 1241.2a - 93.54
前記「±a」（設定公差）は、HFC-32の目標組成(x)を基準値とする場合の、許容される範囲の最大値及び最小値との差を意味する。これは、目標組成との許容される「ずれ」を意味する。【０２２５】
本発明の混合冷媒の充填方法によれば、供給用容器の混合冷媒の充填量が最大充填量の100重量％であっても、移充填する前の、供給用容器内のHFC-32の液相混合比を特定の範囲に設定することで、供給先の容器及び機器内での組成変化を、移充填が完了するまで、目標組成の±a重量％の許容範囲に収める事ができる。【０２２６】
HFC-32の「目標組成」は、供給先の容器・機器において求められる、HFC-32/HFO-1234yf混合冷媒の全体組成（液相＋気相）におけるHFC-32濃度である。【０２２７】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。また、前期aの値は、通常0.5≦a≦3.0の範囲に設定される。【０２２８】
以下、移充填方法は、一例として移充填時の取扱い温度が40℃のときを示す。例えば日本の高圧ガス保安法等においては、40℃以上での容器の取り扱いを禁じていることから、移充填時の取扱い温度は基本的に0〜40℃である。そして、移充填時（取扱い時）の温度が高いほど、移充填による組成変化が大きくなるので、取扱い温度40℃時のときの移充填の条件を応用することで、取扱い0〜40℃についても適用可能である。【０２２９】
（3-2）HFC-32の目標組成(x)の±2.5重量％の範囲に収める充填方法
設定公差（±a）が「±2.5」であるときを説明する。【０２３０】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より供給先の容器及び機器へ液で移充填する際に、移充填開始から完了までの、前記供給用容器内の前記混合冷媒中のHFC-32の液相混合比を、HFC-32の目標組成(x)の±2.5重量％の範囲に収めるため、移充填直前の、当該供給用容器内の前記混合冷媒のHFC-32の液相混合比（初期組成）を、x+yI〜x+2.5重量％にすることが好ましい。【０２３１】
（前記xは、目標組成である（但し、10≦x≦90を満たす）。yIは、初期組成における目標組成とのずれの下限値で、次の式(12)で表される値である。【０２３２】
1000yI = 0.0181x3- 3.9611x2 + 223.10x - 3040.4        (12)）【０２３３】
本発明は、上記式(12)から、HFC-32/HFO-1234yf混合冷媒を、供給用容器より供給先の容器及び機器へ移充填する際に、移充填する前の供給用容器内のHFC-32の液相混合比を、x-1.8重量％〜x+2.5重量％にすることで、供給先の容器及び機器内での組成変化を、移充填が完了するまで、目標組成の±2.5重量％の許容範囲に収める事ができる。【０２３４】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±2.5重量％の許容範囲に収める混合冷媒の充填方法では、HFC-32/HFO-1234yf混合冷媒中のHFC-32の液相混合比の上限値は、HFC-32の目標組成+2.5重量％である。【０２３５】
また、HFC-32が90重量％含まれる場合、組成変化が小さいことから、HFC-32の初期組成が、目標組成（90重量％）に対して、-1.8重量％程度であったとしても、移充填が完了するまで、HFC-32の液相混合比を目標組成±2.5重量％に収めることができる。【０２３６】
（3-3）HFC-32の目標組成(x)の±2.0重量％の範囲に収める充填方法
設定公差（±a）が「±2.0」であるときを説明する。【０２３７】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の±2.0重量％の範囲に収めるため、移充填直前の、当該供給用容器内の前記混合冷媒のHFC-32の液相混合比（初期組成）を、x+yJ〜x+2.0重量％にすることが好ましい。【０２３８】
（前記xは、目標組成である（但し、10≦x≦90を満たす）。yJは、初期組成における目標組成とのずれの下限値で、次の式(13)で表される値である。【０２３９】
1000yJ = 0.0177x3- 3.8614x2 + 215.42x - 2373.5       (13)）【０２４０】
本発明は、上記式(13)から、HFC-32/HFO-1234yf混合冷媒を、供給用容器より供給先の容器及び機器へ移充填する際に、移充填する前の供給用容器内のHFC-32の液相混合比を、x-1.3重量％程度〜x+2.0重量％にすることで、供給先の容器及び機器内での組成変化を、移充填が完了するまで、目標組成の±2.0重量％の許容範囲に収める事ができる。【０２４１】
上記理由と同様の理由から、HFC-32を移充填前の供給用容器において目標組成より多く充填することが好ましく、供給先の容器及び機器内でのHFC-32/HFO-1234yf混合冷媒の組成変化を、移充填が完了するまで、目標組成の±2.0重量％の許容範囲に収める混合冷媒の充填方法では、HFC-32/HFO-1234yf混合冷媒中のHFC-32の液相混合比の上限値は、HFC-32の目標組成+2.0重量％である。【０２４２】
また、HFC-32が90重量％含まれる場合、組成変化が小さいことから、HFC-32の初期組成が、目標組成（90重量％）に対して、-1.3重量％程度であったとしても、移充填が完了するまで、HFC-32の液相混合比を目標組成±2.0重量％に収めることができる。【０２４３】
（3-4）HFC-32の目標組成(x)の±1.5重量％の範囲に収める充填方法
設定公差（±a）が「±1.5」であるときを説明する。【０２４４】
本発明の混合冷媒の充填方法は、HFC-32及びHFO-1234yfを含み、HFC-32及びHFO-1234yfの合計100重量%に対し液相においてHFC-32が10〜26.5重量％又は47.5〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の±1.5重量％の範囲に収めるため、移充填直前の、当該供給用容器内の前記混合冷媒のHFC-32の液相混合比（初期組成）を、x+yK〜x+1.5重量％にすることが好ましい。a=1.5の場合、26.5＜x＜47.5ではyK＞aとなってしまうため、xの範囲は10〜26.5重量％又は47.5〜90重量％となる。【０２４５】
（前記xは、目標組成である。yKは、初期組成における目標組成とのずれの下限値で、次の式(14)で表される値である。【０２４６】
1000yK = 0.0172x3- 3.7549x2 + 207.43x - 1705.9   (14)）【０２４７】
本発明は、上記式(14)から、HFC-32/HFO-1234yf混合冷媒を、供給用容器より供給先の容器及び機器へ移充填する際に、移充填する前の供給用容器内のHFC-32の液相混合比を、x-0.9重量％程度〜x+1.5重量％にすることで、供給先の容器及び機器内での組成変化を、移充填が完了するまで、目標組成の±1.5重量%の許容範囲に収める事ができる混合冷媒の充填方法である。【０２４８】
上記理由と同様の理由から、HFC-32を移充填前の供給用容器において目標組成より多く充填することが好ましく、供給先の容器及び機器内でのHFC-32/HFO-1234yf混合冷媒の組成変化を、移充填が完了するまで、目標組成の±1.5重量％の許容範囲に収める混合冷媒の充填方法では、HFC-32/HFO-1234yf混合冷媒中のHFC-32の液相混合比の上限値は、HFC-32の目標組成+1.5重量％である。【０２４９】
また、HFC-32が90重量％含まれる場合、組成変化が小さいことから、HFC-32の初期組成が、目標組成（90重量％）に対して、-0.9重量％程度であったとしても、移充填が完了するまで、HFC-32の液相混合比を目標組成±1.5重量％に収めることができる。【０２５０】
（3-5）HFC-32の目標組成(x)の±1.0重量％の範囲に収める充填方法
設定公差（±a）が「±1.0」であるときを説明する。【０２５１】
本発明の混合冷媒の充填方法は、HFC-32及びHFO-1234yfを含み、HFC-32及びHFO-1234yfの合計100重量%に対し液相においてHFC-32が10〜13.5重量％又は67〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の±1.0重量％の範囲に収めるため、移充填直前の、当該供給用容器内の前記混合冷媒のHFC-32の液相混合比（初期組成）を、x+yL〜x+1.0重量％にすることが好ましい。a=1.0の場合、13.5＜x＜67ではyL＞aとなってしまうため、xの範囲は10〜13.5重量％又は67〜90重量％となる。【０２５２】
（前記xは、目標組成である（但し、10≦x≦13.5又は67≦x≦90を満たす）。yLは、初期組成における目標組成とのずれの下限値で、次の式(5)で表される値である。【０２５３】
1000yL = 0.0178x3 - 3.8363x2+ 209.59x - 1194.3       (15)）【０２５４】
本発明は、上記式(15)から、HFC-32/HFO-1234yf混合冷媒を、供給用容器より供給先の容器及び機器へ移充填する際に、移充填する前の供給用容器内のHFC-32の液相混合比を、x-0.4重量％程度〜x+1.0重量％にすることで、供給先の容器及び機器内での組成変化を、移充填が完了するまで、目標組成の±1.0重量%の許容範囲に収める事ができる混合冷媒の充填方法である。【０２５５】
上記理由と同様の理由から、HFC-32を移充填前の供給用容器において目標組成より多く充填することが好ましく、供給先の容器及び機器内でのHFC-32/HFO-1234yf混合冷媒の組成変化を、移充填が完了するまで、目標組成の±1.0重量％の許容範囲に収める混合冷媒の充填方法では、HFC-32/HFO-1234yf混合冷媒中のHFC-32混合比の上限値は、HFC-32の目標組成+1.0重量％である。【０２５６】
また、HFC-32が90重量％含まれる場合、組成変化が小さいことから、HFC-32の初期組成が、目標組成（90重量％）に対して、-0.4重量％程度であったとしても、移充填が完了するまで、HFC-32の液相混合比を目標組成±1.0重量％に収めることができる。【０２５７】
（3-6）HFC-32及びHFO-1234yfを含む非共沸混合冷媒の充填方法
HFC-32及びHFO-1234yfからなる非共沸混合冷媒の充填量が最大充填量の100重量％以下の時の、充填方法である本発明の概念を以下に示す。【０２５８】
【化３】
2014038604.tif 000004
【０２５９】
上記式(11)は、上記式(12)〜(15)から導き出すことができる。上記式(12)〜(15)の各係数の値を基に、目標組成(x)から、設定交差（a）に対して式(11)のL3〜P3を導き出すことができる。【０２６０】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より供給先の容器及び機器へ液で移充填する際に、移充填開始から完了までの、前記供給用容器内の前記混合冷媒中のHFC-32の液相混合比を、HFC-32の目標組成(x)の設定公差内（±a重量％）に収めるため、移充填直前の、前記供給用容器内の前記混合冷媒のHFC-32の液相混合比（初期組成）を、x+y3 (最小値)〜x+a(最大値)重量％にすることを特徴とする。【０２６１】
ここで、前記本発明の概念の通り、a=1.5の場合、26.5＜x＜47.5ではyK＞aとなってしまうため、xの範囲は10〜26.5重量％又は47.5〜90重量％となる。また、a=1.0の場合、13.5＜x＜67ではyL＞aとなってしまうため、xの範囲は10〜13.5重量％又は67〜90重量％となる。【０２６２】
±a：設定公差（a≧0）
x：目標組成である（10≦x≦90、ただしy3＞aとなる範囲を除く）。【０２６３】
y3：初期組成における目標組成とのずれの下限値で、次の式(11)で表される値である。【０２６４】
1000y3 = L3x3 + M3x2+ N3x + P3        (11)
L3 = 0.0003a + 0.0172
M3 = 0.0962a+ 3.6851
N3 = 9.704a + 196.9
P3 = 1241.2a - 93.54【０２６５】
（４）容器への混合冷媒の充填量が1.05を45℃における当該ガスの比重で除した値を充填定数として算出した充填量より少なく、1.05を65℃における当該ガスの比重で除した値を充填定数として算出し、最大充填量の70重量％より大きい時の充填方法
HFC-32/HFO-1234yf混合冷媒を、供給用容器より供給先の容器及び機器へ移充填する際に、供給用容器の初期充填量が少ない方が、移充填開始から完了までの、前記供給用容器内の前記混合冷媒中のHFC-32の液相混合比の組成変化は小さくなる。【０２６６】
HFC-32/HFO-1234yf混合冷媒の移充填において、容器への混合冷媒の初期充填量が最大充填量の70重量％未満である混合冷媒を移充填することは製品上考えにくい。そのため、移充填時の取扱い充填量は、最大充填量の100〜70重量％であると考えられる。つまり、前記混合冷媒の充填量が、1.05を45℃における当該ガスの比重で除した値を充填定数として算出し、最大充填量の100重量％のときの移充填の条件と、1.05を65℃における当該ガスの比重で除した値を充填定数として算出し、最大充填量の70重量％のときの移充填の条件とを応用することで、その間の範囲の充填量についても適用可能である。【０２６７】
［２］設定公差毎の充填方法
容器への混合冷媒の充填を最大（充填量100重量％）とする場合の、供給用容器より、供給先の容器及び機器へ、混合冷媒を移充填する際に、移充填する前の供給用容器内の混合冷媒の混合比について説明する。【０２６８】
前記充填量100重量％とは、輸送に関する国際法や日本の高圧ガス保安法で定められている、容器に充填できる最大の充填量のことを示す。日本の高圧ガス保安法では以下の様に算出する。
・G = V/C
・G：フルオロカーボンの質量（kg）
・V：容器の内容積（L）
・C：フルオロカーボンの種類による定数
この際の充填定数Cは日本国内では、1.05を48℃における当該ガスの比重で除した値と定められている。また、この充填定数Cは、輸出を伴う際は国際法により、熱帯地方を通過する際は、1.05を65℃における当該ガスの比重で除した値、熱帯以外のその他の地方のみでは、1.05を45℃における当該ガスの比重で除した値と定められている。【０２６９】
HFC-32/HFO-1234yf混合冷媒を、供給用容器より供給先の容器及び機器へ移充填する際に、供給用容器の初期充填量が少ない方が、移充填開始から完了までの、前記供給用容器内の前記混合冷媒中のHFC-32の液相混合比の組成変化は小さくなる。【０２７０】
以下、1.05を45℃における当該ガスの比重で除した値、を充填定数として採用し、算出した値を充填量100%としている。【０２７１】
（１）設定公差（±a）が±2.0重量％である場合の充填方法
供給用容器より供給先の容器及び機器へ混合冷媒を移充填する時に、移充填開始から完了までの、供給用容器内の混合冷媒中のHFC-32の液相混合比を、HFC-32の目標組成(x)の±2.0重量％の範囲に収めるための、移充填する前の供給用容器内の混合冷媒の混合比について説明する。【０２７２】
前記「設定公差」（±a）は、HFC-32の目標組成(x)を基準値とする場合の、許容される範囲の最大値及び最小値との差を意味する。これは、目標組成との許容される「ずれ」を意味する。【０２７３】
HFC-32の「目標組成」は、供給先の容器・機器において求められる、HFC-32/HFO-1234yf混合冷媒の全体組成（液相＋気相）におけるHFC-32濃度である。【０２７４】
（1-1）HFC-32の目標組成(x)の±2.0重量％の範囲に収める充填方法
容器への混合冷媒の充填量が適宜調節される場合の、本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の±2.0重量％の範囲に収めるため、移充填直前の、前記供給用容器内の前記混合冷媒のHFC-32の液相混合比（初期組成）を、x+y4 (最小値)〜x+2.0重量％(最大値)にすることを特徴とする。【０２７５】
b：供給用容器における初期充填量（重量%）
x：目標組成である（10≦x≦90、ただしy4＞2となる範囲を除く）。【０２７６】
y4：初期組成における目標組成とのずれの下限値で、次の式(16)で表される値である。【０２７７】
1000y4 = L4x3 + M4x2+ N4x + P4        (16)
L4 = 0.0001b + 0.0081
M4 = 0.0195b + 1.958
N4 = 0.9878b + 118.91
P4 = -0.176b + 2408.7【０２７８】
本発明の混合冷媒の充填方法によれば、供給用容器の混合冷媒の充填量が100％であっても、移充填する前の、供給用容器内のHFC-32の液相混合比を特定の範囲に設定することで、供給先の容器及び機器内での組成変化を、移充填が完了するまで、目標組成の±2.0重量％の許容範囲に収める事ができる。【０２７９】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。【０２８０】
また、前記bの値は、通常60≦b≦100の範囲に設定される。【０２８１】
以下、移充填方法は、一例として移充填時の取扱い温度が40℃のときを示す。例えば日本の高圧ガス保安法においては、40℃以上での容器の取り扱いを禁じていることから、特に日本における移充填時の取扱い温度は0〜40℃である。そして、移充填時（取扱い時）の温度が高いほど、供給用容器より、供給先の容器及び機器へ液で移充填する際に、移充填開始から完了までの、移充填による組成変化が大きくなる。よって、取扱い温度40℃時のときの移充填の条件を応用することで、取扱い温度0〜40℃についても適用可能である。【０２８２】
また、供給用容器における充填量に関しても、初期充填量が少ないほど、供給用容器より、供給先の容器及び機器へ液で移充填する際に、移充填開始から完了までの、移充填による組成変化の幅が小さくなる。よって、初期充填量がb重量%である充填方法を満たす数式は、初期充填量がb重量%以下である充填方法においても満たされる。例えば、初期充填量が100重量%である充填方法を満たす数式は、初期充填量が100〜0重量%である充填方法においても満たされる。初期充填量が90重量%である充填方法を満たす数式は、初期充填量が90〜0重量%である充填方法においても満たされる。初期充填量が80重量%である充填方法を満たす数式は、初期充填量が80〜0重量%である充填方法においても満たされる。初期充填量が70重量%である充填方法を満たす数式は、初期充填量が70〜0重量%である充填方法においても満たされる。初期充填量が60重量%である充填方法を満たす数式は、初期充填量が60〜0重量%である充填方法においても満たされる。【０２８３】
（1-2）容器への混合冷媒の充填量が最大充填量の100重量%の場合の充填方法
容器への混合冷媒の充填量が最大充填量の100重量%であって、HFC-32の目標組成(x)の±2.0重量％の範囲に収めるときを説明する。【０２８４】
本発明の混合冷媒の充填方法は、HFC-32及びHFO-1234yf を含み、HFC-32及びHFO-1234yf の合計100重量%に対し液相においてHFC-32が10〜90重量％の量で存在する混合冷媒を、供給用容器に最大充填量の100重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±2.0重量％の範囲に収めるため、移充填直前の、前記供給用容器内の前記混合冷媒のHFC-32の液相混合比（初期組成）を、x+yP1〜x+2.0重量％にすることが好ましい。【０２８５】
（前記xは、目標組成である（但し、10≦x≦90を満たす）。yP1は、初期組成における目標組成とのずれの下限値で、次の式(17)で表される値である。【０２８６】
1000yP1 = 0.0177x3 - 3.8614x2 + 215.42x - 2373.5       (17)）【０２８７】
本発明は、上記式(17)から、HFC-32/HFO-1234yf混合冷媒を、供給用容器より供給先の容器及び機器へ移充填する際に、移充填する前の供給用容器内のHFC-32の液相混合比を、x-1.3重量％程度〜x+2.0重量％にすることで、供給先の容器及び機器内での組成変化を、移充填が完了するまで、目標組成の±2.0重量％の許容範囲に収める事ができる。【０２８８】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±2.0重量％の許容範囲に収める混合冷媒の充填方法では、HFC-32/HFO-1234yf混合冷媒中のHFC-32の液相混合比の上限値は、HFC-32の目標組成+2.0重量％である。【０２８９】
また、HFC-32が90重量％含まれる場合、組成変化が小さいことから、HFC-32の初期組成が、目標組成（90重量％）に対して、-1.3重量％程度であったとしても、移充填が完了するまで、HFC-32の液相混合比を目標組成±2.0重量％に収めることができる。【０２９０】
（1-3）容器への混合冷媒の充填量が最大充填量の90重量%の場合の充填方法
容器への混合冷媒の充填量が最大充填量の90重量%であって、HFC-32の目標組成(x)の±2.0重量％の範囲に収めるときを説明する。【０２９１】
本発明の混合冷媒の充填方法は、HFC-32及びHFO-1234yf を含み、HFC-32及びHFO-1234yf の合計100重量%に対し液相においてHFC-32が10〜90重量％の量で存在する混合冷媒を、供給用容器に最大充填量の90重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±2.0重量％の範囲に収めるため、移充填直前の、前記供給用容器内の前記混合冷媒のHFC-32の液相混合比（初期組成）を、x+yP2〜x+2.0重量％にすることが好ましい。【０２９２】
（前記xは、目標組成である（但し、10≦x≦90を満たす）。yP2は、初期組成における目標組成とのずれの下限値で、次の式(18)で表される値である。【０２９３】
1000yP2 = 0.0172x3 - 3.7532x2 + 210.1x - 2419.3       (18)）【０２９４】
本発明は、上記式(18)から、HFC-32/HFO-1234yf混合冷媒を、供給用容器より供給先の容器及び機器へ移充填する際に、移充填する前の供給用容器内のHFC-32の液相混合比を、x-1.3重量％程度〜x+2.0重量％にすることで、供給先の容器及び機器内での組成変化を、移充填が完了するまで、目標組成の±2.0重量％の許容範囲に収める事ができる。【０２９５】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±2.0重量％の許容範囲に収める混合冷媒の充填方法では、HFC-32/HFO-1234yf混合冷媒中のHFC-32の液相混合比の上限値は、HFC-32の目標組成+2.0重量％である。【０２９６】
また、HFC-32が90重量％含まれる場合、組成変化が小さいことから、HFC-32の初期組成が、目標組成（90重量％）に対して、-1.3重量％程度であったとしても、移充填が完了するまで、HFC-32の液相混合比を目標組成±2.0重量％に収めることができる。【０２９７】
（1-4）容器への混合冷媒の充填量が最大充填量の80重量%の場合の充填方法
容器への混合冷媒の充填量が最大充填量の80重量%であって、HFC-32の目標組成(x)の±2.0重量％の範囲に収めるときを説明する。【０２９８】
本発明の混合冷媒の充填方法は、HFC-32及びHFO-1234yfを含み、HFC-32及びHFO-1234yf の合計100重量%に対し液相においてHFC-32が10〜90重量％の量で存在する混合冷媒を、供給用容器に最大充填量の80重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±2.0重量％の範囲に収めるため、移充填直前の、前記供給用容器内の前記混合冷媒のHFC-32の液相混合比（初期組成）を、x+yP3〜x+2.0重量％にすることが好ましい。【０２９９】
（前記xは、目標組成である（但し、10≦x≦90を満たす）。yP3は、初期組成における目標組成とのずれの下限値で、次の式(19)で表される値である。【０３００】
1000yP3 = 0.0160x3 - 3.5202x2 + 198.2x - 2382.2       (19)）【０３０１】
本発明は、上記式(19)から、HFC-32/HFO-1234yf混合冷媒を、供給用容器より供給先の容器及び機器へ移充填する際に、移充填する前の供給用容器内のHFC-32の液相混合比を、x-1.4重量％程度〜x+2.0重量％にすることで、供給先の容器及び機器内での組成変化を、移充填が完了するまで、目標組成の±2.0重量％の許容範囲に収める事ができる。【０３０２】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±2.0重量％の許容範囲に収める混合冷媒の充填方法では、HFC-32/HFO-1234yf混合冷媒中のHFC-32の液相混合比の上限値は、HFC-32の目標組成+2.0重量％である。【０３０３】
また、HFC-32が90重量％含まれる場合、組成変化が小さいことから、HFC-32の初期組成が、目標組成（90重量％）に対して、-1.4重量％程度であったとしても、移充填が完了するまで、HFC-32の液相混合比を目標組成±2.0重量％に収めることができる。【０３０４】
（1-5）容器への混合冷媒の充填量が最大充填量の70重量%の場合の充填方法
容器への混合冷媒の充填量が最大充填量の70重量%であって、HFC-32の目標組成(x)の±2.0重量％の範囲に収めるときを説明する。【０３０５】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器に最大充填量の70重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±2.0重量％の範囲に収めるため、移充填直前の、前記供給用容器内の前記混合冷媒のHFC-32の液相混合比（初期組成）を、x+yP4〜x+2.0重量％にすることが好ましい。【０３０６】
（前記xは、目標組成である（但し、10≦x≦90を満たす）。yP4は、初期組成における目標組成とのずれの下限値で、次の式(20)で表される値である。【０３０７】
1000yP4 = 0.0152x3 - 3.3513x2 + 189.76x - 2412.5       (20)）【０３０８】
本発明は、上記式(20)から、HFC-32/HFO-1234yf混合冷媒を、供給用容器より供給先の容器及び機器へ移充填する際に、移充填する前の供給用容器内のHFC-32の液相混合比を、x-1.4重量％程度〜x+2.0重量％にすることで、供給先の容器及び機器内での組成変化を、移充填が完了するまで、目標組成の±2.0重量％の許容範囲に収める事ができる。【０３０９】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±2.0重量％の許容範囲に収める混合冷媒の充填方法では、HFC-32/HFO-1234yf混合冷媒中のHFC-32の液相混合比の上限値は、HFC-32の目標組成+2.0重量％である。【０３１０】
また、HFC-32が90重量％含まれる場合、組成変化が小さいことから、HFC-32の初期組成が、目標組成（90重量％）に対して、-1.4重量％程度であったとしても、移充填が完了するまで、HFC-32の液相混合比を目標組成±2.0重量％に収めることができる。【０３１１】
（1-6）容器への混合冷媒の充填量が最大充填量の60重量%の場合の充填方法
容器への混合冷媒の充填量が最大充填量の60重量%であって、HFC-32の目標組成(x)の±2.0重量％の範囲に収めるときを説明する。【０３１２】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器に最大充填量の60重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±2.0重量％の範囲に収めるため、移充填直前の、前記供給用容器内の前記混合冷媒のHFC-32の液相混合比（初期組成）を、x+yP5〜x+2.0重量％にすることが好ましい。【０３１３】
（前記xは、目標組成である（但し、10≦x≦90を満たす）。yP5は、初期組成における目標組成とのずれの下限値で、次の式(21)で表される値である。【０３１４】
1000yP5 = 0.0138x3 - 3.0892x2 + 176.2x - 2385.7       (21)）【０３１５】
本発明は、上記式(21)から、HFC-32/HFO-1234yf混合冷媒を、供給用容器より供給先の容器及び機器へ移充填する際に、移充填する前の供給用容器内のHFC-32の液相混合比を、x-1.4重量％程度〜x+2.0重量％にすることで、供給先の容器及び機器内での組成変化を、移充填が完了するまで、目標組成の±2.0重量％の許容範囲に収める事ができる。【０３１６】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±2.0重量％の許容範囲に収める混合冷媒の充填方法では、HFC-32/HFO-1234yf混合冷媒中のHFC-32の液相混合比の上限値は、HFC-32の目標組成+2.0重量％である。【０３１７】
また、HFC-32が90重量％含まれる場合、組成変化が小さいことから、HFC-32の初期組成が、目標組成（90重量％）に対して、-1.4重量％程度であったとしても、移充填が完了するまで、HFC-32の液相混合比を目標組成±2.0重量％に収めることができる。【０３１８】
（1-7）HFC-32及びHFO-1234yfを含む非共沸混合冷媒の充填方法
HFC-32及びHFO-1234yfからなる非共沸混合冷媒の、HFC-32の目標組成(x)の±2.0重量％の範囲に収める充填方法について説明する。【０３１９】
上記式(16)は、上記式(17)〜(21)から導き出すことができる。上記式(17)〜(21)の各係数の値を基に、目標組成(x)から、初期充填量（b重量%）に対して式(16)のL4〜P4を導き出すことができる。【０３２０】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より供給先の容器及び機器へ液で移充填する際に、移充填開始から完了までの、前記供給用容器内の前記混合冷媒中のHFC-32の液相混合比を、HFC-32の目標組成(x)の設定公差内（±2.0重量％）に収めるため、移充填直前の、前記供給用容器内の前記混合冷媒のHFC-32の液相混合比（初期組成）を、x+ y4 (最小値)〜x+2.0(最大値)重量％にすることを特徴とする。【０３２１】
b：供給用容器における初期充填量（重量%）
x：目標組成である（10≦x≦90、ただしy4＞2となる範囲を除く）。【０３２２】
y4：初期組成における目標組成とのずれの下限値で、次の式(16)で表される値である。【０３２３】
1000y4 = L4x3 + M4x2+ N4x + P4        (16)
L4 = 0.0001b + 0.0081
M4 = 0.0195b + 1.958
N4 = 0.9878b + 118.91
P4 = -0.176b + 2408.7【０３２４】
（２）設定公差（±a）が±1.5重量％である場合の充填方法
供給用容器より供給先の容器及び機器へ混合冷媒を移充填する時に、移充填開始から完了までの、供給用容器内の混合冷媒中のHFC-32の液相混合比を、HFC-32の目標組成(x)の±1.5重量％の範囲に収めるための、移充填する前の供給用容器内の混合冷媒の混合比について説明する。【０３２５】
（2-1）HFC-32の目標組成(x)の±1.5重量％の範囲に収める充填方法
容器への混合冷媒の充填量が適宜調節される場合の、本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の±1.5重量％の範囲に収めるため、移充填直前の、前記供給用容器内の前記混合冷媒のHFC-32の液相混合比（初期組成）を、x+y5 (最小値)〜x+1.5重量％(最大値)にすることを特徴とする。【０３２６】
b：供給用容器における初期充填量（重量%）
x：目標組成である（10≦x≦90、ただしy5＞1.5となる範囲を除く）。【０３２７】
y5：初期組成における目標組成とのずれの下限値で、次の式(22)で表される値である。【０３２８】
1000y5 = L5x3 + M5x2+ N5x + P5        (22)
L5 = 0.00005b + 0.0092
M5 = 0.0171b + 2.1013
N5 = 0.8528b + 125.11
P5 = -2.372b + 1972.3【０３２９】
本発明の混合冷媒の充填方法によれば、供給用容器の混合冷媒の充填量が最大充填量の100重量％であっても、移充填する前の、供給用容器内のHFC-32の液相混合比を特定の範囲に設定することで、供給先の容器及び機器内での組成変化を、移充填が完了するまで、目標組成の±1.5重量％の許容範囲に収める事ができる。【０３３０】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。【０３３１】
また、前記bの値は、通常60≦b≦100の範囲に設定される。【０３３２】
以下、移充填方法は、一例として移充填時の取扱い温度が40℃のときを示す。例えば日本の高圧ガス保安法においては、40℃以上での容器の取り扱いを禁じていることから、特に日本における移充填時の取扱い温度は0〜40℃である。そして、移充填時（取扱い時）の温度が高いほど、移充填による組成変化が大きくなるので、取扱い温度40℃時のときの移充填の条件を応用することで、取扱い温度0〜40℃についても適用可能である。【０３３３】
また、供給用容器における充填量に関しても、初期充填量が少ないほど、供給用容器より、供給先の容器及び機器へ液で移充填する際に、移充填開始から完了までの、移充填による組成変化の幅が小さくなる。よって、初期充填量がb重量%である充填方法を満たす数式は、初期充填量がb重量%以下である充填方法においても満たされる。【０３３４】
（2-2）容器への混合冷媒の充填量が最大充填量の100重量%の場合の充填方法
容器への混合冷媒の充填量が最大充填量の100重量%であって、HFC-32の目標組成(x)の±1.5重量％の範囲に収めるときを説明する。【０３３５】
本発明の混合冷媒の充填方法は、HFC-32及びHFO-1234yf を含み、HFC-32及びHFO-1234yf の合計100重量%に対し液相においてHFC-32が10〜26.5重量％又は47.5〜90重量％の量で存在する混合冷媒を、供給用容器に最大充填量の100重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.5重量％の範囲に収めるため、移充填直前の、前記供給用容器内の前記混合冷媒のHFC-32の液相混合比（初期組成）を、x+yQ1〜x+1.5重量％にすることが好ましい。【０３３６】
（前記xは、目標組成である（但し、10≦x≦26.5又は47.5≦x≦90を満たす）。yQ1は、初期組成における目標組成とのずれの下限値で、次の式(23)で表される値である。【０３３７】
1000yQ1 = 0.0172x3 - 3.7549x2 + 207.43x - 1705.9       (23)）【０３３８】
本発明は、上記式(23)から、HFC-32/HFO-1234yf混合冷媒を、供給用容器より供給先の容器及び機器へ移充填する際に、移充填する前の供給用容器内のHFC-32の液相混合比を、x-0.9重量％程度〜x+1.5重量％にすることで、供給先の容器及び機器内での組成変化を、移充填が完了するまで、目標組成の±1.5重量％の許容範囲に収める事ができる。【０３３９】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±1.5重量％の許容範囲に収める混合冷媒の充填方法では、HFC-32/HFO-1234yf混合冷媒中のHFC-32の液相混合比の上限値は、HFC-32の目標組成+1.5重量％である。【０３４０】
また、HFC-32が90重量％含まれる場合、組成変化が小さいことから、HFC-32の初期組成が、目標組成（90重量％）に対して、-0.9重量％程度であったとしても、移充填が完了するまで、HFC-32の液相混合比を目標組成±1.5重量％に収めることができる。【０３４１】
（2-3）容器への混合冷媒の充填量が最大充填量の90重量%の場合の充填方法
容器への混合冷媒の充填量が最大充填量の90重量%であって、HFC-32の目標組成(x)の±1.5重量％の範囲に収めるときを説明する。【０３４２】
本発明の混合冷媒の充填方法は、HFC-32及びHFO-1234yf を含み、HFC-32及びHFO-1234yf の合計100重量%に対し液相においてHFC-32が10〜30重量％又は44〜90重量％の量で存在する混合冷媒を、供給用容器に最大充填量の90重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.5重量％の範囲に収めるため、移充填直前の、前記供給用容器内の前記混合冷媒のHFC-32の液相混合比（初期組成）を、x+yQ2〜x+1.5重量％にすることが好ましい。【０３４３】
（前記xは、目標組成である（但し、10≦x≦30又は44≦x≦90を満たす）。yQ2は、初期組成における目標組成とのずれの下限値で、次の式(24)で表される値である。【０３４４】
1000yQ2 = 0.0168x3 - 3.6698x2 + 203.75x - 1785.4       (24)）【０３４５】
本発明は、上記式(24)から、HFC-32/HFO-1234yf混合冷媒を、供給用容器より供給先の容器及び機器へ移充填する際に、移充填する前の供給用容器内のHFC-32の液相混合比を、x-0.9重量％程度〜x+1.5重量％にすることで、供給先の容器及び機器内での組成変化を、移充填が完了するまで、目標組成の±1.5重量％の許容範囲に収める事ができる。【０３４６】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±1.5重量％の許容範囲に収める混合冷媒の充填方法では、HFC-32/HFO-1234yf混合冷媒中のHFC-32の液相混合比の上限値は、HFC-32の目標組成+1.5重量％である。【０３４７】
また、HFC-32が90重量％含まれる場合、組成変化が小さいことから、HFC-32の初期組成が、目標組成（90重量％）に対して、-0.9重量％程度であったとしても、移充填が完了するまで、HFC-32の液相混合比を目標組成±1.5重量％に収めることができる。【０３４８】
（2-4）容器への混合冷媒の充填量が最大充填量の80重量%の場合の充填方法
容器への混合冷媒の充填量が最大充填量の80重量%であって、HFC-32の目標組成(x)の±1.5重量％の範囲に収めるときを説明する。【０３４９】
本発明の混合冷媒の充填方法は、HFC-32及びHFO-1234yfを含み、HFC-32及びHFO-1234yf の合計100重量%に対し液相においてHFC-32が10〜90重量％の量で存在する混合冷媒を、供給用容器に最大充填量の80重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.5重量％の範囲に収めるため、移充填直前の、前記供給用容器内の前記混合冷媒のHFC-32の液相混合比（初期組成）を、x+yQ3〜x+1.5重量％にすることが好ましい。【０３５０】
（前記xは、目標組成である（但し、10≦x≦90を満たす）。yQ3は、初期組成における目標組成とのずれの下限値で、次の式(25)で表される値である。【０３５１】
1000yQ3 = 0.0163x3 - 3.5445x2 + 197.22x - 1815.9       (25)）【０３５２】
本発明は、上記式(25)から、HFC-32/HFO-1234yf混合冷媒を、供給用容器より供給先の容器及び機器へ移充填する際に、移充填する前の供給用容器内のHFC-32の液相混合比を、x-0.9重量％程度〜x+1.5重量％にすることで、供給先の容器及び機器内での組成変化を、移充填が完了するまで、目標組成の±1.5重量％の許容範囲に収める事ができる。【０３５３】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±1.5重量％の許容範囲に収める混合冷媒の充填方法では、HFC-32/HFO-1234yf混合冷媒中のHFC-32の液相混合比の上限値は、HFC-32の目標組成+1.5重量％である。【０３５４】
また、HFC-32が90重量％含まれる場合、組成変化が小さいことから、HFC-32の初期組成が、目標組成（90重量％）に対して、-0.9重量％程度であったとしても、移充填が完了するまで、HFC-32の液相混合比を目標組成±1.5重量％に収めることができる。【０３５５】
（2-5）容器への混合冷媒の充填量が最大充填量の70重量%の場合の充填方法
容器への混合冷媒の充填量が最大充填量の70重量%であって、HFC-32の目標組成(x)の±1.5重量％の範囲に収めるときを説明する。【０３５６】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器に最大充填量の70重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.5重量％の範囲に収めるため、移充填直前の、前記供給用容器内の前記混合冷媒のHFC-32の液相混合比（初期組成）を、x+yQ4〜x+1.5重量％にすることが好ましい。【０３５７】
（前記xは、目標組成である（但し、10≦x≦90を満たす）。yQ4は、初期組成における目標組成とのずれの下限値で、次の式(26)で表される値である。【０３５８】
1000yQ4 = 0.0147x3 - 3.2607x2 + 183.21x - 1777.0       (26)）【０３５９】
本発明は、上記式(26)から、HFC-32/HFO-1234yf混合冷媒を、供給用容器より供給先の容器及び機器へ移充填する際に、移充填する前の供給用容器内のHFC-32の液相混合比を、x-0.9重量％程度〜x+1.5重量％にすることで、供給先の容器及び機器内での組成変化を、移充填が完了するまで、目標組成の±1.5重量％の許容範囲に収める事ができる。【０３６０】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±1.5重量％の許容範囲に収める混合冷媒の充填方法では、HFC-32/HFO-1234yf混合冷媒中のHFC-32の液相混合比の上限値は、HFC-32の目標組成+1.5重量％である。【０３６１】
また、HFC-32が90重量％含まれる場合、組成変化が小さいことから、HFC-32の初期組成が、目標組成（90重量％）に対して、-0.9重量％程度であったとしても、移充填が完了するまで、HFC-32の液相混合比を目標組成±1.5重量％に収めることができる。【０３６２】
（2-6）容器への混合冷媒の充填量が最大充填量の60重量%の場合の充填方法
容器への混合冷媒の充填量が最大充填量の60重量%であって、HFC-32の目標組成(x)の±1.5重量％の範囲に収めるときを説明する。【０３６３】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器に最大充填量の60重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.5重量％の範囲に収めるため、移充填直前の、前記供給用容器内の前記混合冷媒のHFC-32の液相混合比（初期組成）を、x+yQ5〜x+1.5重量％にすることが好ましい。【０３６４】
（前記xは、目標組成である（但し、10≦x≦90を満たす）。yQ5は、初期組成における目標組成とのずれの下限値で、次の式(27)で表される値である。【０３６５】
1000yQ5 = 0.0141x3 - 3.1058x2+ 175.06x - 1828.7       (27)）【０３６６】
本発明は、上記式(27)から、HFC-32/HFO-1234yf混合冷媒を、供給用容器より供給先の容器及び機器へ移充填する際に、移充填する前の供給用容器内のHFC-32の液相混合比を、x-0.9重量％程度〜x+1.5重量％にすることで、供給先の容器及び機器内での組成変化を、移充填が完了するまで、目標組成の±1.5重量％の許容範囲に収める事ができる。【０３６７】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±1.5重量％の許容範囲に収める混合冷媒の充填方法では、HFC-32/HFO-1234yf混合冷媒中のHFC-32の液相混合比の上限値は、HFC-32の目標組成+1.5重量％である。【０３６８】
また、HFC-32が90重量％含まれる場合、組成変化が小さいことから、HFC-32の初期組成が、目標組成（90重量％）に対して、-0.9重量％程度であったとしても、移充填が完了するまで、HFC-32の液相混合比を目標組成±1.5重量％に収めることができる。【０３６９】
（2-7）HFC-32及びHFO-1234yfを含む非共沸混合冷媒の充填方法
HFC-32及びHFO-1234yfからなる非共沸混合冷媒の、HFC-32の目標組成(x)の±1.5重量％の範囲に収める充填方法について説明する。【０３７０】
上記式(22)は、上記式(23)〜(27)から導き出すことができる。上記式(23)〜(27)の各係数の値を基に、目標組成(x)から、初期充填量（b重量%）に対して式(22)のL5〜P5を導き出すことができる。【０３７１】
本発明の混合冷媒の充填方法は、HFC-32及びHFO-1234yfを含み、HFC-32及びHFO-1234yfの合計100重量%に対し液相においてHFC-32が10〜90重量％の量で存在する混合冷媒を、供給用容器より供給先の容器及び機器へ液で移充填する際に、移充填開始から完了までの、前記供給用容器内の前記混合冷媒中のHFC-32の液相混合比を、HFC-32の目標組成(x)の設定公差内（±1.5重量％）に収めるため、移充填直前の、前記供給用容器内の前記混合冷媒のHFC-32の液相混合比（初期組成）を、x+ y5 (最小値)〜x+1.5(最大値)重量％にすることを特徴とする。【０３７２】
ここで、前記本発明の概念の通り、設定公差が±1.5の場合、供給用容器に最大充填量の100重量％以下の量で充填されている場合、26.5＜x＜47.5ではyQ1＞1.5となってしまうため、xの範囲は10〜26.5重量％又は47.5〜90重量％となる。設定公差が±1.5の場合、供給用容器に最大充填量の90重量％以下の量で充填されている場合、30＜x＜44ではyQ2＞1.5となってしまうため、xの範囲は10〜30重量％又は44〜90重量％となる。【０３７３】
b：供給用容器における初期充填量（重量%）
x：目標組成である（10≦x≦90、ただしy5＞1.5となる範囲を除く）。【０３７４】
y5：初期組成における目標組成とのずれの下限値で、次の式(22)で表される値である。【０３７５】
1000y5 = L5x3 + M5x2+ N5x + P5        (22)
L5 = 0.00005b + 0.0092
M5 = 0.0171b + 2.1013
N5 = 0.8528b + 125.11
P5 = -2.372b + 1972.3【０３７６】
（３）設定公差（±a）が±1.0重量％である場合の充填方法
供給用容器より供給先の容器及び機器へ混合冷媒を移充填する時に、移充填開始から完了までの、供給用容器内の混合冷媒中のHFC-32の液相混合比を、HFC-32の目標組成(x)の±1.0重量％の範囲に収めるための、移充填する前の供給用容器内の混合冷媒の混合比について説明する。【０３７７】
（3-1）HFC-32の目標組成(x)の±1.0重量％の範囲に収める充填方法
容器への混合冷媒の充填量が適宜調節される場合の、本発明の混合冷媒の充填方法は、HFC-32及びHFO-1234yfを含み、HFC-32及びHFO-1234yfの合計100重量%に対し液相においてHFC-32が10〜18.5重量%又は60〜90重量%の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標組成(x)の±1.0重量％の範囲に収めるため、移充填直前の、前記供給用容器内の前記混合冷媒のHFC-32の液相混合比（初期組成）を、x+y6 (最小値)〜x+1.0重量％(最大値)にすることを特徴とする。【０３７８】
b：供給用容器における初期充填量（重量%）
x：目標組成である（10≦x≦18.5重量%又は60≦x≦90重量%、ただしy6＞1となる範囲を除く）。【０３７９】
y6：初期組成における目標組成とのずれの下限値で、次の式(28)で表される値である。【０３８０】
1000y6 = L6x3 + M6x2+ N6x + P6        (28)
L6 = 0.00009b + 0.0086
M6 = 0.0183b + 2.003
N6 = 0.9237b + 117.29
P6 = -1.055b + 1292.7【０３８１】
本発明の混合冷媒の充填方法によれば、供給用容器の混合冷媒の充填量が最大充填量の100重量％であっても、移充填する前の、供給用容器内のHFC-32の液相混合比を特定の範囲に設定することで、供給先の容器及び機器内での組成変化を、移充填が完了するまで、目標組成の±1.0重量％の許容範囲に収める事ができる。【０３８２】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。【０３８３】
また、前記bの値は、通常60≦b≦100の範囲に設定される。【０３８４】
以下、移充填方法は、一例として移充填時の取扱い温度が40℃のときを示す。例えば日本の高圧ガス保安法においては、40℃以上での容器の取り扱いを禁じていることから、特に日本における移充填時の取扱い温度は0〜40℃である。そして、移充填時（取扱い時）の温度が高いほど、移充填による組成変化が大きくなるので、取扱い温度40℃時のときの移充填の条件を応用することで、取扱い温度0〜40℃についても適用可能である。【０３８５】
また、供給用容器における充填量に関しても、初期充填量が少ないほど、供給用容器より、供給先の容器及び機器へ液で移充填する際に、移充填開始から完了までの、移充填による組成変化の幅が小さくなる。よって、初期充填量がb重量%である充填方法を満たす数式は、初期充填量がb重量%以下である充填方法においても満たされる。【０３８６】
（3-2）容器への混合冷媒の充填量が最大充填量の100重量%の場合の充填方法
容器への混合冷媒の充填量が最大充填量の100重量%であって、HFC-32の目標組成(x)の±1.0重量％の範囲に収めるときを説明する。【０３８７】
本発明の混合冷媒の充填方法は、HFC-32及びHFO-1234yf を含み、HFC-32及びHFO-1234yf の合計100重量%に対し液相においてHFC-32が10〜13.5重量％又は67〜90重量％の量で存在する混合冷媒を、供給用容器に最大充填量の100重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.0重量％の範囲に収めるため、移充填直前の、前記供給用容器内の前記混合冷媒のHFC-32の液相混合比（初期組成）を、x+yR1〜x+1.0重量％にすることが好ましい。【０３８８】
（前記xは、目標組成である（但し、10≦x≦13.5又は67≦x≦90を満たす）。yR1は、初期組成における目標組成とのずれの下限値で、次の式(29)で表される値である。【０３８９】
1000yR1 = 0.0178x3 - 3.8363x2 + 209.59x - 1194.3       (29)）【０３９０】
本発明は、上記式(29)から、HFC-32/HFO-1234yf混合冷媒を、供給用容器より供給先の容器及び機器へ移充填する際に、移充填する前の供給用容器内のHFC-32の液相混合比を、x-0.4重量％程度〜x+1.0重量％にすることで、供給先の容器及び機器内での組成変化を、移充填が完了するまで、目標組成の±1.0重量％の許容範囲に収める事ができる。【０３９１】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±1.0重量％の許容範囲に収める混合冷媒の充填方法では、HFC-32/HFO-1234yf混合冷媒中のHFC-32の液相混合比の上限値は、HFC-32の目標組成+1.0重量％である。【０３９２】
また、HFC-32が90重量％含まれる場合、組成変化が小さいことから、HFC-32の初期組成が、目標組成（90重量％）に対して、-0.4重量％程度であったとしても、移充填が完了するまで、HFC-32の液相混合比を目標組成±1.0重量％に収めることができる。【０３９３】
（3-3）容器への混合冷媒の充填量が最大充填量の90重量%の場合の充填方法
容器への混合冷媒の充填量が最大充填量の90重量%であって、HFC-32の目標組成(x)の±1.0重量％の範囲に収めるときを説明する。【０３９４】
本発明の混合冷媒の充填方法は、HFC-32及びHFO-1234yf を含み、HFC-32及びHFO-1234yf の合計100重量%に対し液相においてHFC-32が10〜14重量％又は66〜90重量％の量で存在する混合冷媒を、供給用容器に最大充填量の90重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.0重量％の範囲に収めるため、移充填直前の、前記供給用容器内の前記混合冷媒のHFC-32の液相混合比（初期組成）を、x+yR2〜x+1.0重量％にすることが好ましい。【０３９５】
（前記xは、目標組成である（但し、10≦x≦14又は66≦x≦90を満たす）。yR2は、初期組成における目標組成とのずれの下限値で、次の式(30)で表される値である。【０３９６】
1000yR2 = 0.0168x3 - 3.6386x2 + 200.20x - 1192.8       (30)）【０３９７】
本発明は、上記式(30)から、HFC-32/HFO-1234yf混合冷媒を、供給用容器より供給先の容器及び機器へ移充填する際に、移充填する前の供給用容器内のHFC-32の液相混合比を、x-0.4重量％程度〜x+1.0重量％にすることで、供給先の容器及び機器内での組成変化を、移充填が完了するまで、目標組成の±1.0重量％の許容範囲に収める事ができる。【０３９８】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±1.0重量％の許容範囲に収める混合冷媒の充填方法では、HFC-32/HFO-1234yf混合冷媒中のHFC-32の液相混合比の上限値は、HFC-32の目標組成+1.0重量％である。【０３９９】
また、HFC-32が90重量％含まれる場合、組成変化が小さいことから、HFC-32の初期組成が、目標組成（90重量％）に対して、-0.4重量％程度であったとしても、移充填が完了するまで、HFC-32の液相混合比を目標組成±1.0重量％に収めることができる。【０４００】
（3-4）容器への混合冷媒の充填量が最大充填量の80重量%の場合の充填方法
容器への混合冷媒の充填量が最大充填量の80重量%であって、HFC-32の目標組成(x)の±1.0重量％の範囲に収めるときを説明する。【０４０１】
本発明の混合冷媒の充填方法は、HFC-32及びHFO-1234yfを含み、HFC-32及びHFO-1234yf の合計100重量%に対し液相においてHFC-32が10〜15.5重量％又は65〜90重量％の量で存在する混合冷媒を、供給用容器に最大充填量の80重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.0重量％の範囲に収めるため、移充填直前の、前記供給用容器内の前記混合冷媒のHFC-32の液相混合比（初期組成）を、x+yR3〜x+1.0重量％にすることが好ましい。【０４０２】
（前記xは、目標組成である（但し、10≦x≦15.5又は65≦x≦90を満たす）。yR3は、初期組成における目標組成とのずれの下限値で、次の式(31)で表される値である。【０４０３】
1000yR3 = 0.0159x3 - 3.4616x2 + 191.19x - 1196.0       (31)）【０４０４】
本発明は、上記式(30)から、HFC-32/HFO-1234yf混合冷媒を、供給用容器より供給先の容器及び機器へ移充填する際に、移充填する前の供給用容器内のHFC-32の液相混合比を、x-0.4重量％程度〜x+1.0重量％にすることで、供給先の容器及び機器内での組成変化を、移充填が完了するまで、目標組成の±1.0重量％の許容範囲に収める事ができる。【０４０５】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±1.0重量％の許容範囲に収める混合冷媒の充填方法では、HFC-32/HFO-1234yf混合冷媒中のHFC-32の液相混合比の上限値は、HFC-32の目標組成+1.0重量％である。【０４０６】
また、HFC-32が90重量％含まれる場合、組成変化が小さいことから、HFC-32の初期組成が、目標組成（90重量％）に対して、-0.4重量％程度であったとしても、移充填が完了するまで、HFC-32の液相混合比を目標組成±1.0重量％に収めることができる。【０４０７】
（3-5）容器への混合冷媒の充填量が最大充填量の70重量%の場合の充填方法
容器への混合冷媒の充填量が最大充填量の70重量%であって、HFC-32の目標組成(x)の±1.0重量％の範囲に収めるときを説明する。【０４０８】
本発明の混合冷媒の充填方法は、HFC-32及びHFO-1234yfを含み、HFC-32及びHFO-1234yfの合計100重量%に対し液相においてHFC-32が10〜16.5重量％又は62.5〜90重量％の量で存在する混合冷媒を、供給用容器に最大充填量の70重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.0重量％の範囲に収めるため、移充填直前の、前記供給用容器内の前記混合冷媒のHFC-32の液相混合比（初期組成）を、x+yR4〜x+1.0重量％にすることが好ましい。【０４０９】
（前記xは、目標組成である（但し、10≦x≦16.5又は62.5≦x≦90を満たす）。yR4は、初期組成における目標組成とのずれの下限値で、次の式(32)で表される値である。【０４１０】
1000yR4 = 0.0150x3 - 3.2938x2 + 182.87x - 1230.1       (32)）【０４１１】
本発明は、上記式(32)から、HFC-32/HFO-1234yf混合冷媒を、供給用容器より供給先の容器及び機器へ移充填する際に、移充填する前の供給用容器内のHFC-32の液相混合比を、x-0.4重量％程度〜x+1.0重量％にすることで、供給先の容器及び機器内での組成変化を、移充填が完了するまで、目標組成の±1.0重量％の許容範囲に収める事ができる。【０４１２】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±1.0重量％の許容範囲に収める混合冷媒の充填方法では、HFC-32/HFO-1234yf混合冷媒中のHFC-32の液相混合比の上限値は、HFC-32の目標組成+1.0重量％である。【０４１３】
また、HFC-32が90重量％含まれる場合、組成変化が小さいことから、HFC-32の初期組成が、目標組成（90重量％）に対して、-0.4重量％程度であったとしても、移充填が完了するまで、HFC-32の液相混合比を目標組成±1.0重量％に収めることができる。【０４１４】
（3-6）容器への混合冷媒の充填量が最大充填量の60重量%の場合の充填方法
容器への混合冷媒の充填量が最大充填量の60重量%であって、HFC-32の目標組成(x)の±1.0重量％の範囲に収めるときを説明する。【０４１５】
本発明の混合冷媒の充填方法は、HFC-32及びHFO-1234yfを含み、HFC-32及びHFO-1234yfの合計100重量%に対し液相においてHFC-32が10〜18.5重量％又は60〜90重量％の量で存在する混合冷媒を、供給用容器に最大充填量の60重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標組成(x)の±1.0重量％の範囲に収めるため、移充填直前の、前記供給用容器内の前記混合冷媒のHFC-32の液相混合比（初期組成）を、x+yR5〜x+1.0重量％にすることが好ましい。【０４１６】
（前記xは、目標組成である（但し、10≦x≦18.5又は60≦x≦90を満たす）。yR5は、初期組成における目標組成とのずれの下限値で、次の式(33)で表される値である。【０４１７】
1000yR5 = 0.0141x3 - 3.0949x2 + 172.07x - 1228.4       (33)）【０４１８】
本発明は、上記式(33)から、HFC-32/HFO-1234yf混合冷媒を、供給用容器より供給先の容器及び機器へ移充填する際に、移充填する前の供給用容器内のHFC-32の液相混合比を、x-0.5重量％程度〜x+1.0重量％にすることで、供給先の容器及び機器内での組成変化を、移充填が完了するまで、目標組成の±1.0重量％の許容範囲に収める事ができる。【０４１９】
HFC-32の沸点がHFO-1234yfに比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234yf混合冷媒の組成変化を、移充填が完了するまで、目標組成の±1.0重量％の許容範囲に収める混合冷媒の充填方法では、HFC-32/HFO-1234yf混合冷媒中のHFC-32の液相混合比の上限値は、HFC-32の目標組成+1.0重量％である。【０４２０】
また、HFC-32が90重量％含まれる場合、組成変化が小さいことから、HFC-32の初期組成が、目標組成（90重量％）に対して、-0.5重量％程度であったとしても、移充填が完了するまで、HFC-32の液相混合比を目標組成±1.0重量％に収めることができる。【０４２１】
（3-7）HFC-32及びHFO-1234yfを含む非共沸混合冷媒の充填方法
HFC-32及びHFO-1234yfからなる非共沸混合冷媒の、HFC-32の目標組成(x)の±1.0重量％の範囲に収める充填方法について説明する。【０４２２】
上記式(28)は、上記式(29)〜(33)から導き出すことができる。上記式(29)〜(33)の各係数の値を基に、目標組成(x)から、初期充填量（b重量%）に対して式(28)のL6〜P6を導き出すことができる。【０４２３】
本発明の混合冷媒の充填方法は、HFC-32及びHFO-1234yfを含み、HFC-32及びHFO-1234yfの合計100重量%に対し液相においてHFC-32が10〜18.5重量%又は60〜90重量%の量で存在する混合冷媒を、供給用容器より供給先の容器及び機器へ液で移充填する際に、移充填開始から完了までの、前記供給用容器内の前記混合冷媒中のHFC-32の液相混合比を、HFC-32の目標組成(x)の設定公差内（±1.0重量％）に収めるため、移充填直前の、前記供給用容器内の前記混合冷媒のHFC-32の液相混合比（初期組成）を、x+ y6 (最小値)〜x+1.0(最大値)重量％にすることを特徴とする。【０４２４】
ここで、前記本発明の概念の通り、設定公差が±1.0の場合、供給用容器に最大充填量の100重量％以下の量で充填されている場合、13.5＜x＜67ではyR1＞1となってしまうため、xの範囲は10〜13.5重量％又は67〜90重量％となる。設定公差が±1.0の場合、供給用容器に最大充填量の90重量％以下の量で充填されている場合、14＜x＜66ではyR2＞1となってしまうため、xの範囲は10〜14重量％又は66〜90重量％となる。設定公差が±1.0の場合、供給用容器に最大充填量の80重量％以下の量で充填されている場合、15.5＜x＜65ではyR3＞1となってしまうため、xの範囲は10〜15.5重量％又は65〜90重量％となる。設定公差が±1.0の場合、供給用容器に最大充填量の70重量％以下の量で充填されている場合、16.5＜x＜62.5ではyR4＞1となってしまうため、xの範囲は10〜16.5重量％又は62.5〜90重量％となる。設定公差が±1.0の場合、供給用容器に最大充填量の60重量％以下の量で充填されている場合、18.5＜x＜60ではyR5＞1となってしまうため、xの範囲は10〜18.5重量％又は60〜90重量％となる。【０４２５】
b：供給用容器における初期充填量（重量%）
x：目標組成である（10≦x≦18.5重量%又は60≦x≦90重量%、ただしy6＞1となる範囲を除く）。【０４２６】
y6：初期組成における目標組成とのずれの下限値で、次の式(28)で表される値である。【０４２７】
1000y6 = L6x3 + M6x2+ N6x + P6        (28)
L6 = 0.00009b + 0.0086
M6 = 0.0183b + 2.003
N6 = 0.9237b + 117.29
P6 = -1.055b + 1292.7【０４２８】
［３］混合冷媒の充填方法の応用
本発明は、特にHFC-32/HFO-1234yf混合冷媒のうちHFC-32：10〜90重量％よりなる混合組成物を対象としているが、本発明の考え方を応用すれば、HFO-1234yfと他の沸点の異なるHFC化合物との非共沸混合物にも適用できる。HFO-1234yfとの非共沸化合物としては、ペンタフルオロエタン(HFC-125)、HFC-152、HFC-143a等のHFC、HFO-1234ze(E)、HFO-1243zf、HFO-1225ye等のHFO、プロパン、CO2等が例として挙げられる。【０４２９】
本発明の供給側容器は、冷媒混合物を貯蔵できる密閉容器であれば特に制限はなく、例えばボンベやローリー、貯槽などが挙げられる。供給側容器の容量が小さく1回の抜き出し量が大きい場合は組成変動の影響を受け易い。【０４３０】
またこの方法は、供給側容器の初期充填量が最大充填量の60〜100重量%であれば、移充填完了まで何回に分けて移充填を行っても良く、また液相を全て移充填せずに途中で移充填を中断したとしても成り立つ。【０４３１】
また、冷媒混合物が移充填される機器としては、蒸気圧縮式冷凍サイクルを利用した装置であればよく、該装置としては、特に制限はなく、例えば冷凍空調機器、冷蔵庫及び給湯機器等が挙げられる。【０４３２】
本発明の方法により製造される蒸気圧縮式冷凍装置は、冷媒と冷凍装置本体からなり、冷凍装置本体については特に制限はなく、公知の冷凍装置本体がそのまま用いられる。【０４３３】
移充填の手段は常法に従えば良く、例えば、圧力差を利用するもの、ポンプ等を用いるものがある。【０４３４】
また、例えば日本の高圧ガス保安法においては、40℃以上での容器の取り扱いを禁じていることから、移充填時の取扱い温度は基本的に0〜40℃である。また、国際法等でも高温での取扱いを避けることが求められている。そして、移充填時（取扱い時）の温度が高いほど、移充填による組成変化が大きくなるので、取扱い温度40℃時のときの移充填の条件を応用することで、取扱い0〜40℃についても適用可能である。
【発明の効果】
【０４３５】
本発明の充填方法により充填を行った場合には、2,3,3,3-テトラフルオロプロペン及びジフルオロメタンからなる非共沸混合冷媒の移充填に伴う組成変化を、許容範囲内に収めることが可能である。
【発明を実施するための形態】
【０４３６】
本発明を実施例に従って説明するが、本発明の要旨を逸脱しない限り、この実施例のみに限定されるものではない。
【０４３７】
（１）参考例１
10Lの密閉容器に、2,3,3,3-テトラフルオロプロペン（HFO-1234yf）及びジフルオロメタン（HFC-32）を40℃で液相がある一定の組成になるように、移充填する直前の組成で充填できる最大充填量を充填し、40℃に保持した。この、最大充填可能量は法で定められており、以下のように算出する。
・G = V/C
・G：フルオロカーボンの質量（kg）
・V：容器の内容積（L）
・C：フルオロカーボンの種類による定数
この際の充填定数Cは日本国内では、1.05を48℃における当該ガスの比重で除した値と定められている。
【０４３８】
また、この充填定数Cは、輸出を伴う際は国際法により、熱帯地方を通過する際は、1.05を65℃における当該ガスの比重で除した値、熱帯以外のその他の地方のみでは、1.05を45℃における当該ガスの比重で除した値と定められている。
【０４３９】
今回は、1.05を45℃又は65℃における当該ガスの比重で除した値、を充填定数として採用した。
【０４４０】
また、移充填時の温度として40℃を選択したのは、日本の高圧ガス保安法において、40℃を超えての容器の取り扱いを禁じていることと、また、国際法等でも高温での取扱いを避けることが求められていること、高温になるほど組成変化が大きくなることから、40℃でのデータが最も条件の悪いケースとして想定されるからである。
【０４４１】
次に、ポンプを使用して液側より徐々に別の空容器に移充填した。液側の抜き出し配管の途中に設けたサンプリングバルブよりガスを一部採取し、成分組成をガスクロマトグラフィーにより分析した。
【０４４２】
表１及び２に、1.05を45℃及び65℃における当該ガスの比重で除した値を充填定数として算出した充填量に充填した場合の、移充填時における参考例１の組成変化の結果を示す。
【０４４３】
45℃
【０４４４】
【表１】
2014038604.tif 000005
【０４４５】
65℃
【０４４６】
【表２】
2014038604.tif 000006
【０４４７】
表１及び２で示す様に、何の対策もせずに移充填を行った場合、移充填元の全ての液が消失した時点（移充填完了時点）で目標組成から最大で3〜4重量％の組成のずれ（組成変化）が生じる。そのため、目標組成で見込んでいた冷凍能力、COP等の冷媒能力が、移充開始時から移充完了時までの間で保証できない。
【０４４８】
表１から、移充填完了時のHFC-32/HFO-1234yf混合冷媒中のHFC-32の濃度は、移充填開始時よりも低いことが分かった。これは、HFC-32の沸点がHFO-1234yfの沸点に比べて低く、移充填時、冷媒が抜き出されて出来た空間に、液相側から蒸発して補充される際に、HFC-32の方が多く蒸発するため、液相のHFC-32濃度が低下することが理由である。そのため、HFC-32を移充填前の供給用容器において目標組成より多く充填することが好ましいことがわかった。また、移充填時の組成変動が最も小さい場合（HFC-32：90重量％）であっても、移充填開始から完了までの組成変動の幅は0.5重量％程度であった。
【０４４９】
（２）充填量が最大充填量の100重量％である時の充填方法
充填量は、1.05を65℃における当該ガスの比重で除した値を充填定数として算出した。
【０４５０】
（2-1）実施例１：初期組成が目標組成の+2.5重量％
10Lの密閉容器に、2,3,3,3-テトラフルオロプロペン（HFO-1234yf）及びジフルオロメタン（HFC-32）を40℃で液相がある一定の組成になるように、移充填する前の組成で充填できる最大充填量（充填量100重量％）を充填し、40℃に保持した。この際、移充填前のHFC-32の液相における初期組成を、目標組成の＋2.5重量％になるように調整した。次に、参考例１と同様に、ポンプを使用して液側より徐々に別の空容器に移充填し、成分組成を分析した。表３に、初期組成+2.5重量％に調製した場合の移充填時における組成変化の結果を示す。
【０４５１】
【表３】
2014038604.tif 000007
【０４５２】
表３で示す様に、移充填前の初期組成を、目標組成＋2.5重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±2.5重量％以内の目標組成とのずれに収める事が出来る。
【０４５３】
また、移充填が完了した時点でのHFC-32組成が、目標組成（x）の-2.5重量％になるような、HFC-32/HFO-1234yfの液相混合冷媒中のHFC-32の移充填前組成を求めた。この時の初期組成における目標組成とのずれの下限値（yA）を表４に示す。
【０４５４】
【表４】
2014038604.tif 000008
【０４５５】
この結果より、HFC-32が90重量％の目標組成において最も組成変動が小さく、HFC-32/HFO-1234yfの液相混合冷媒中のHFC-32の初期組成を目標組成の-1.9重量％であっても、移充填する前から移充填が完了するまで、目標組成に対して±2.5重量％以内の目標組成とのずれに収める事が出来る。
【０４５６】
また、この結果より初期組成における目標組成とのずれの下限値(yA)は、目標組成(x)を用いて以下の式で表すことができる。
【０４５７】
1000yA = 0.0166x3- 3.6757x2 + 208.97x - 3006.3       (2)
よって、HFC-32/HFO-1234yfの液相混合冷媒中のHFC-32の初期組成を目標組成のyA〜2.5重量％にすることで、移充填する前から移充填が完了するまで、目標組成に対して±2.5重量％以内の目標組成とのずれに収める事が出来る。
【０４５８】
（2-2）実施例２：初期組成が目標組成の+2.0重量％
移充填前のHFC-32の液相における初期組成を、目標組成＋2.0重量％になるように調整した以外は、実施例１と同様に分析した。表５に、初期組成+2.0重量％に調製した場合の移充填時における組成変化の結果を示す。
【０４５９】
【表５】
2014038604.tif 000009
【０４６０】
表５で示す様に、移充填前の初期組成を、目標組成＋2.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±2.0重量％以内の目標組成とのずれに収める事が出来る。
【０４６１】
また、移充填が完了した時点でのHFC-32組成が、目標組成（x）の-2.0重量％になるような、HFC-32/HFO-1234yfの液相混合冷媒中のHFC-32の移充填前組成を求めた。この時の初期組成における目標組成とのずれの下限値（yB）を表６に示す。
【０４６２】
【表６】
2014038604.tif 000010
【０４６３】
この結果より、HFC-32が90重量％の目標組成において最も組成変動が小さく、HFC-32/HFO-1234yfの液相混合冷媒中のHFC-32の初期組成を目標組成の-1.4重量％であっても、移充填する前から移充填が完了するまで、目標組成に対して±2.0重量％以内の目標組成とのずれに収める事が出来る。
【０４６４】
また、この結果より初期組成における目標組成とのずれの下限値(yB)は、目標組成(x)を用いて以下の式で表すことができる。
【０４６５】
1000yB = 0.0162x3- 3.5639x2 + 200.60x - 2347.6       (3)
よって、HFC-32/HFO-1234yfの液相混合冷媒中のHFC-32の初期組成を目標組成のyB〜2.0重量％にすることで、移充填する前から移充填が完了するまで、目標組成に対して±2.0重量％以内の目標組成とのずれに収める事が出来る。
【０４６６】
（2-3）実施例３：初期組成が目標組成の+1.5重量％
移充填前のHFC-32の液相における初期組成を、目標組成＋1.5重量％になるように調整した以外は、実施例１と同様に分析した。表７に、初期組成+1.5重量％に調製した場合の移充填時における組成変化の結果を示す。
【０４６７】
【表７】
2014038604.tif 000011
【０４６８】
表７で示す様に、移充填前の初期組成を、目標組成＋1.5重量％になるようにすることで、充填初め（移充填する前）から、液がなくなるまで（移充填が完了するまで）の組成のうち、そのHFC-32組成がHFC-32/HFO-1234yfの液相混合冷媒中に10〜32重量％又は42〜90重量％の範囲であれば、目標組成に対して±1.5重量％以内の目標組成とのずれに収める事が出来る。
【０４６９】
また、移充填が完了した時点でのHFC-32組成が、目標組成（x）の-1.5重量％になるような、HFC-32/HFO-1234yfの液相混合冷媒中のHFC-32の移充填前組成を求めた。この時の初期組成における目標組成とのずれの下限値（yC）を表８に示す。
【０４７０】
【表８】
2014038604.tif 000012
【０４７１】
この結果より、HFC-32が90重量％の目標組成において最も組成変動が小さく、HFC-32/HFO-1234yfの液相混合冷媒中のHFC-32の初期組成を目標組成の-0.9重量％であっても、移充填する前から移充填が完了するまで、目標組成に対して±1.5重量％以内の目標組成とのずれに収める事が出来る。
【０４７２】
また、この結果より初期組成における目標組成とのずれの下限値(yC)は、目標組成(x)を用いて以下の式で表すことができる。
【０４７３】
1000yC = 0.0169x3 - 3.6374x2+ 199.88x - 1760.3       (4)
よって、HFC-32/HFO-1234yfの液相混合冷媒中のHFC-32の初期組成を目標組成のyC〜1.5重量％にすることで、移充填する前から移充填が完了するまで、目標組成に対して±1.5重量％以内の目標組成とのずれに収める事が出来る。
【０４７４】
（2-4）実施例４：初期組成が目標組成の+1.0重量％
移充填前のHFC-32の液相における初期組成を、目標組成＋1.0重量％になるように調整した以外は、実施例１と同様に分析した。表９に、初期組成+1.0重量％に調製した場合の移充填時における組成変化の結果を示す。
【０４７５】
【表９】
2014038604.tif 000013
【０４７６】
表９で示す様に、移充填前の初期組成を、目標組成＋1.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜14重量％又は65〜90重量％の範囲であれば、目標組成に対して±1.0重量％以内の目標組成とのずれに収める事が出来る。
【０４７７】
また、移充填が完了した時点でのHFC-32組成が、目標組成（x）の-1.0重量％になるような、HFC-32/HFO-1234yfの液相混合冷媒中のHFC-32の移充填前組成を求めた。この時の初期組成における目標組成とのずれの下限値（yD）を表１０に示す。
【０４７８】
【表１０】
2014038604.tif 000014
【０４７９】
この結果より、HFC-32が90重量％の目標組成において最も組成変動が小さく、HFC-32/HFO-1234yfの液相混合冷媒中のHFC-32の初期組成を目標組成の-0.5重量％であっても、移充填する前から移充填が完了するまで、目標組成に対して±1.5重量％以内の目標組成とのずれに収める事が出来る。
【０４８０】
また、この結果より初期組成における目標組成とのずれの下限値(yD)は、目標組成(x)を用いて以下の式で表すことができる。
【０４８１】
1000yD = 0.0160x3 - 3.5312x2+ 196.02x - 1210.8       (5)
よって、HFC-32/HFO-1234yfの液相混合冷媒中のHFC-32の初期組成を目標組成のyD〜1.0重量％にすることで、移充填する前から移充填が完了するまで、目標組成に対して±1.0重量％以内の目標組成とのずれに収める事が出来る。
【０４８２】
（３）充填量が最大充填量の70重量％である時の充填方法
充填量は、1.05を65℃における当該ガスの比重で除した値を充填定数として算出した。
【０４８３】
（3-1）実施例５：初期組成が目標組成の+2.5重量％
移充填前のHFC-32の液相における初期組成を、目標組成＋2.5重量％に調整し、最大充填量の70％充填に調製した以外は、実施例１と同様に分析した。表１１に、初期組成+2.5重量％に調製した場合の移充填時における組成変化の結果を示す。
【０４８４】
【表１１】
2014038604.tif 000015
【０４８５】
表１１で示す様に、移充填前の初期組成を、目標組成＋2.5重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±2.5重量％以内の目標組成とのずれに収める事が出来る。
【０４８６】
また、移充填が完了した時点でのHFC-32組成が、目標組成（x）の-2.5重量％になるような、HFC-32/HFO-1234yfの液相混合冷媒中のHFC-32の移充填前組成を求めた。この時の初期組成における目標組成とのずれの下限値（yE）を表１２に示す。
【０４８７】
【表１２】
2014038604.tif 000016
【０４８８】
この結果より、HFC-32が90重量％の目標組成において最も組成変動が小さく、HFC-32/HFO-1234yfの液相混合冷媒中のHFC-32の初期組成を目標組成の-2.0重量％であっても、移充填する前から移充填が完了するまで、目標組成に対して±2.5重量％以内の目標組成とのずれに収める事が出来る。
【０４８９】
また、この結果より初期組成における目標組成とのずれの下限値(yE)は、目標組成(x)を用いて以下の式で表すことができる。
【０４９０】
1000yE = 0.0130 x3 - 3.0285 x2  + 177.93x - 2975.4      (7)
よって、HFC-32/HFO-1234yfの液相混合冷媒中のHFC-32の初期組成を目標組成のyE〜2.5重量％にすることで、移充填する前から移充填が完了するまで、目標組成に対して±2.5重量％以内の目標組成とのずれに収める事が出来る。
【０４９１】
（3-2）実施例６：初期組成が目標組成の+2.0重量％
移充填前のHFC-32の液相における初期組成を、目標組成＋2.0重量％になるように調整した以外は、実施例５と同様に分析した。表１３に、初期組成+2.0重量％に調製した場合の移充填時における組成変化の結果を示す。
【０４９２】
【表１３】
2014038604.tif 000017
【０４９３】
表１３で示す様に、移充填前の初期組成を、目標組成＋2.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±2.0重量％以内の目標組成とのずれに収める事が出来る。
【０４９４】
また、移充填が完了した時点でのHFC-32組成が、目標組成（x）の-2.0重量％になるような、HFC-32/HFO-1234yfの液相混合冷媒中のHFC-32の移充填前組成を求めた。この時の初期組成における目標組成とのずれの下限値（yF）を表１４に示す。
【０４９５】
【表１４】
2014038604.tif 000018
【０４９６】
この結果より、HFC-32が90重量％の目標組成において最も組成変動が小さく、HFC-32/HFO-1234yfの液相混合冷媒中のHFC-32の初期組成を目標組成の-1.5重量％であっても、移充填する前から移充填が完了するまで、目標組成に対して±2.0重量％以内の目標組成とのずれに収める事が出来る。
【０４９７】
また、この結果より初期組成における目標組成とのずれの下限値(yF)は、目標組成(x)を用いて以下の式で表すことができる。
【０４９８】
1000yF = 0.0132 x3 - 2.991 x2+ 171.39x - 2327.0    (8)
よって、HFC-32/HFO-1234yfの液相混合冷媒中のHFC-32の初期組成を目標組成のyF〜2.0重量％にすることで、移充填する前から移充填が完了するまで、目標組成に対して±2.0重量％以内の目標組成とのずれに収める事が出来る。
【０４９９】
（3-3）実施例７：初期組成が目標組成の+1.5重量％
移充填前のHFC-32の液相における初期組成を、目標組成＋1.5重量％になるように調整した以外は、実施例５と同様に分析した。表１５に、初期組成+1.5重量％に調製した場合の移充填時における組成変化の結果を示す。
【０５００】
【表１５】
2014038604.tif 000019
【０５０１】
表１５で示す様に、移充填前の初期組成を、目標組成＋1.5重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±1.5重量％以内の目標組成とのずれに収める事が出来る。
【０５０２】
また、移充填が完了した時点でのHFC-32組成が、目標組成（x）の-1.5重量％になるような、HFC-32/HFO-1234yfの液相混合冷媒中のHFC-32の移充填前組成を求めた。この時の初期組成における目標組成とのずれの下限値（yG）を表１６に示す。
【０５０３】
【表１６】
2014038604.tif 000020
【０５０４】
この結果より、HFC-32が90重量％の目標組成において最も組成変動が小さく、HFC-32/HFO-1234yfの液相混合冷媒中のHFC-32の初期組成を目標組成の-1.0重量％であっても、移充填する前から移充填が完了するまで、目標組成に対して±1.5重量％以内の目標組成とのずれに収める事が出来る。
【０５０５】
また、この結果より初期組成における目標組成とのずれの下限値(yG)は、目標組成(x)を用いて以下の式で表すことができる。
【０５０６】
1000yG = 0.0149 x3 - 3.2273 x2+ 179.57x - 1866.7      (9)
よって、HFC-32/HFO-1234yfの液相混合冷媒中のHFC-32の初期組成を目標組成のyG〜1.5重量％にすることで、移充填する前から移充填が完了するまで、目標組成に対して±1.5重量％以内の目標組成とのずれに収める事が出来る。
【０５０７】
（3-4）実施例８：初期組成が目標組成の+1.0重量％
移充填前のHFC-32の液相における初期組成を、目標組成＋1.0重量％になるように調整した以外は、実施例５と同様に分析した。表１７に、初期組成+1.0重量％に調製した場合の移充填時における組成変化の結果を示す。
【０５０８】
【表１７】
2014038604.tif 000021
【０５０９】
表１７で示す様に、移充填前の初期組成を、目標組成＋1.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜18重量％又は60〜90重量％の範囲であれば、目標組成に対して±1.0重量％以内の目標組成とのずれに収める事が出来る。
【０５１０】
また、移充填が完了した時点でのHFC-32組成が、目標組成（x）の-1.0重量％になるような、HFC-32/HFO-1234yfの液相混合冷媒中のHFC-32の移充填前組成を求めた。この時の初期組成における目標組成とのずれの下限値（yH）を表１８に示す。
【０５１１】
【表１８】
2014038604.tif 000022
【０５１２】
この結果より、HFC-32が90重量％の目標組成において最も組成変動が小さく、HFC-32/HFO-1234yfの液相混合冷媒中のHFC-32の初期組成を目標組成の-0.5重量％であっても、移充填する前から移充填が完了するまで、目標組成に対して±1.5重量％以内の目標組成とのずれに収める事が出来る。
【０５１３】
また、この結果より初期組成における目標組成とのずれの下限値(yH)は、目標組成(x)を用いて以下の式で表すことができる。
【０５１４】
1000yH = 0.0151 x3 - 3.2439 x2+ 178.32x - 1263.0      (10)
よって、HFC-32/HFO-1234yfの液相混合冷媒中のHFC-32の初期組成を目標組成のyH〜1.0重量％にすることで、移充填する前から移充填が完了するまで、目標組成に対して±1.0重量％以内の目標組成とのずれに収める事が出来る。
【０５１５】
（４）充填量が最大充填量の100重量％である時の充填方法
充填量は、1.05を45℃における当該ガスの比重で除した値を充填定数として算出した。
【０５１６】
（4-1）実施例９：初期組成が目標組成の+2.5重量％
10Lの密閉容器に、2,3,3,3-テトラフルオロプロペン（HFO-1234yf）及びジフルオロメタン（HFC-32）を40℃で液相がある一定の組成になるように、移充填する前の組成で充填できる最大充填量（充填量100％）を充填し、40℃に保持した。この際、移充填前のHFC-32の液相における初期組成を、目標組成の＋2.5重量％になるように調整した。次に、参考例１と同様に、ポンプを使用して液側より徐々に別の空容器に移充填し、成分組成を分析した。表２に、初期組成+2.5重量％に調製した場合の移充填時における組成変化の結果を示す。
【０５１７】
【表１９】
2014038604.tif 000023
【０５１８】
表１９で示す様に、移充填前の初期組成を、目標組成＋2.5重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±2.5重量％以内の目標組成とのずれに収める事が出来る。
【０５１９】
また、移充填が完了した時点でのHFC-32組成が、目標組成（x）の-2.5重量％になるような、HFC-32/HFO-1234yfの液相混合冷媒中のHFC-32の移充填前組成を求めた。この時の初期組成における目標組成とのずれの下限値（yI）を表２０に示す。
【０５２０】
【表２０】
2014038604.tif 000024
【０５２１】
この結果より、HFC-32が90重量％の目標組成において最も組成変動が小さく、HFC-32/HFO-1234yfの液相混合冷媒中のHFC-32の初期組成を目標組成の-1.8重量％であっても、移充填する前から移充填が完了するまで、目標組成に対して±2.5重量％以内の目標組成とのずれに収める事が出来る。
【０５２２】
また、この結果より初期組成における目標組成とのずれの下限値(yI)は、目標組成(x)を用いて以下の式で表すことができる。
【０５２３】
1000yI = 0.0181x3- 3.9611x2 + 223.10x - 3040.4       (12)
よって、HFC-32/HFO-1234yfの液相混合冷媒中のHFC-32の初期組成を目標組成のyI〜2.5重量％にすることで、移充填する前から移充填が完了するまで、目標組成に対して±2.5重量％以内の目標組成とのずれに収める事が出来る。
【０５２４】
（4-2）実施例１０：初期組成が目標組成の+2.0重量％
移充填前のHFC-32の液相における初期組成を、目標組成＋2.0重量％になるように調整した以外は、実施例１と同様に分析した。表２１に、初期組成+2.0重量％に調製した場合の移充填時における組成変化の結果を示す。
【０５２５】
【表２１】
2014038604.tif 000025
【０５２６】
表２１で示す様に、移充填前の初期組成を、目標組成＋2.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±2.0重量％以内の目標組成とのずれに収める事が出来る。
【０５２７】
また、移充填が完了した時点でのHFC-32組成が、目標組成（x）の-2.0重量％になるような、HFC-32/HFO-1234yfの液相混合冷媒中のHFC-32の移充填前組成を求めた。この時の初期組成における目標組成とのずれの下限値（yJ）を表２２に示す。
【０５２８】
【表２２】
2014038604.tif 000026
【０５２９】
この結果より、HFC-32が90重量％の目標組成において最も組成変動が小さく、HFC-32/HFO-1234yfの液相混合冷媒中のHFC-32の初期組成を目標組成の-1.3重量％であっても、移充填する前から移充填が完了するまで、目標組成に対して±2.0重量％以内の目標組成とのずれに収める事が出来る。
【０５３０】
また、この結果より初期組成における目標組成とのずれの下限値(yJ)は、目標組成(x)を用いて以下の式で表すことができる。
【０５３１】
1000yJ = 0.0177x3- 3.8614x2 + 215.42x - 2373.5       (13)
よって、HFC-32/HFO-1234yfの液相混合冷媒中のHFC-32の初期組成を目標組成のyJ〜2.0重量％にすることで、移充填する前から移充填が完了するまで、目標組成に対して±2.0重量％以内の目標組成とのずれに収める事が出来る。
【０５３２】
（4-3）実施例１１：初期組成が目標組成の+1.5重量％
移充填前のHFC-32の液相における初期組成を、目標組成＋1.5重量％になるように調整した以外は、実施例１と同様に分析した。表７に、初期組成+1.5重量％に調製した場合の移充填時における組成変化の結果を示す。
【０５３３】
【表２３】
2014038604.tif 000027
【０５３４】
表７で示す様に、移充填前の初期組成を、目標組成＋1.5重量％になるようにすることで、充填初め（移充填する前）から、液がなくなるまで（移充填が完了するまで）の組成のうち、そのHFC-32組成がHFC-32/HFO-1234yfの液相混合冷媒中に10〜26.5重量％又は47.5〜90重量％の範囲であれば、目標組成に対して±1.5重量％以内の目標組成とのずれに収める事が出来る。
【０５３５】
また、移充填が完了した時点でのHFC-32組成が、目標組成（x）の-1.5重量％になるような、HFC-32/HFO-1234yfの液相混合冷媒中のHFC-32の移充填前組成を求めた。この時の初期組成における目標組成とのずれの下限値（yK）を表２４に示す。
【０５３６】
【表２４】
2014038604.tif 000028
【０５３７】
この結果より、HFC-32が90重量％の目標組成において最も組成変動が小さく、HFC-32/HFO-1234yfの液相混合冷媒中のHFC-32の初期組成を目標組成の-0.9重量％であっても、移充填する前から移充填が完了するまで、目標組成に対して±1.5重量％以内の目標組成とのずれに収める事が出来る。
【０５３８】
また、この結果より初期組成における目標組成とのずれの下限値(yK)は、目標組成(x)を用いて以下の式で表すことができる。
【０５３９】
1000yK = 0.0172x3- 3.7549x2 + 207.43x - 1705.9       (14)
よって、HFC-32/HFO-1234yfの液相混合冷媒中のHFC-32の初期組成を目標組成のyK〜1.5重量％にすることで、移充填する前から移充填が完了するまで、目標組成に対して±1.5重量％以内の目標組成とのずれに収める事が出来る。
【０５４０】
（4-4）実施例１２：初期組成が目標組成の+1.0重量％
移充填前のHFC-32の液相における初期組成を、目標組成＋1.0重量％になるように調整した以外は、実施例１と同様に分析した。表２５に、初期組成+1.0重量％に調製した場合の移充填時における組成変化の結果を示す。
【０５４１】
【表２５】
2014038604.tif 000029
【０５４２】
表２５で示す様に、移充填前の初期組成を、目標組成＋1.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜13.5重量％又は67〜90重量％の範囲であれば、目標組成に対して±1.0重量％以内の目標組成とのずれに収める事が出来る。
【０５４３】
また、移充填が完了した時点でのHFC-32組成が、目標組成（x）の-1.0重量％になるような、HFC-32/HFO-1234yfの液相混合冷媒中のHFC-32の移充填前組成を求めた。この時の初期組成における目標組成とのずれの下限値（yL）を表２６に示す。
【０５４４】
【表２６】
2014038604.tif 000030
【０５４５】
この結果より、HFC-32が90重量％の目標組成において最も組成変動が小さく、HFC-32/HFO-1234yfの液相混合冷媒中のHFC-32の初期組成を目標組成の-0.4重量％であっても、移充填する前から移充填が完了するまで、目標組成に対して±1.0重量％以内の目標組成とのずれに収める事が出来る。
【０５４６】
また、この結果より初期組成における目標組成とのずれの下限値(yD)は、目標組成(x)を用いて以下の式で表すことができる。
【０５４７】
1000yL = 0.0178x3 - 3.8363x2+ 209.59x - 1194.3       (15)
よって、HFC-32/HFO-1234yfの液相混合冷媒中のHFC-32の初期組成を目標組成のyL〜1.0重量％にすることで、移充填する前から移充填が完了するまで、目標組成に対して±1.0重量％以内の目標組成とのずれに収める事が出来る。
【０５４８】
（５）参考例２
10Lの密閉容器に、2,3,3,3-テトラフルオロプロペン（HFO-1234yf）及びジフルオロメタン（HFC-32）を40℃で液相がある一定の組成になるように、移充填する直前の組成で充填できる最大充填量を充填し、40℃に保持した。この、最大充填可能量は以下のように算出する。
・G = V/C
・G：フルオロカーボンの質量（kg）
・V：容器の内容積（L）
・C：フルオロカーボンの種類による定数
この際の充填定数Cは日本国内では、1.05を48℃における当該ガスの比重で除した値と定められている。
【０５４９】
また、この充填定数Cは、輸出を伴う際は国際法により、熱帯地方を通過する際は、1.05を65℃における当該ガスの比重で除した値、熱帯以外のその他の地方のみでは、1.05を45℃における当該ガスの比重で除した値と定められている。
【０５５０】
今回は、1.05を45℃における当該ガスの比重で除した値、を充填定数として採用した。
【０５５１】
また、移充填時の温度として40℃を選択したのは、日本の高圧ガス保安法や危険物船舶運送及び貯蔵規則、国際海上危険物規則等において、40℃を超えての容器の取り扱いを禁じていることと、高温になるほど組成変化が大きくなることから、40℃でのデータが最も条件の悪いケースとして想定されるからである。
【０５５２】
次に、ポンプを使用して液側より徐々に別の空容器に移充填した。液側の抜き出し配管の途中に設けたサンプリングバルブよりガスを一部採取し、成分組成をガスクロマトグラフィーにより分析した。
【０５５３】
表２７に、45℃における当該ガスの比重で除した値を充填定数として算出した充填量に充填した場合の、移充填時における参考例２の組成変化の結果を示す。
【０５５４】
45℃（充填量100重量%）
【０５５５】
【表２７】
2014038604.tif 000031
【０５５６】
表２７で示す様に、何の対策もせずに移充填を行った場合、移充填元の全ての液が消失した時点（移充填完了時点）で目標組成から最大で3〜4重量％の組成のずれ（組成変化）が生じる。そのため、目標組成で見込んでいた冷凍能力、COP等の冷媒能力が、移充開始時から移充完了時までの間で保証できない。
【０５５７】
表２７から、移充填完了時のHFC-32/HFO-1234yf混合冷媒中のHFC-32の濃度は、移充填開始時よりも低いことが分かった。これは、HFC-32の沸点がHFO-1234yfの沸点に比べて低く、移充填時、冷媒が抜き出されて出来た空間に、液相側から蒸発して補充される際に、HFC-32の方が多く蒸発するため、液相のHFC-32濃度が低下することが理由である。そのため、HFC-32を移充填前の供給用容器において目標組成より多く充填することが好ましいことがわかった。また、移充填時の組成変動が最も小さい場合（HFC-32：90重量％）であっても、移充填開始から完了までの組成変動の幅は0.5重量％程度であった。
【０５５８】
（６）公差±2.0の時の充填方法
（6-1）実施例１３：供給用容器における初期充填量が最大充填量の100重量%である
10Lの密閉容器に、2,3,3,3-テトラフルオロプロペン（HFO-1234yf）及びジフルオロメタン（HFC-32）を40℃で液相がある一定の組成になるように、移充填する前の組成で充填できる最大充填量（充填量100重量％）を充填し、40℃に保持した。この際、移充填前のHFC-32の液相における初期組成を、目標組成の+2.0重量％になるように調整した。次に、参考例２と同様に、ポンプを使用して液側より徐々に別の空容器に移充填し、成分組成を分析した。表２８に、初期組成+2.0重量％に調製した場合の移充填時における組成変化の結果を示す。
【０５５９】
【表２８】
2014038604.tif 000032
【０５６０】
表２８で示す様に、移充填前の初期組成を、目標組成+2.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±2.0重量％以内の目標組成とのずれに収める事が出来る。
【０５６１】
また、移充填が完了した時点でのHFC-32組成が、目標組成（x）の-2重量％になるような、HFC-32/HFO-1234yfの液相混合冷媒中のHFC-32の移充填前組成を求めた。この時の初期組成における目標組成とのずれの下限値（yP1）を表２９に示す。
【０５６２】
【表２９】
2014038604.tif 000033
【０５６３】
この結果より、HFC-32が90重量％の目標組成において最も組成変動が小さく、HFC-32/HFO-1234yfの液相混合冷媒中のHFC-32の初期組成を目標組成の-1.3重量％であっても、移充填する前から移充填が完了するまで、目標組成に対して±2.0重量％以内の目標組成とのずれに収める事が出来る。
【０５６４】
また、この結果より初期組成における目標組成とのずれの下限値(yP1)は、目標組成(x)を用いて以下の式で表すことができる。
【０５６５】
1000yP1 = 0.0177x3 - 3.8614x2 + 215.42x - 2373.5       (17)
よって、HFC-32/HFO-1234yfの液相混合冷媒中のHFC-32の初期組成を目標組成のyP1〜2重量％にすることで、移充填する前から移充填が完了するまで、目標組成に対して±2.0重量％以内の目標組成とのずれに収める事が出来る。
【０５６６】
（6-2）実施例１４：供給用容器における初期充填量が最大充填量の90重量%である
10Lの密閉容器に、HFO-1234yf及びHFC-32を40℃で液相がある一定の組成になるように、移充填する前の組成で充填できる最大充填量の90重量％を充填し、40℃に保持した。この際、移充填前のHFC-32の液相における初期組成を、目標組成の+2.0重量％になるように調整した。次に、実施例５と同様に、ポンプを使用して液側より徐々に別の空容器に移充填し、成分組成を分析した。表３０に、初期組成+2.0重量％に調製した場合の移充填時における組成変化の結果を示す。
【０５６７】
【表３０】
2014038604.tif 000034
【０５６８】
表３０で示す様に、移充填前の初期組成を、目標組成+2.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±2.0重量％以内の目標組成とのずれに収める事が出来る。
【０５６９】
また、移充填が完了した時点でのHFC-32組成が、目標組成（x）の-2重量％になるような、HFC-32/HFO-1234yfの液相混合冷媒中のHFC-32の移充填前組成を求めた。この時の初期組成における目標組成とのずれの下限値（yP2）を表３１に示す。
【０５７０】
【表３１】
2014038604.tif 000035
【０５７１】
この結果より、HFC-32が90重量％の目標組成において最も組成変動が小さく、HFC-32/HFO-1234yfの液相混合冷媒中のHFC-32の初期組成を目標組成の-1.3重量％であっても、移充填する前から移充填が完了するまで、目標組成に対して±2.0重量％以内の目標組成とのずれに収める事が出来る。
【０５７２】
また、この結果より初期組成における目標組成とのずれの下限値(yP2)は、目標組成(x)を用いて以下の式で表すことができる。
【０５７３】
1000yP2 = 0.0172x3 - 3.7532x2 + 210.1x - 2419.3       (18)
よって、HFC-32/HFO-1234yfの液相混合冷媒中のHFC-32の初期組成を目標組成のyP2〜2重量％にすることで、移充填する前から移充填が完了するまで、目標組成に対して±2.0重量％以内の目標組成とのずれに収める事が出来る。
【０５７４】
（6-3）実施例１５：供給用容器における初期充填量が最大充填量の80重量%である
10Lの密閉容器に、HFO-1234yf及びHFC-32を40℃で液相がある一定の組成になるように、移充填する前の組成で充填できる最大充填量の80重量％を充填し、40℃に保持した。この際、移充填前のHFC-32の液相における初期組成を、目標組成の+2.0重量％になるように調整した。次に、実施例５と同様に、ポンプを使用して液側より徐々に別の空容器に移充填し、成分組成を分析した。表３２に、初期組成+2.0重量％に調製した場合の移充填時における組成変化の結果を示す。
【０５７５】
【表３２】
2014038604.tif 000036
【０５７６】
表３２で示す様に、移充填前の初期組成を、目標組成+2.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±2.0重量％以内の目標組成とのずれに収める事が出来る。
【０５７７】
また、移充填が完了した時点でのHFC-32組成が、目標組成（x）の-2重量％になるような、HFC-32/HFO-1234yfの液相混合冷媒中のHFC-32の移充填前組成を求めた。この時の初期組成における目標組成とのずれの下限値（yP3）を表３３に示す。
【０５７８】
【表３３】
2014038604.tif 000037
【０５７９】
この結果より、HFC-32が90重量％の目標組成において最も組成変動が小さく、HFC-32/HFO-1234yfの液相混合冷媒中のHFC-32の初期組成を目標組成の-1.4重量％であっても、移充填する前から移充填が完了するまで、目標組成に対して±2.0重量％以内の目標組成とのずれに収める事が出来る。
【０５８０】
また、この結果より初期組成における目標組成とのずれの下限値(yP3)は、目標組成(x)を用いて以下の式で表すことができる。
【０５８１】
1000yP3 = 0.0160x3 - 3.5202x2 + 198.2x - 2382.2       (19)
よって、HFC-32/HFO-1234yfの液相混合冷媒中のHFC-32の初期組成を目標組成のyP3〜2重量％にすることで、移充填する前から移充填が完了するまで、目標組成に対して±2.0重量％以内の目標組成とのずれに収める事が出来る。
【０５８２】
（6-4）実施例１６：供給用容器における初期充填量が最大充填量の70重量%である
10Lの密閉容器に、HFO-1234yf及びHFC-32を40℃で液相がある一定の組成になるように、移充填する前の組成で充填できる最大充填量の70重量％を充填し、40℃に保持した。この際、移充填前のHFC-32の液相における初期組成を、目標組成の+2.0重量％になるように調整した。次に、実施例５と同様に、ポンプを使用して液側より徐々に別の空容器に移充填し、成分組成を分析した。表３４に、初期組成+2.0重量％に調製した場合の移充填時における組成変化の結果を示す。
【０５８３】
【表３４】
2014038604.tif 000038
【０５８４】
表３４で示す様に、移充填前の初期組成を、目標組成+2.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±2.0重量％以内の目標組成とのずれに収める事が出来る。
【０５８５】
また、移充填が完了した時点でのHFC-32組成が、目標組成（x）の-2重量％になるような、HFC-32/HFO-1234yfの液相混合冷媒中のHFC-32の移充填前組成を求めた。この時の初期組成における目標組成とのずれの下限値（yP4）を表３５に示す。
【０５８６】
【表３５】
2014038604.tif 000039
【０５８７】
この結果より、HFC-32が90重量％の目標組成において最も組成変動が小さく、HFC-32/HFO-1234yfの液相混合冷媒中のHFC-32の初期組成を目標組成の-1.4重量％であっても、移充填する前から移充填が完了するまで、目標組成に対して±2.0重量％以内の目標組成とのずれに収める事が出来る。
【０５８８】
また、この結果より初期組成における目標組成とのずれの下限値(yP4)は、目標組成(x)を用いて以下の式で表すことができる。
【０５８９】
1000yP4 = 0.0152x3 - 3.3513x2 + 189.76x - 2412.5       (20)
よって、HFC-32/HFO-1234yfの液相混合冷媒中のHFC-32の初期組成を目標組成のyP4〜2重量％にすることで、移充填する前から移充填が完了するまで、目標組成に対して±2.0重量％以内の目標組成とのずれに収める事が出来る。
【０５９０】
（6-5）実施例１７：供給用容器における初期充填量が最大充填量の60重量%である
10Lの密閉容器に、HFO-1234yf及びHFC-32を40℃で液相がある一定の組成になるように、移充填する前の組成で充填できる最大充填量の60重量％を充填し、40℃に保持した。この際、移充填前のHFC-32の液相における初期組成を、目標組成の+2.0重量％になるように調整した。次に、実施例５と同様に、ポンプを使用して液側より徐々に別の空容器に移充填し、成分組成を分析した。表３６に、初期組成+2.0重量％に調製した場合の移充填時における組成変化の結果を示す。
【０５９１】
【表３６】
2014038604.tif 000040
【０５９２】
表３６で示す様に、移充填前の初期組成を、目標組成+2.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±2.0重量％以内の目標組成とのずれに収める事が出来る。
【０５９３】
また、移充填が完了した時点でのHFC-32組成が、目標組成（x）の-2重量％になるような、HFC-32/HFO-1234yfの液相混合冷媒中のHFC-32の移充填前組成を求めた。この時の初期組成における目標組成とのずれの下限値（yP5）を表３５に示す。
【０５９４】
【表３７】
2014038604.tif 000041
【０５９５】
この結果より、HFC-32が90重量％の目標組成において最も組成変動が小さく、HFC-32/HFO-1234yfの液相混合冷媒中のHFC-32の初期組成を目標組成の-1.4重量％であっても、移充填する前から移充填が完了するまで、目標組成に対して±2.0重量％以内の目標組成とのずれに収める事が出来る。
【０５９６】
また、この結果より初期組成における目標組成とのずれの下限値(yP5)は、目標組成(x)を用いて以下の式で表すことができる。
【０５９７】
1000yP5 = 0.0138x3 - 3.0892x2 + 176.2x - 2385.7       (21)
よって、HFC-32/HFO-1234yfの液相混合冷媒中のHFC-32の初期組成を目標組成のyP5〜2重量％にすることで、移充填する前から移充填が完了するまで、目標組成に対して±2.0重量％以内の目標組成とのずれに収める事が出来る。
【０５９８】
（７）公差±1.5の時の充填方法
（7-1）実施例１８：供給用容器における初期充填量が最大充填量の100重量%である
10Lの密閉容器に、HFO-1234yf及びHFC-32を40℃で液相がある一定の組成になるように、移充填する前の組成で充填できる最大充填量（充填量100重量％）を充填し、40℃に保持した。この際、移充填前のHFC-32の液相における初期組成を、目標組成の＋1.5重量％になるように調整した。次に、参考例２と同様に、ポンプを使用して液側より徐々に別の空容器に移充填し、成分組成を分析した。表３８に、初期組成+1.5重量％に調製した場合の移充填時における組成変化の結果を示す。
【０５９９】
【表３８】
2014038604.tif 000042
【０６００】
表３８で示す様に、移充填前の初期組成を、目標組成＋1.5重量％になるようにすることで、充填初め（移充填する前）から、液がなくなるまで（移充填が完了するまで）の組成のうち、そのHFC-32組成がHFC-32/HFO-1234yfの液相混合冷媒中に10〜26.5重量％又は47.5〜90重量％の範囲であれば、目標組成に対して±1.5重量％以内の目標組成とのずれに収める事が出来る。
【０６０１】
また、移充填が完了した時点でのHFC-32組成が、目標組成（x）の-1.5重量％になるような、HFC-32/HFO-1234yfの液相混合冷媒中のHFC-32の移充填前組成を求めた。この時の初期組成における目標組成とのずれの下限値（yQ1）を表３９に示す。
【０６０２】
【表３９】
2014038604.tif 000043
【０６０３】
この結果より、HFC-32が90重量％の目標組成において最も組成変動が小さく、HFC-32/HFO-1234yfの液相混合冷媒中のHFC-32の初期組成を目標組成の-0.9重量％であっても、移充填する前から移充填が完了するまで、目標組成に対して±1.5重量％以内の目標組成とのずれに収める事が出来る。
【０６０４】
また、この結果より初期組成における目標組成とのずれの下限値(yQ1)は、目標組成(x)を用いて以下の式で表すことができる。
【０６０５】
1000yQ1 = 0.0172x3 - 3.7549x2 + 207.43x - 1705.9       (23)
よって、HFC-32/HFO-1234yfの液相混合冷媒中のHFC-32の初期組成を目標組成のyQ1〜1.5重量％にすることで、移充填する前から移充填が完了するまで、目標組成に対して±1.5重量％以内の目標組成とのずれに収める事が出来る。
【０６０６】
（7-2）実施例１９：供給用容器における初期充填量が最大充填量の90重量%である
10Lの密閉容器に、HFO-1234yf及びHFC-32を40℃で液相がある一定の組成になるように、移充填する前の組成で充填できる最大充填量の90重量％を充填し、40℃に保持した。この際、移充填前のHFC-32の液相における初期組成を、目標組成の＋1.5重量％になるように調整した。次に、実施例１０と同様に、ポンプを使用して液側より徐々に別の空容器に移充填し、成分組成を分析した。表４０に、初期組成+1.5重量％に調製した場合の移充填時における組成変化の結果を示す。
【０６０７】
【表４０】
2014038604.tif 000044
【０６０８】
表４０で示す様に、移充填前の初期組成を、目標組成＋1.5重量％になるようにすることで、充填初め（移充填する前）から、液がなくなるまで（移充填が完了するまで）の組成のうち、そのHFC-32組成がHFC-32/HFO-1234yfの液相混合冷媒中に10〜30重量％又は44〜90重量％の範囲であれば、目標組成に対して±1.5重量％以内の目標組成とのずれに収める事が出来る。
【０６０９】
また、移充填が完了した時点でのHFC-32組成が、目標組成（x）の-1.5重量％になるような、HFC-32/HFO-1234yfの液相混合冷媒中のHFC-32の移充填前組成を求めた。この時の初期組成における目標組成とのずれの下限値（yQ2）を表４１に示す。
【０６１０】
【表４１】
2014038604.tif 000045
【０６１１】
この結果より、HFC-32が90重量％の目標組成において最も組成変動が小さく、HFC-32/HFO-1234yfの液相混合冷媒中のHFC-32の初期組成を目標組成の-0.9重量％であっても、移充填する前から移充填が完了するまで、目標組成に対して±1.5重量％以内の目標組成とのずれに収める事が出来る。
【０６１２】
また、この結果より初期組成における目標組成とのずれの下限値(yQ2)は、目標組成(x)を用いて以下の式で表すことができる。
【０６１３】
1000yQ2 = 0.0168x3 - 3.6698x2 + 203.75x - 1785.4       (24)
よって、HFC-32/HFO-1234yfの液相混合冷媒中のHFC-32の初期組成を目標組成のyQ2〜1.5重量％にすることで、移充填する前から移充填が完了するまで、目標組成に対して±1.5重量％以内の目標組成とのずれに収める事が出来る。
【０６１４】
（7-3）実施例２０：供給用容器における初期充填量が最大充填量の80重量%である
10Lの密閉容器に、HFO-1234yf及びHFC-32を40℃で液相がある一定の組成になるように、移充填する前の組成で充填できる最大充填量の80重量％を充填し、40℃に保持した。この際、移充填前のHFC-32の液相における初期組成を、目標組成の＋1.5重量％になるように調整した。次に、実施例１０と同様に、ポンプを使用して液側より徐々に別の空容器に移充填し、成分組成を分析した。表４２に、初期組成+1.5重量％に調製した場合の移充填時における組成変化の結果を示す。
【０６１５】
【表４２】
2014038604.tif 000046
【０６１６】
表４２で示す様に、移充填前の初期組成を、目標組成＋1.5重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±1.5重量％以内の目標組成とのずれに収める事が出来る。
【０６１７】
また、移充填が完了した時点でのHFC-32組成が、目標組成（x）の-1.5重量％になるような、HFC-32/HFO-1234yfの液相混合冷媒中のHFC-32の移充填前組成を求めた。この時の初期組成における目標組成とのずれの下限値（yQ3）を表４３に示す。
【０６１８】
【表４３】
2014038604.tif 000047
【０６１９】
この結果より、HFC-32が90重量％の目標組成において最も組成変動が小さく、HFC-32/HFO-1234yfの液相混合冷媒中のHFC-32の初期組成を目標組成の-0.9重量％であっても、移充填する前から移充填が完了するまで、目標組成に対して±1.5重量％以内の目標組成とのずれに収める事が出来る。
【０６２０】
また、この結果より初期組成における目標組成とのずれの下限値(yQ3)は、目標組成(x)を用いて以下の式で表すことができる。
【０６２１】
1000yQ3 = 0.0163x3 - 3.5445x2 + 197.22x - 1815.9       (25)
よって、HFC-32/HFO-1234yfの液相混合冷媒中のHFC-32の初期組成を目標組成のyQ3〜1.5重量％にすることで、移充填する前から移充填が完了するまで、目標組成に対して±1.5重量％以内の目標組成とのずれに収める事が出来る。
【０６２２】
（7-4）実施例２１：供給用容器における初期充填量が最大充填量の70重量%である
10Lの密閉容器に、HFO-1234yf及びHFC-32を40℃で液相がある一定の組成になるように、移充填する前の組成で充填できる最大充填量の70重量％を充填し、40℃に保持した。この際、移充填前のHFC-32の液相における初期組成を、目標組成の＋1.5重量％になるように調整した。次に、実施例１０と同様に、ポンプを使用して液側より徐々に別の空容器に移充填し、成分組成を分析した。表４４に、初期組成+1.5重量％に調製した場合の移充填時における組成変化の結果を示す。
【０６２３】
【表４４】
2014038604.tif 000048
【０６２４】
表４４で示す様に、移充填前の初期組成を、目標組成＋1.5重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±1.5重量％以内の目標組成とのずれに収める事が出来る。
【０６２５】
また、移充填が完了した時点でのHFC-32組成が、目標組成（x）の-1.5重量％になるような、HFC-32/HFO-1234yfの液相混合冷媒中のHFC-32の移充填前組成を求めた。この時の初期組成における目標組成とのずれの下限値（yQ4）を表４５に示す。
【０６２６】
【表４５】
2014038604.tif 000049
【０６２７】
この結果より、HFC-32が90重量％の目標組成において最も組成変動が小さく、HFC-32/HFO-1234yfの液相混合冷媒中のHFC-32の初期組成を目標組成の-0.9重量％であっても、移充填する前から移充填が完了するまで、目標組成に対して±1.5重量％以内の目標組成とのずれに収める事が出来る。
【０６２８】
また、この結果より初期組成における目標組成とのずれの下限値(yQ4)は、目標組成(x)を用いて以下の式で表すことができる。
【０６２９】
1000yQ4 = 0.0147x3 - 3.2607x2 + 183.21x - 1777.0       (26)
よって、HFC-32/HFO-1234yfの液相混合冷媒中のHFC-32の初期組成を目標組成のyQ4〜1.5重量％にすることで、移充填する前から移充填が完了するまで、目標組成に対して±1.5重量％以内の目標組成とのずれに収める事が出来る。
【０６３０】
（7-5）実施例２２：供給用容器における初期充填量が最大充填量の60重量%である
10Lの密閉容器に、HFO-1234yf及びHFC-32を40℃で液相がある一定の組成になるように、移充填する前の組成で充填できる最大充填量の60重量％を充填し、40℃に保持した。この際、移充填前のHFC-32の液相における初期組成を、目標組成の＋1.5重量％になるように調整した。次に、実施例１０と同様に、ポンプを使用して液側より徐々に別の空容器に移充填し、成分組成を分析した。表４６に、初期組成+1.5重量％に調製した場合の移充填時における組成変化の結果を示す。
【０６３１】
【表４６】
2014038604.tif 000050
【０６３２】
表４６で示す様に、移充填前の初期組成を、目標組成＋1.5重量％になるようにすることで、充填初め（移充填する前）から、液がなくなるまで（移充填が完了するまで）の組成のうち、そのHFC-32組成がHFC-32/HFO-1234yfの液相混合冷媒中に10〜90重量％の範囲であれば、目標組成に対して±1.5重量％以内の目標組成とのずれに収める事が出来る。
【０６３３】
また、移充填が完了した時点でのHFC-32組成が、目標組成（x）の-1.5重量％になるような、HFC-32/HFO-1234yfの液相混合冷媒中のHFC-32の移充填前組成を求めた。この時の初期組成における目標組成とのずれの下限値（yQ5）を表４７に示す。
【０６３４】
【表４７】
2014038604.tif 000051
【０６３５】
この結果より、HFC-32が90重量％の目標組成において最も組成変動が小さく、HFC-32/HFO-1234yfの液相混合冷媒中のHFC-32の初期組成を目標組成の-0.9重量％であっても、移充填する前から移充填が完了するまで、目標組成に対して±1.5重量％以内の目標組成とのずれに収める事が出来る。
【０６３６】
また、この結果より初期組成における目標組成とのずれの下限値(yQ5)は、目標組成(x)を用いて以下の式で表すことができる。
【０６３７】
1000yQ5 = 0.0141x3 - 3.1058x2+ 175.06x - 1828.7       (27)
よって、HFC-32/HFO-1234yfの液相混合冷媒中のHFC-32の初期組成を目標組成のyQ5〜1.5重量％にすることで、移充填する前から移充填が完了するまで、目標組成に対して±1.5重量％以内の目標組成とのずれに収める事が出来る。
【０６３８】
（８）公差±1.0の時の充填方法
（8-1）実施例２３：供給用容器における初期充填量が最大充填量の100重量%である
10Lの密閉容器に、HFO-1234yf及びHFC-32を40℃で液相がある一定の組成になるように、移充填する前の組成で充填できる最大充填量（充填量100重量％）を充填し、40℃に保持した。この際、移充填前のHFC-32の液相における初期組成を、目標組成の+1.0重量％になるように調整した。次に、参考例２と同様に、ポンプを使用して液側より徐々に別の空容器に移充填し、成分組成を分析した。表４８に、初期組成+1.0重量％に調製した場合の移充填時における組成変化の結果を示す。
【０６３９】
【表４８】
2014038604.tif 000052
【０６４０】
表４８で示す様に、移充填前の初期組成を、目標組成+1.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜13.5重量％又は67〜90重量％の範囲であれば、目標組成に対して±1.0重量％以内の目標組成とのずれに収める事が出来る。
【０６４１】
また、移充填が完了した時点でのHFC-32組成が、目標組成（x）の-1重量％になるような、HFC-32/HFO-1234yfの液相混合冷媒中のHFC-32の移充填前組成を求めた。この時の初期組成における目標組成とのずれの下限値（yR1）を表４９に示す。
【０６４２】
【表４９】
2014038604.tif 000053
【０６４３】
この結果より、HFC-32が90重量％の目標組成において最も組成変動が小さく、HFC-32/HFO-1234yfの液相混合冷媒中のHFC-32の初期組成を目標組成の-0.4重量％であっても、移充填する前から移充填が完了するまで、目標組成に対して±1.0重量％以内の目標組成とのずれに収める事が出来る。
【０６４４】
また、この結果より初期組成における目標組成とのずれの下限値(yR1)は、目標組成(x)を用いて以下の式で表すことができる。
【０６４５】
1000yR1 = 0.0178x3 - 3.8363x2 + 209.59x - 1194.3       (29)
よって、HFC-32/HFO-1234yfの液相混合冷媒中のHFC-32の初期組成を目標組成のyR1〜1重量％にすることで、移充填する前から移充填が完了するまで、目標組成に対して±1.0重量％以内の目標組成とのずれに収める事が出来る。
【０６４６】
（8-2）実施例２４：供給用容器における初期充填量が最大充填量の90重量%である
10Lの密閉容器に、HFO-1234yf及びHFC-32を40℃で液相がある一定の組成になるように、移充填する前の組成で充填できる最大充填量の90重量％を充填し、40℃に保持した。この際、移充填前のHFC-32の液相における初期組成を、目標組成の+1.0重量％になるように調整した。次に、実施例１５と同様に、ポンプを使用して液側より徐々に別の空容器に移充填し、成分組成を分析した。表５０に、初期組成+1.0重量％に調製した場合の移充填時における組成変化の結果を示す。
【０６４７】
【表５０】
2014038604.tif 000054
【０６４８】
表５０で示す様に、移充填前の初期組成を、目標組成+1.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜14重量％又は66〜90重量％の範囲であれば、目標組成に対して±1.0重量％以内の目標組成とのずれに収める事が出来る。
【０６４９】
また、移充填が完了した時点でのHFC-32組成が、目標組成（x）の-1重量％になるような、HFC-32/HFO-1234yfの液相混合冷媒中のHFC-32の移充填前組成を求めた。この時の初期組成における目標組成とのずれの下限値（yR2）を表５１に示す。
【０６５０】
【表５１】
2014038604.tif 000055
【０６５１】
この結果より、HFC-32が90重量％の目標組成において最も組成変動が小さく、HFC-32/HFO-1234yfの液相混合冷媒中のHFC-32の初期組成を目標組成の-0.4重量％であっても、移充填する前から移充填が完了するまで、目標組成に対して±1.0重量％以内の目標組成とのずれに収める事が出来る。
【０６５２】
また、この結果より初期組成における目標組成とのずれの下限値(yR2)は、目標組成(x)を用いて以下の式で表すことができる。
【０６５３】
1000yR2 = 0.0168x3 - 3.6386x2 + 200.20x - 1192.8       (30)
よって、HFC-32/HFO-1234yfの液相混合冷媒中のHFC-32の初期組成を目標組成のyR2〜1重量％にすることで、移充填する前から移充填が完了するまで、目標組成に対して±1.0重量％以内の目標組成とのずれに収める事が出来る。
【０６５４】
（8-3）実施例２５：供給用容器における初期充填量が最大充填量の80重量%である
10Lの密閉容器に、HFO-1234yf及びHFC-32を40℃で液相がある一定の組成になるように、移充填する前の組成で充填できる最大充填量の80重量％を充填し、40℃に保持した。この際、移充填前のHFC-32の液相における初期組成を、目標組成の+1.0重量％になるように調整した。次に、実施例１５と同様に、ポンプを使用して液側より徐々に別の空容器に移充填し、成分組成を分析した。表５２に、初期組成+1.0重量％に調製した場合の移充填時における組成変化の結果を示す。
【０６５５】
【表５２】
2014038604.tif 000056
【０６５６】
表５２で示す様に、移充填前の初期組成を、目標組成+1.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜15.5重量％又は65〜90重量％の範囲であれば、目標組成に対して±1.0重量％以内の目標組成とのずれに収める事が出来る。
【０６５７】
また、移充填が完了した時点でのHFC-32組成が、目標組成（x）の-1重量％になるような、HFC-32/HFO-1234yfの液相混合冷媒中のHFC-32の移充填前組成を求めた。この時の初期組成における目標組成とのずれの下限値（yR3）を表５３に示す。
【０６５８】
【表５３】
2014038604.tif 000057
【０６５９】
この結果より、HFC-32が90重量％の目標組成において最も組成変動が小さく、HFC-32/HFO-1234yfの液相混合冷媒中のHFC-32の初期組成を目標組成の-0.4重量％であっても、移充填する前から移充填が完了するまで、目標組成に対して±1.0重量％以内の目標組成とのずれに収める事が出来る。
【０６６０】
また、この結果より初期組成における目標組成とのずれの下限値(yR3)は、目標組成(x)を用いて以下の式で表すことができる。
【０６６１】
1000yR3 = 0.0159x3 - 3.4616x2 + 191.19x - 1196.0       (31)
よって、HFC-32/HFO-1234yfの液相混合冷媒中のHFC-32の初期組成を目標組成のyR3〜1重量％にすることで、移充填する前から移充填が完了するまで、目標組成に対して±1.0重量％以内の目標組成とのずれに収める事が出来る。
【０６６２】
（8-4）実施例２６：供給用容器における初期充填量が最大充填量の70重量%である
10Lの密閉容器に、HFO-1234yf及びHFC-32を40℃で液相がある一定の組成になるように、移充填する前の組成で充填できる最大充填量の70重量％を充填し、40℃に保持した。この際、移充填前のHFC-32の液相における初期組成を、目標組成の+1.0重量％になるように調整した。次に、実施例１５と同様に、ポンプを使用して液側より徐々に別の空容器に移充填し、成分組成を分析した。表５４に、初期組成+1.0重量％に調製した場合の移充填時における組成変化の結果を示す。
【０６６３】
【表５４】
2014038604.tif 000058
【０６６４】
表５４で示す様に、移充填前の初期組成を、目標組成+1.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜16.5重量％又は62.5〜90重量％の範囲であれば、目標組成に対して±1.0重量％以内の目標組成とのずれに収める事が出来る。
【０６６５】
また、移充填が完了した時点でのHFC-32組成が、目標組成（x）の-1重量％になるような、HFC-32/HFO-1234yfの液相混合冷媒中のHFC-32の移充填前組成を求めた。この時の初期組成における目標組成とのずれの下限値（yR4）を表５５に示す。
【０６６６】
【表５５】
2014038604.tif 000059
【０６６７】
この結果より、HFC-32が90重量％の目標組成において最も組成変動が小さく、HFC-32/HFO-1234yfの液相混合冷媒中のHFC-32の初期組成を目標組成の-0.4重量％であっても、移充填する前から移充填が完了するまで、目標組成に対して±1.0重量％以内の目標組成とのずれに収める事が出来る。
【０６６８】
また、この結果より初期組成における目標組成とのずれの下限値(yR4)は、目標組成(x)を用いて以下の式で表すことができる。
【０６６９】
1000yR4 = 0.0150x3 - 3.2938x2 + 182.87x - 1230.1       (32)
よって、HFC-32/HFO-1234yfの液相混合冷媒中のHFC-32の初期組成を目標組成のyR4〜1重量％にすることで、移充填する前から移充填が完了するまで、目標組成に対して±1.0重量％以内の目標組成とのずれに収める事が出来る。
【０６７０】
（8-5）実施例２７：供給用容器における初期充填量が最大充填量の60重量%である
10Lの密閉容器に、HFO-1234yf及びHFC-32を40℃で液相がある一定の組成になるように、移充填する前の組成で充填できる最大充填量の60重量％を充填し、40℃に保持した。この際、移充填前のHFC-32の液相における初期組成を、目標組成の+1.0重量％になるように調整した。次に、実施例１５と同様に、ポンプを使用して液側より徐々に別の空容器に移充填し、成分組成を分析した。表５６に、初期組成+1.0重量％に調製した場合の移充填時における組成変化の結果を示す。
【０６７１】
【表５６】
2014038604.tif 000060
【０６７２】
表５６で示す様に、移充填前の初期組成を、目標組成+1.0重量％になるようにすることで、充填初め（移充填する前）から、液がなくなるまで（移充填が完了するまで）の組成のうち、そのHFC-32組成がHFC-32/HFO-1234yfの液相混合冷媒中に10〜18.5重量％又は60〜90重量％の範囲であれば、目標組成に対して±1.0重量％以内の目標組成とのずれに収める事が出来る。
【０６７３】
また、移充填が完了した時点でのHFC-32組成が、目標組成（x）の-1重量％になるような、HFC-32/HFO-1234yfの液相混合冷媒中のHFC-32の移充填前組成を求めた。この時の初期組成における目標組成とのずれの下限値（yR5）を表５７に示す。
【０６７４】
【表５７】
2014038604.tif 000061
【０６７５】
この結果より、HFC-32が90重量％の目標組成において最も組成変動が小さく、HFC-32/HFO-1234yfの液相混合冷媒中のHFC-32の初期組成を目標組成の-0.5重量％であっても、移充填する前から移充填が完了するまで、目標組成に対して±1.0重量％以内の目標組成とのずれに収める事が出来る。
【０６７６】
また、この結果より初期組成における目標組成とのずれの下限値(yR5)は、目標組成(x)を用いて以下の式で表すことができる。
【０６７７】
1000yR5 = 0.0141x3 - 3.0949x2 + 172.07x - 1228.4       (33)
よって、HFC-32/HFO-1234yfの液相混合冷媒中のHFC-32の初期組成を目標組成のyR5〜1重量％にすることで、移充填する前から移充填が完了するまで、目標組成に対して±1.0重量％以内の目標組成とのずれに収める事が出来る。
【０６７８】
（５）考察
上記実施例の結果から明らかなように、本発明の方法により、移充填に伴う組成変化を何の対策も行わずに移充填した場合と比べ、移充填する前から、移充填が完了するまで、狙う組成に対してある一定の範囲内に収める事ができ、液相の全量使用を可能とする、非共沸混合冷媒の新しい充填方法を見出した。
【０６７９】
本発明方法を実施することにより、蒸気圧縮式冷凍サイクル用作動媒体として使用される非共沸性のHFO-1234yf/HFC-32混合冷媒の移充填時に生じる組成変化を冷媒能力に支障をきたさない範囲内に収めることができ有意義である。
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±a重量％の範囲に収めるため、
移充填直前の、前記供給用容器内の前記混合冷媒のジフルオロメタンの液相混合比（初期組成）を、x+y1 (最小値)〜x+a(最大値)重量％にすることを特徴とする、混合冷媒の充填方法。
±a：設定公差（a≧0）
x：目標組成である（10≦x≦90、ただしy1＞aとなる範囲を除く）。
y1：初期組成における目標組成とのずれの下限値で、次の式(1)で表される値である。
1000y1 = L1x3 - M1x2+ N1x - P1 (1)
L1 = 0.0002a + 0.016
M1 = 0.072a+ 3.4761
N1 = 7.914a + 187.52
P1 = 1194.8a - 9.58      
【請求項２】
aの値が0.5≦a≦3.0の範囲にある場合の、請求項１の混合冷媒の充填方法。
【請求項３】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.5重量％の範囲に収めるため、
移充填直前の、当該供給用容器内の前記混合冷媒のジフルオロメタンの液相混合比（初期組成）を、x+yA〜x+2.5重量％にすることを特徴とする、混合冷媒の充填方法。
x：目標組成である（但し、10≦x≦90を満たす）。
yA：初期組成における目標組成とのずれの下限値で、次の式(2)で表される値である。
1000yA = 0.0166x3- 3.6757x2+ 208.97x - 3006.3 (2)
【請求項４】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、当該供給用容器内の前記混合冷媒のジフルオロメタンの液相混合比（初期組成）を、x+yB〜x+2.0重量％にすることを特徴とする、混合冷媒の充填方法。
x：目標組成である（但し、10≦x≦90を満たす）。
yB：初期組成における目標組成とのずれの下限値で、次の式(3)で表される値である。
1000yB = 0.0162x3- 3.5639x2+ 200.60x - 2347.6 (3)
【請求項５】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜32重量％又は42〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、当該供給用容器内の前記混合冷媒のジフルオロメタンの液相混合比（初期組成）を、x+yC〜x+1.5重量％にすることを特徴とする、混合冷媒の充填方法。
x：目標組成である（但し、10≦x≦32又は42≦x≦90を満たす）。
yC：初期組成における目標組成とのずれの下限値で、次の式(4)で表される値である。
1000yC = 0.0169x3 - 3.6374x2+ 199.88x - 1760.3 (4)
【請求項６】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜14重量％又は65〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、当該供給用容器内の前記混合冷媒のジフルオロメタンの液相混合比（初期組成）を、x+yD〜x+1.0重量％にすることを特徴とする、混合冷媒の充填方法。
x：目標組成である（但し、10≦x≦14又は65≦x≦90を満たす）。
yD：初期組成における目標組成とのずれの下限値で、次の式(5)で表される値である。
1000yD = 0.0160x3 - 3.5312x2+ 196.02x - 1210.8 (5)
【請求項７】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±a重量％の範囲に収めるため、
移充填直前の、前記供給用容器内の前記混合冷媒のジフルオロメタンの液相混合比（初期組成）を、x+y2(最小値)〜x+a(最大値)重量％にすることを特徴とする、混合冷媒の充填方法。
±a：設定公差（a≧0）
x：目標組成である（10≦x≦90、ただしy2＞aとなる範囲を除く）。
y2：初期組成における目標組成とのずれの下限値で、次の式(6)で表される値である。
1000y2 = L2x3 - M2x2+ N2x - P2 (6)
L2 = -0.0016a + 0.0169
M2 = -0.1765a + 3.4316
N2 = -1.87a + 180.08
P2 = 1119.5a + 148.9      
【請求項８】
aの値が0.5≦a≦3.0の範囲にある場合の、請求項７の混合冷媒の充填方法。
【請求項９】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.5重量％の範囲に収めるため、
移充填直前の、当該供給用容器内の前記混合冷媒のジフルオロメタンの液相混合比（初期組成）を、x+yE〜x+2.5重量％にすることを特徴とする、混合冷媒の充填方法。
x：目標組成である（但し、10≦x≦90を満たす）。
yE：初期組成における目標組成とのずれの下限値で、次の式(7)で表される値である。
1000yE = 0.0130 x3 - 3.0285 x2 + 177.93x - 2975.4      (7)
【請求項１０】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、当該供給用容器内の前記混合冷媒のジフルオロメタンの液相混合比（初期組成）を、x+yF〜x+2.0重量％にすることを特徴とする、混合冷媒の充填方法。
x：目標組成である（但し、10≦x≦90を満たす）。
yF：初期組成における目標組成とのずれの下限値で、次の式(8)で表される値である。
1000yF = 0.0132 x3 - 2.991 x2+ 171.39x - 2327.0    (8)
【請求項１１】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、当該供給用容器内の前記混合冷媒のジフルオロメタンの液相混合比（初期組成）を、x+yG〜x+1.5重量％にすることを特徴とする、混合冷媒の充填方法。
x：目標組成である（但し、10≦x≦90を満たす）。
yG：初期組成における目標組成とのずれの下限値で、次の式(9)で表される値である。
1000yG = 0.0149 x3 - 3.2273 x2+ 179.57x - 1866.7      (9)
【請求項１２】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜18重量％又は60〜90重量％の量で存在する混合冷媒を、供給用容器に最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、当該供給用容器内の前記混合冷媒のジフルオロメタンの液相混合比（初期組成）を、x+yH〜x+1.0重量％にすることを特徴とする、混合冷媒の充填方法。
x：目標組成である（但し、10≦x≦18又は60≦x≦90を満たす）。
yH：初期組成における目標組成とのずれの下限値で、次の式(10)で表される値である。
1000yH = 0.0151 x3 - 3.2439 x2+ 178.32x - 1263.0      (10)
【請求項１３】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±a重量％の範囲に収めるため、
移充填直前の、前記供給用容器内の前記混合冷媒のジフルオロメタンの液相混合比（初期組成）を、x+y3 (最小値)〜x+a(最大値)重量％にすることを特徴とする、混合冷媒の充填方法。
±a：設定公差（a≧0）
x：目標組成である（10≦x≦90、ただしy3＞aとなる範囲を除く）。
y3：初期組成における目標組成とのずれの下限値で、次の式(11)で表される値である。
1000y3 = L3x3 - M3x2+ N3x - P3 (11)
L3 = 0.0003a + 0.0172
M3 = 0.0962a+ 3.6851
N3 = 9.704a + 196.9
P3 = 1241.2a - 93.54
【請求項１４】
aの値が0.5≦a≦3.0の範囲にある場合の、請求項１３の混合冷媒の充填方法。
【請求項１５】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.5重量％の範囲に収めるため、
移充填直前の、当該供給用容器内の前記混合冷媒のジフルオロメタンの液相混合比（初期組成）を、x+yI〜x+2.5重量％にすることを特徴とする、混合冷媒の充填方法。
x：目標組成である（但し、10≦x≦90を満たす）。
yI：初期組成における目標組成とのずれの下限値で、次の式(12)で表される値である。
1000yI = 0.0181x3- 3.9611x2+ 223.10x - 3040.4 (12)
【請求項１６】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、当該供給用容器内の前記混合冷媒のジフルオロメタンの液相混合比（初期組成）を、x+yJ〜x+2.0重量％にすることを特徴とする、混合冷媒の充填方法。
x：目標組成である（但し、10≦x≦90を満たす）。
yJ：初期組成における目標組成とのずれの下限値で、次の式(13)で表される値である。
1000yJ = 0.0177x3- 3.8614 x2+ 215.42x - 2373.5 (13)
【請求項１７】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜26.5重量％又は47.5〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、当該供給用容器内の前記混合冷媒のジフルオロメタンの液相混合比（初期組成）を、x+yK〜x+1.5重量％にすることを特徴とする、混合冷媒の充填方法。
x：目標組成である（但し、10≦x≦26.5又は47.5≦x≦90を満たす）。
yK：初期組成における目標組成とのずれの下限値で、次の式(14)で表される値である。
1000yK = 0.0172x3 - 3.7549x2+ 207.43x - 1705.9 (14)
【請求項１８】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜13.5重量％又は67〜90重量％の量で存在する混合冷媒を、供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、当該供給用容器内の前記混合冷媒のジフルオロメタンの液相混合比（初期組成）を、x+yL〜x+1.0重量％にすることを特徴とする、混合冷媒の充填方法。
x：目標組成である（但し、10≦x≦13.5又は67≦x≦90を満たす）。
yL：初期組成における目標組成とのずれの下限値で、次の式(15)で表される値である。
1000yL = 0.0178x3 - 3.8363x2+ 209.59x - 1194.3 (15)
【請求項１９】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+y4 (最小値)〜x+2.0重量％(最大値)にすることを特徴とする、混合冷媒の充填方法。
b：供給用容器における初期充填量（重量%）
x：目標組成である（10≦x≦90、ただしy4＞2となる範囲を除く）。
y4：初期組成における目標組成とのずれの下限値で、次の式(16)で表される値である。
1000y4 = L4x3 - M4x2+ N4x - P4 (16)
L4 = 0.0001b + 0.0081
M4 = 0.0195b + 1.958
N4 = 0.9878b + 118.91
P4 = -0.176b + 2408.7
【請求項２０】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の100重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+yP1〜x+2.0重量％にすることを特徴とする、混合冷媒の充填方法。
x：目標組成である（但し、10≦x≦90を満たす）。
yP1：初期組成における目標組成とのずれの下限値で、次の式(17)で表される値である。
1000yP1 = 0.0177x3 - 3.8614x2+ 215.42x - 2373.5 (17)
【請求項２１】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の90重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+yP2〜x+2.0重量％にすることを特徴とする、混合冷媒の充填方法。
x：目標組成である（但し、10≦x≦90を満たす）。
yP2：初期組成における目標組成とのずれの下限値で、次の式(18)で表される値である。
1000yP2 = 0.0172x3 - 3.7532x2+ 210.1x - 2419.3 (18)
【請求項２２】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の80重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+yP3〜x+2.0重量％にすることを特徴とする、混合冷媒の充填方法。
x：目標組成である（但し、10≦x≦90を満たす）。
yP3：初期組成における目標組成とのずれの下限値で、次の式(19)で表される値である。
1000yP3 = 0.0160x3 - 3.5202x2+ 198.2x - 2382.2 (19)
【請求項２３】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+yP4〜x+2.0重量％にすることを特徴とする、混合冷媒の充填方法。
x：目標組成である（但し、10≦x≦90を満たす）。
yP4：初期組成における目標組成とのずれの下限値で、次の式(20)で表される値である。
1000yP4 = 0.0152x3 - 3.3513x2+ 189.76x - 2412.5 (20)
【請求項２４】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の60重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±2.0重量％の範囲に収めるため、
移充填直前の、前記供給用容器内の前記混合冷媒のジフルオロメタンの液相混合比（初期組成）を、x+yP5〜x+2.0重量％にすることを特徴とする、混合冷媒の充填方法。
x：目標組成である（但し、10≦x≦90を満たす）。
yP5：初期組成における目標組成とのずれの下限値で、次の式(21)で表される値である。
1000yP5 = 0.0138x3 - 3.0892x2+ 176.2x - 2385.7 (21)
【請求項２５】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器より供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+y5 (最小値)〜x+1.5重量％(最大値)にすることを特徴とする、混合冷媒の充填方法。
b：供給用容器における初期充填量（重量%）
x：目標組成である（10≦x≦90、ただしy5＞1.5となる範囲を除く）。
y5：初期組成における目標組成とのずれの下限値で、次の式(22)で表される値である。
1000y5 = L5x3 - M5x2+ N5x - P5 (22)
L5 = 0.00005b + 0.0092
M5 = 0.0171b + 2.1013
N5 = 0.8528b + 125.11
P5 = -2.372b + 1972.3
【請求項２６】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜26.5重量％又は47.5〜90重量％の量で存在する混合冷媒を、供給用容器に最大充填量の100重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+yQ1〜x+1.5重量％にすることを特徴とする、混合冷媒の充填方法。
x：目標組成である（但し、10≦x≦26.5又は47.5≦x≦90を満たす）。
yQ1：初期組成における目標組成とのずれの下限値で、次の式(23)で表される値である。
1000yQ1 = 0.0172x3 - 3.7549x2+ 207.43x - 1705.9 (23)
【請求項２７】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜30重量％又は44〜90重量％の量で存在する混合冷媒を、供給用容器に最大充填量の90重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+yQ2〜x+1.5重量％にすることを特徴とする、混合冷媒の充填方法。
x：目標組成である（但し、10≦x≦30又は44≦x≦90を満たす）。
yQ2：初期組成における目標組成とのずれの下限値で、次の式(24)で表される値である。
1000yQ2 = 0.0168x3 - 3.6698x2+ 203.75x - 1785.4 (24)
【請求項２８】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の80重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+yQ3〜x+1.5重量％にすることを特徴とする、混合冷媒の充填方法。
x：目標組成である（但し、10≦x≦90を満たす）。
yQ3：初期組成における目標組成とのずれの下限値で、次の式(25)で表される値である。
1000yQ3 = 0.0163x3 - 3.5445x2+ 197.22x - 1815.9 (25)
【請求項２９】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の70重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+yQ4〜x+1.5重量％にすることを特徴とする、混合冷媒の充填方法。
x：目標組成である（但し、10≦x≦90を満たす）。
yQ4：初期組成における目標組成とのずれの下限値で、次の式(26)で表される値である。
1000yQ4 = 0.0147x3 - 3.2607x2+ 183.21x - 1777.0 (26)
【請求項３０】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜90重量％の量で存在する混合冷媒を、供給用容器に最大充填量の60重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.5重量％の範囲に収めるため、
移充填直前の、前記供給用容器内の前記混合冷媒のジフルオロメタンの液相混合比（初期組成）を、x+yQ5〜x+1.5重量％にすることを特徴とする、混合冷媒の充填方法。
x：目標組成である（但し、10≦x≦90を満たす）。
yQ5：初期組成における目標組成とのずれの下限値で、次の式(27)で表される値である。
1000yQ5 = 0.0141x3 - 3.1058x2+ 175.06x - 1828.7 (27)
【請求項３１】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜18.5重量%又は60〜90重量%の量で存在する混合冷媒を、供給用容器より供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+y6 (最小値)〜x+1.0重量％(最大値)にすることを特徴とする、混合冷媒の充填方法。
b：供給用容器における初期充填量（重量%）
x：目標組成である（10≦x≦18.5重量%又は60≦x≦90重量%、ただしy6＞1となる範囲を除く）。
y6：初期組成における目標組成とのずれの下限値で、次の式(28)で表される値である。
1000y6 = L6x3 - M6x2+ N6x - P6 (28)
L6 = 0.00009b + 0.0086
M6 = 0.0183b + 2.003
N6 = 0.9237b + 117.29
P6 = -1.055b + 1292.7
【請求項３２】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜13.5重量％又は67〜90重量％の量で存在する混合冷媒を、供給用容器に最大充填量の100重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+yR1〜x+1.0重量％にすることを特徴とする、混合冷媒の充填方法。
x：目標組成である（但し、10≦x≦13.5又は67≦x≦90を満たす）。
yR1：初期組成における目標組成とのずれの下限値で、次の式(29)で表される値である。
1000yR1 = 0.0178x3 - 3.8363x2+ 209.59x - 1194.3 (29)
【請求項３３】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜14重量％又は66〜90重量％の量で存在する混合冷媒を、供給用容器に最大充填量の90重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+yR2〜x+1.0重量％にすることを特徴とする、混合冷媒の充填方法。
x：目標組成である（但し、10≦x≦14又は66≦x≦90を満たす）。
yR2：初期組成における目標組成とのずれの下限値で、次の式(30)で表される値である。
1000yR2 = 0.0168x3 - 3.6386x2+ 200.20x - 1192.8 (30)
【請求項３４】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜15.5重量％又は65〜90重量％の量で存在する混合冷媒を、供給用容器に最大充填量の80重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+yR3〜x+1.0重量％にすることを特徴とする、混合冷媒の充填方法。
x：目標組成である（但し、10≦x≦15.5又は65≦x≦90を満たす）。
yR3：初期組成における目標組成とのずれの下限値で、次の式(31)で表される値である。
1000yR3 = 0.0159x3 - 3.4616x2+ 191.19x - 1196.0 (31)
【請求項３５】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜16.5重量％又は62.5〜90重量％の量で存在する混合冷媒を、供給用容器に最大充填量の70重量％以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+yR4〜x+1.0重量％にすることを特徴とする、混合冷媒の充填方法。
x：目標組成である（但し、10≦x≦16.5又は62.5≦x≦90を満たす）。
yR4：初期組成における目標組成とのずれの下限値で、次の式(32)で表される値である。
1000yR4 = 0.0150x3 - 3.2938x2+ 182.87x - 1230.1 (32)
【請求項３６】
ジフルオロメタン及び2,3,3,3-テトラフルオロプロペンを含み、ジフルオロメタン及び2,3,3,3-テトラフルオロプロペンの合計100重量%に対し液相においてジフルオロメタンが10〜18.5重量％又は60〜90重量％の量で存在する混合冷媒を、供給用容器に最大充填量の60重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標組成(x)の±1.0重量％の範囲に収めるため、
移充填直前の、前記供給用容器内の前記混合冷媒のジフルオロメタンの液相混合比（初期組成）を、x+yR5〜x+1.0重量％にすることを特徴とする、混合冷媒の充填方法。
x：目標組成である（但し、10≦x≦18.5又は60≦x≦90を満たす）。
yR5：初期組成における目標組成とのずれの下限値で、次の式(33)で表される値である。
1000yR5 = 0.0141x3 - 3.0949x2+ 172.07x - 1228.4 (33)
【手続補正２】
【補正対象書類名】明細書
【補正対象項目名】００１８
【補正方法】変更
【補正の内容】
【００１８】
1000y1 = L1x3 - M1x2+ N1x - P1 (1)
L1 = 0.0002a + 0.016
M1 = 0.072a+ 3.4761
N1 = 7.914a + 187.52
P1 = 1194.8a - 9.58      
【手続補正３】
【補正対象書類名】明細書
【補正対象項目名】００３５
【補正方法】変更
【補正の内容】
【００３５】
1000y2 = L2x3 - M2x2+ N2x - P2 (6)
L2 = -0.0016a + 0.0169
M2 = -0.1765a + 3.4316
N2 = -1.87a + 180.08
P2 = 1119.5a + 148.9      
【手続補正４】
【補正対象書類名】明細書
【補正対象項目名】００５２
【補正方法】変更
【補正の内容】
【００５２】
1000y3 = L3x3 - M3x2+ N3x - P3 (11)
L3 = 0.0003a + 0.0172
M3 = 0.0962a+ 3.6851
N3 = 9.704a + 196.9
P3 = 1241.2a - 93.54
【手続補正５】
【補正対象書類名】明細書
【補正対象項目名】００６９
【補正方法】変更
【補正の内容】
【００６９】
1000y4 = L4x3 - M4x2+ N4x - P4 (16)
L4 = 0.0001b + 0.0081
M4 = 0.0195b + 1.958
N4 = 0.9878b + 118.91
P4 = -0.176b + 2408.7
【手続補正６】
【補正対象書類名】明細書
【補正対象項目名】００８８
【補正方法】変更
【補正の内容】
【００８８】
1000y5 = L5x3 - M5x2+ N5x - P5 (22)
L5 = 0.00005b + 0.0092
M5 = 0.0171b + 2.1013
N5 = 0.8528b + 125.11
P5 = -2.372b + 1972.3
【手続補正７】
【補正対象書類名】明細書
【補正対象項目名】０１０７
【補正方法】変更
【補正の内容】
【０１０７】
1000y6 = L6x3 - M6x2+ N6x - P6 (28)
L6 = 0.00009b + 0.0086
M6 = 0.0183b + 2.003
N6 = 0.9237b + 117.29
P6 = -1.055b + 1292.7
【手続補正８】
【補正対象書類名】明細書
【補正対象項目名】０１３５
【補正方法】変更
【補正の内容】
【０１３５】
1000y = L1x3 - M1x2+ N1x - P1 (1)
L1 = 0.0002a + 0.016
M1 = 0.072a+ 3.4761
N1 = 7.914a + 187.52
P1 = 1194.8a - 9.58      
前記「±a」（設定公差）は、HFC-32の目標組成(x)を基準値とする場合の、許容される範囲の最大値及び最小値との差を意味する。これは、目標組成との許容される「ずれ」を意味する。
【手続補正９】
【補正対象書類名】明細書
【補正対象項目名】０１７５
【補正方法】変更
【補正の内容】
【０１７５】
1000y1 = L1x3 - M1x2+ N1x - P1 (1)
L1 = 0.0002a + 0.016
M1 = 0.072a+ 3.4761
N1 = 7.914a + 187.52
P1 = 1194.8a - 9.58      
【手続補正１０】
【補正対象書類名】明細書
【補正対象項目名】０１８０
【補正方法】変更
【補正の内容】
【０１８０】
1000y2 = L2x3 - M2x2+ N2x - P2 (6)
L2 = -0.0016a + 0.0169
M2 = -0.1765a + 3.4316
N2 = -1.87a + 180.08
P2 = 1119.5a + 148.9      
前記「±a」（設定公差）は、HFC-32の目標組成(x)を基準値とする場合の、許容される範囲の最大値及び最小値との差を意味する。これは、目標組成との許容される「ずれ」を意味する。
【手続補正１１】
【補正対象書類名】明細書
【補正対象項目名】０２１９
【補正方法】変更
【補正の内容】
【０２１９】
1000y2 = L2x3 - M2x2+ N2x - P2 (6)
L2 = -0.0016a + 0.0169
M2 = -0.1765a + 3.4316
N2 = -1.87a + 180.08
P2 = 1119.5a + 148.9      
【手続補正１２】
【補正対象書類名】明細書
【補正対象項目名】０２２４
【補正方法】変更
【補正の内容】
【０２２４】
1000y3 = L3x3 - M3x2+ N3x - P3 (11)
L3 = 0.0003a + 0.0172
M3 = 0.0962a+ 3.6851
N3 = 9.704a + 196.9
P3 = 1241.2a - 93.54
前記「±a」（設定公差）は、HFC-32の目標組成(x)を基準値とする場合の、許容される範囲の最大値及び最小値との差を意味する。これは、目標組成との許容される「ずれ」を意味する。
【手続補正１３】
【補正対象書類名】明細書
【補正対象項目名】０２６４
【補正方法】変更
【補正の内容】
【０２６４】
1000y3 = L3x3 - M3x2+ N3x - P3 (11)
L3 = 0.0003a + 0.0172
M3 = 0.0962a+ 3.6851
N3 = 9.704a + 196.9
P3 = 1241.2a - 93.54
【手続補正１４】
【補正対象書類名】明細書
【補正対象項目名】０２７７
【補正方法】変更
【補正の内容】
【０２７７】
1000y4 = L4x3 - M4x2+ N4x - P4 (16)
L4 = 0.0001b + 0.0081
M4 = 0.0195b + 1.958
N4 = 0.9878b + 118.91
P4 = -0.176b + 2408.7
【手続補正１５】
【補正対象書類名】明細書
【補正対象項目名】０３２３
【補正方法】変更
【補正の内容】
【０３２３】
1000y4 = L4x3 - M4x2+ N4x - P4 (16)
L4 = 0.0001b + 0.0081
M4 = 0.0195b + 1.958
N4 = 0.9878b + 118.91
P4 = -0.176b + 2408.7
【手続補正１６】
【補正対象書類名】明細書
【補正対象項目名】０３２８
【補正方法】変更
【補正の内容】
【０３２８】
1000y5 = L5x3 - M5x2+ N5x - P5 (22)
L5 = 0.00005b + 0.0092
M5 = 0.0171b + 2.1013
N5 = 0.8528b + 125.11
P5 = -2.372b + 1972.3
【手続補正１７】
【補正対象書類名】明細書
【補正対象項目名】０３７５
【補正方法】変更
【補正の内容】
【０３７５】
1000y5 = L5x3 - M5x2+ N5x - P5 (22)
L5 = 0.00005b + 0.0092
M5 = 0.0171b + 2.1013
N5 = 0.8528b + 125.11
P5 = -2.372b + 1972.3
【手続補正１８】
【補正対象書類名】明細書
【補正対象項目名】０３８０
【補正方法】変更
【補正の内容】
【０３８０】
1000y6 = L6x3 - M6x2+ N6x - P6 (28)
L6 = 0.00009b + 0.0086
M6 = 0.0183b + 2.003
N6 = 0.9237b + 117.29
P6 = -1.055b + 1292.7
【手続補正１９】
【補正対象書類名】明細書
【補正対象項目名】０４２７
【補正方法】変更
【補正の内容】
【０４２７】
1000y6 = L6x3 - M6x2+ N6x - P6 (28)
L6 = 0.00009b + 0.0086
M6 = 0.0183b + 2.003
N6 = 0.9237b + 117.29
P6 = -1.055b + 1292.7
【国際調査報告】
2014038604.tif 000062
2014038604.tif 000063
2014038604.tif 000064
2014038604.tif 000065